(57)【要約】【課題】通信機器を用いて通話する利用者が、通話をするという使用目的の役割を果たしつつ、広告媒体として広く活用することにより、利用者に対してメディアとしての役割を十分に発揮することができる。【解決手段】通信機器を利用した広告システム及び広告方法１は、従来の着メロ機能と映像を映し出す機能に着目し、広告主側広告配信システム２が保持する広告情報を広告管理会社側広告配信システム３のプログラムに基づいて管理し、該広告情報を電話事業会社側広告配信システム４から取得した第１の移動電話７Ｄが、第２の移動電話７Ｅと通話する際に、発信信号とともに該広告情報を送信し、基地局及び交換機５を介して、第１の移動電話７Ｄは該広告情報を発呼報知として受信し、第２の移動電話７Ｅは着信信号とともに第１の移動電話７Ｄが指定した該広告情報を着呼報知として受信し利用できるとともに、該広告情報の受信利用頻度により利益還元を享受できる。【選択図】図１
2006099511.tif 000002
【特許請求の範囲】
【請求項１】
電話事業会社から提供された通信機器を利用した広告システムであって、広告管理会社側広告配信システムと通信回線を介して接続された広告主側広告配信システムにおいて、広告管理会社側広告配信システムとの通信に関して、予め登録された送受信処理プログラムに従って情報を送受信する通信処理手段と、前記通信機器の利用者に提供する広告情報として、宣伝広告用送着信音声及び映像、広告関連情報を指し示すリンク情報を含む広告情報を登録または更新し記録する広告情報登録手段と、広告主の端末から受信した広告配信要求情報に基づき、前記広告情報登録手段から広告情報を選択し、該広告情報を送信する広告情報送信手段と、広告管理会社側広告配信システムの情報処理プログラムに基づき、広告情報認証番号を含む広告情報を受信する広告認証受信手段と、前記広告情報の利用者に関する情報として、当該利用者が広告情報の受信に応じて課金されるポイントを含む利用者情報を受信する利用者情報受信手段と、該利用者情報を登録及び記録する利用者情報登録手段と、当該利用者に対して利益還元を実施するにあたり、前記広告情報登録手段及び利用者情報登録手段に基づき、前記広告情報の受信に応じて当該利用者に対して利益還元される利益還元実施情報を登録及び記録する利益還元登録手段と、前記利益還元登録手段による利益還元実施情報を送信する利益還元送信手段と、を備えたことを特徴とする広告システム。
【請求項２】
前記広告情報は、広告情報の利用に伴う利用者への利益還元情報や前記広告情報認証番号を含む広告情報を含み、前記広告情報登録手段は、前記広告情報の利用に伴う利益還元情報を登録及び記録する手段と、前記広告認証受信手段により受信した広告情報認証番号を含む広告情報及び該広告情報を受信した受信履歴を登録または更新し記録する手段と、を備えたことを特徴とする請求項１に記載の広告システム。
【請求項３】
前記広告配信要求情報は、当該利用者の通信機器にて受信可能な広告情報の適応通信機種に関する情報を含み、前記広告情報送信手段は、広告主の端末から広告配信要求情報を受信した際に、該広告配信要求情報に含まれる適応通信機種に関する情報に基づき、広告管理会社側広告配信システムに送信すべき広告情報の選択を実行する手段と、前記広告情報登録手段は、前記広告配信要求情報の設定を登録及び記録する手段と、前記広告情報送信手段により該広告情報を送信した送信履歴及び該広告配信要求情報を設定した設定履歴を登録または更新し記録する手段と、を備えたことを特徴とする請求項１または２記載の広告システム。
【請求項４】
前記利用者情報は、当該利用者が前記広告情報を取得した取得履歴や当該利用者が前記広告情報を送信または受信した送受信履歴、前記広告情報の利用に伴う当該利用者への利益還元情報や当該利用者が前記利益還元を受け取るための受取認証情報を含み、前記利用者情報登録手段は、前記利用者情報受信手段による該利用者情報及び該利用者情報を受信した受信履歴を登録または更新し記録する手段を備えたことを特徴とする請求項１から３いずれか記載の広告システム。
【請求項５】
前記利益還元実施情報は、広告情報の受信に応じて利益還元される当該利用者の利用者情報を含み、前記利益還元登録手段は、前記利益還元送信手段による該利益還元実施情報及び該利益還元実施情報を送信した送信履歴を登録または更新し記録する手段を備えたことを特徴とする請求項１から４いずれか記載の広告システム。
【請求項６】
電話事業会社から提供された通信機器を利用した広告システムであって、前記広告情報を利用した利用者が所有する通信機器と通信回線を介して接続された広告主側広告配信システムにおいて、当該通信機器との通信に関して、予め登録された送受信処理プログラムに従って情報を送受信する通信処理手段と、当該利用者に対して利益還元を実施するにあたり、前記広告情報登録手段及び利用者情報登録手段に基づき、前記利益還元送信手段は、前記利益還元登録手段による利益還元実施情報を、該利益還元実施情報に含まれる利用者情報に従って、当該利用者が所有する通信機器に送信する手段と、前記利益還元登録手段は、前記利益還元送信手段により該利益還元実施情報を送信した送信履歴を登録または更新し記録する手段と、を備えたことを特徴とする広告システム。
【請求項７】
電話事業会社から提供された通信機器を利用した広告システムであって、広告主側広告配信システムと通信回線を介して接続された広告管理会社側広告配信システムにおいて、広告主側広告配信システムとの通信に関して、予め登録された送受信処理プログラムに従って情報を送受信する通信処理手段と、前記通信機器の利用者に提供する広告情報として、前記広告情報送信手段により送信された前記広告情報を受信する広告情報受信手段と、前記広告情報受信手段より受信した該広告情報に、予め登録された情報処理プログラムに従って広告情報認証番号を発行し登録する認証番号登録手段と、前記認証番号登録手段により発行された広告情報認証番号を含む広告情報を登録及び記録する広告管理登録手段と、前記広告管理登録手段による該広告情報を送信する広告認証送信手段と、前記広告情報の利用者に関する情報として、当該利用者が広告情報の受信に応じて課金されるポイントを含む利用者情報を送信する利用者情報送信手段と、当該利用者に対して利益還元を実施するにあたり、前記利益還元送信手段により送信された利益還元実施情報を受信する利益還元受信手段と、該利益還元実施情報を登録及び記録する利益還元管理登録手段と、を備えたことを特徴とする広告システム。
【請求項８】
電話事業会社から提供された通信機器を利用した広告システムであって、電話事業会社側広告配信システムと通信回線を介して接続された広告管理会社側広告配信システムにおいて、電話事業会社側広告配信システムとの通信に関して、予め登録された送受信処理プログラムに従って情報を送受信する通信処理手段と、前記通信機器の利用者に提供する広告情報として、前記広告管理登録手段による前記広告情報を送信する広告管理送信手段と、前記広告情報の利用者に関する情報として、当該利用者が広告情報の受信に応じて課金されるポイントを含む利用者情報を受信する利用者情報受信管理手段と、該利用者情報を登録及び記録する利用者管理登録手段と、当該利用者に対して利益還元を実施するにあたり、前記利益還元管理登録手段に基づき、利益還元実施情報を送信する利益還元管理送信手段と、を備えたことを特徴とする広告システム。
【請求項９】
前記広告情報は、予め登録された情報処理プログラムに従って発行する広告情報認証番号の有効期限情報を含み、前記広告管理登録手段は、前記広告情報受信手段により前記広告情報を受信した受信履歴を登録または更新し記録する手段と、前記認証番号登録手段により発行された広告情報認証番号の有効期限情報を含む広告情報及び該広告情報を登録した登録期日を登録または更新し記録する手段と、前記広告認証送信手段により該広告情報を送信した送信履歴及び前記広告管理送信手段により該広告情報を送信した送信履歴を登録または更新し記録する手段と、を備えたことを特徴とする請求項７または８記載の広告システム。
【請求項１０】
前記利用者情報は、当該利用者が前記広告情報を取得した取得履歴や当該利用者が前記広告情報を送信または受信した送受信履歴、前記広告情報の利用に伴う当該利用者への利益還元情報や当該利用者が前記利益還元を受け取るための受取認証情報を含み、前記利用者管理登録手段は、前記利用者情報受信管理手段による該利用者情報及び該利用者情報を受信した受信履歴を登録または更新し記録する手段と、前記利用者情報送信手段により該利用者情報を送信した送信履歴を登録または更新し記録する手段と、を備えたことを特徴とする請求項７から９いずれか記載の広告システム。
【請求項１１】
前記利益還元実施情報は、広告情報の受信に応じて利益還元される当該利用者の利用者情報を含み、利益還元管理登録手段は、前記利益還元受信手段により該利益還元実施情報を受信した受信履歴及び前記利益還元管理送信手段により該利益還元実施情報を送信した送信履歴を登録または更新し記録する手段と、を備えたことを特徴とする請求項７から１０いずれか記載の広告システム。
【請求項１２】
電話事業会社から提供された通信機器を利用した広告システムであって、電子通信機器会社側広告配信システムと通信回線を介して接続された広告管理会社側広告配信システムにおいて、電子通信機器会社側広告配信システムとの通信に関して、予め登録された送受信処理プログラムに従って情報を送受信する通信処理手段と、工場出荷状態または前記広告情報の利用を制限した前記通信機器に関して、電子通信機器会社側広告配信システムから送信された制限広告出荷要求情報を受信する出荷要求受信手段と、前記出荷要求受信手段により受信した制限広告出荷要求情報に基づき、予め登録された情報処理プログラムに従って出荷認証番号を発行し登録する出荷認証番号登録手段と、前記出荷認証番号登録手段により発行された出荷認証番号を送信する出荷認証送信手段と、を備えたことを特徴とする広告システム。
【請求項１３】
前記制限広告出荷要求情報は、工場出荷状態または前記広告情報の利用を制限した通信機器に提供する制限広告情報を含み、前記出荷認証番号登録手段は、電子通信機器会社側広告配信システムから制限広告出荷要求情報を受信した際に、該制限広告出荷要求情報に含まれる前記制限広告情報に、予め登録された情報処理プログラムに従って出荷認証番号を発行し、該出荷認証番号を発行した発行期日及び該出荷認証番号を含む制限広告情報を登録または更新し記録する手段と、該制限広告出荷要求情報を受信した受信履歴を登録または更新し記録する手段と、前記出荷認証送信手段より前記出荷認証番号を含む制限広告情報を送信した送信履歴を登録または更新し記録する手段と、前記出荷認証送信手段は、前記出荷認証番号を含む制限広告情報を送信する手段と、を備えたことを特徴とする請求項１２に記載の広告システム。
【請求項１４】
前記広告管理送信手段は、前記出荷認証番号登録手段による前記出荷認証番号を含む制限広告情報を電話事業会社側広告配信システムに送信する前記出荷認証送信手段と、前記広告管理登録手段は、前記広告管理送信手段による制限広告情報及び該制限広告情報を送信した送信履歴を登録または更新し記録する前記出荷認証番号登録手段と、を備えたことを特徴とする請求項７から１３いずれか記載の広告システム。
【請求項１５】
電話事業会社から提供された通信機器を利用した広告システムであって、広告管理会社側広告配信システムと通信回線を介して接続された電話事業会社側広告配信システムにおいて、広告管理会社側広告配信システムとの通信に関して、予め登録された送受信処理プログラムに従って情報を送受信する通信処理手段と、前記通信機器の利用者に提供する広告情報及び制限広告情報として、前記広告管理送信手段により送信された該広告情報及び該制限広告情報を受信する広告管理受信手段と、該広告情報及び該制限広告情報を登録または更新し記録する広告提供登録手段と、前記広告情報の利用者に関する情報として、当該利用者が広告情報の受信に応じて課金されるポイントを含む利用者情報を送信する利用者情報送信管理手段と、当該利用者に対して利益還元を実施するにあたり、前記利益還元管理送信手段により送信された利益還元実施情報を受信する利益還元管理受信手段と、該利益還元実施情報を登録または更新し記録する利益還元提供登録手段と、を備えたことを特徴とする広告システム。
【請求項１６】
電話事業会社から提供された通信機器を利用した広告システムであって、前記通信機器を利用する利用者が所有する通信機器とインターネットを含む通信回線を介して接続された電話事業会社側広告配信システムにおいて、前記通信機器を利用する利用者が所有する通信機器との通信に関して、予め登録された送受信処理プログラムに従って情報を送受信する通信処理手段と、前記通信機器の利用者に提供する広告情報として、当該利用者が所有する通信機器から受信した広告利用要求情報に基づき、当該通信機器が利用可能な前記広告情報を前記広告提供登録手段から選択し、該広告情報を一覧にした広告一覧を送信する広告一覧送信手段と、当該利用者が所有する通信機器から受信した広告情報要求情報に基づき、前記広告一覧送信手段により送信した該広告一覧から選択された広告情報及び前記広告情報要求情報を送信した通信機器の利用者情報を受信する広告要求受信手段と、前記広告要求受信手段により受信した該広告情報及び該利用者情報を登録または更新し記録する広告配布登録手段と、前記広告配布登録手段に基づき、前記広告情報要求情報を送信した通信機器に前記広告情報認証番号を含む広告情報を送信する広告配布送信手段と、を備えたことを特徴とする広告システム。
【請求項１７】
電話事業会社から提供された通信機器を利用した広告システムであって、交換機と通信回線を介して接続された電話事業会社側広告配信システムにおいて、交換機との通信に関して、予め登録された送受信処理プログラムに従って情報を送受信する通信処理手段と、前記通信機器の利用者に提供する広告情報として、前記交換機から受信した照合要求情報に基づき、予め登録された照合プログラムに従って前記広告配布登録手段から利用者情報を抽出し、該利用者情報と合致する広告情報を送信する広告照合送信手段と、前記広告情報の利用者に関する情報として、当該利用者が広告情報を送信または受信した履歴を含む利用者情報を受信する利用履歴受信手段と、該利用者情報を登録及び記録する利用履歴登録手段と、当該利用者に対して利益還元を実施するにあたり、前記利益還元提供登録手段に基づき、利益還元実施情報を送信する利益還元提供送信手段と、を備えたことを特徴とする広告システム。
【請求項１８】
前記広告情報は、広告情報の利用に伴う利用者への利益還元情報や前記広告情報認証番号を含む広告情報を含み、前記制限広告情報は、前記出荷認証番号を含む制限広告情報を含み、前記広告利用要求情報は、当該利用者の通信機器にて該広告情報を送信するための設定要請情報及び該設定要請情報を送信した通信機器の利用者情報を含み、前記広告提供登録手段は、前記広告管理受信手段による該広告情報及び該制限広告情報を受信した受信履歴を登録または更新し記録する手段と、前記通信機器から広告利用要求情報を受信した際に、該広告利用要求情報に含まれる設定要求情報及び利用者情報に基づき、前記広告一覧送信手段による該広告情報を送信した送信履歴及び該広告利用要求情報を受信した受信履歴を登録または更新し記録する手段と、を備えたことを特徴とする請求項１５から１７いずれか記載の広告システム。
【請求項１９】
前記広告情報要求情報は、前記広告一覧より選択された前記広告情報の広告情報認証番号を取得するための認証番号要請情報を含み、前記広告配布登録手段は、当該利用者の通信機器から広告情報要求情報を受信した際に、該広告情報要求情報に含まれる認証番号要請情報に基づき、前記広告配布送信手段により前記広告情報認証番号を含む広告情報を送信した送信履歴及び前記広告要求受信手段により該広告情報要求情報を受信した受信履歴を登録または更新し記録する手段を備えたことを特徴とする請求項１５から１８いずれか記載の広告システム。
【請求項２０】
前記照合要求情報は、前記広告情報を利用する利用者の通信機器より送信された広告情報及び該通信機器の利用者情報を前記広告配布登録手段と照合するための照合要請情報を含み、前記広告照合送信手段は、前記交換機から照合要求情報を受信した際に、該照合要求情報に含まれる広告情報及び該通信機器の利用者情報に基づき、予め登録された照合プログラムに従って該広告配布登録手段から前記広告情報または前記制限広告情報を選択し送信する手段と、前記広告提供登録手段は、前記広告照合送信手段により該広告情報または該制限広告情報を送信した送信履歴及び該照合要求情報を受信した受信履歴を登録または更新し記録する手段と、を備えたことを特徴とする請求項１５から１９いずれか記載の広告システム。
【請求項２１】
前記利用者情報は、当該利用者が前記広告情報を取得した取得履歴や当該利用者が前記広告情報を送信または受信した送受信履歴、前記広告情報の利用に伴う当該利用者への利益還元情報や当該利用者が前記利益還元を受け取るための受取認証情報を含み、前記利用履歴登録手段は、前記利用履歴受信手段により受信した前記利用者情報及び該利用者情報を受信した受信履歴を登録または更新し記録する手段と、前記利用者情報送信管理手段により前記利用者情報を送信した送信履歴を登録または更新し記録する手段と、を備えたことを特徴とする請求項１５から２０いずれか記載の広告システム。
【請求項２２】
前記利用履歴登録手段は、前記広告配布登録手段に基づき、前記広告配布送信手段により送信した広告情報及び該広告情報を受信した当該利用者の利用者情報を含む広告利用配布情報を登録または更新し記録する広告利用配布登録手段と、前記広告提供登録手段による前記広告照合送信手段により送信した前記広告情報または前記制限広告情報の送信履歴及び前記利用履歴登録手段による前記通信機器に前記広告情報を送信した送信履歴を含む利用者情報に基づき、前記通信機器にて、前記広告情報の送信及び受信に伴い課金されるポイントを含む課金情報を、該通信機器の利用者別に登録及び累積し記録する利用課金登録手段と、を備えたことを特徴とする請求項１５から２１いずれか記載の広告システム。
【請求項２３】
前記利益還元実施情報は、前記利用課金登録手段による課金情報を含む当該利用者の利用者情報を含み、前記利益還元提供送信手段は、当該利用者に対して利益還元を実施するにあたり、前記課金情報を含む利益還元実施情報を送信する手段と、前記利益還元提供登録手段は、前記利益還元管理受信手段により該利益還元実施情報を受信した受信履歴及び前記利益還元提供送信手段により該利益還元実施情報を送信した送信履歴を登録または更新し記録する手段と、を備えたことを特徴とする請求項１５から２２いずれか記載の広告システム。
【請求項２４】
電話事業会社から提供された通信機器を利用した広告システムであって、交換機と通信回線を介して接続された電話事業会社側広告配信システムにおいて、前記通信機器より受信した前記広告情報または前記制限広告情報の再受信要求情報を含む照合要求情報に基づき、予め登録された照合プログラムに従って前記利用履歴登録手段から前記広告情報または前記制限広告情報を送信した利用者情報を抽出し、前記広告提供登録手段より該利用者情報と合致する広告情報または制限広告情報を選択し送信する広告照合再送信手段と、前記広告提供登録手段は、前記広告照合再送信手段により該広告情報または該制限広告情報を送信した送信履歴及び該再受信要求情報を含む照合要求情報を受信した受信履歴を登録または更新し記録する手段と、前記利用課金登録手段は、前記広告提供登録手段による前記広告照合再送信手段により送信した前記広告情報または前記制限広告情報の送信履歴を登録または更新し記録する手段と、前記利用履歴登録手段による前記通信機器に前記広告情報を送信した送信履歴を含む利用者情報に基づき、前記通信機器にて、前記広告情報の受信に伴い課金されるポイントを含む課金情報を該通信機器の利用者別に登録及び累積し記録する手段と、を備えたことを特徴とする請求項１５から２３いずれか記載の広告システム。
【請求項２５】
電話事業会社から提供された通信機器を利用した広告システムであって、前記通信機器と基地局及び通信回線を介して接続された交換機において、前記通信機器を利用する利用者双方の通信に関して、前記広告情報または前記制限広告情報を含む発信信号及び該発信信号を送信した通信機器の利用者情報を受信する発信信号受信手段と、当該通信機器の利用者情報を識別する発信識別手段と、前記発信信号受信手段及び前記発信識別手段に基づき、当該通信機器の利用者情報及び当該通信機器が指定した通信機器の利用者情報を含む発信信号を登録し記録する発信履歴登録手段と、前記発信履歴登録手段に基づき、前記電話事業会社側広告配信システムに送信する照合要請情報を含む前記照合要求情報を登録する照合要求登録手段と、前記電話事業会社側広告配信システムの照合プログラムに従って、前記広告照合送信手段により送信された前記広告情報または前記制限広告情報を、前記発信信号を送信した通信機器に通話呼出情報として送信する発信側通知送信手段と、前記発信信号を送信した通信機器が指定した通信機器に、前記広告照合送信手段により送信された該広告情報または該制限広告情報を、着信信号とともに通話着信情報として送信する受信側通知送信手段と、前記広告情報の利用者に関する情報として、前記発信信号受信手段及び前記発信識別手段に基づき、前記発信信号を送信した通信機器の利用者情報及び当該通信機器が指定した通信機器の利用者情報を含む発信信号を受信した受信履歴を登録または更新し記録する前記発信履歴登録手段と、前記発信信号を送信した通信機器に、前記発信側通知送信手段による前記広告情報または前記制限広告情報を送信した送信履歴及び当該通信機器の利用者情報を登録または更新し記録する呼出履歴登録手段と、前記発信信号を送信した通信機器が指定した通信機器に、前記受信側通知送信手段による前記広告情報または前記制限広告情報を送信した送信履歴及び当該指定された通信機器の利用者情報を登録または更新し記録する着信履歴登録手段と、当該利用者に対して利益還元を実施するにあたり、前記広告情報を利用した利用者が所有する通信機器より、利益還元の受取可否情報を含む受取認証情報及び当該通信機器の利用者情報を受信する受取認証受信手段と、前記利益還元提供送信手段により送信された利益還元実施情報に基づき、前記広告情報を利用した利用者が所有する通信機器に該利益還元実施情報を送信する利益還元提供実施手段と、前記広告情報を受信した通信機器の再受信要求に関して、前記発信側通知送信手段及び前記受信側通知送信手段により、前記広告情報または前記制限広告情報を受信した通信機器の受信履歴から選択された該広告情報または該制限広告情報を含む再受信要求情報及び該再受信要求情報を送信した通信機器の利用者情報を受信する再受信要求受信手段と、を備えたことを特徴とする広告システム。
【請求項２６】
電話事業会社から提供された通信機器を利用した広告システムであって、電話事業会社側広告配信システムと通信回線を介して接続された交換機において、電話事業会社側広告配信システムとの通信に関して、予め登録された送受信処理プログラムに従って情報を送受信する通信処理手段と、前記通信機器の利用者に提供する広告情報として、前記照合要求登録手段による照合要請情報を含む照合要求情報を送信する照合要求送信手段と、前記電話事業会社側広告配信システムの照合プログラムに基づき、前記広告情報または前記制限広告情報を受信する広告照合受信手段と、前記広告情報の利用者に関する情報として、前記呼出履歴登録手段に基づき、前記広告情報または前記制限広告情報を送信した当該利用者情報及び該広告情報または該制限広告情報を送信した送信履歴とともに、前記着信履歴登録手段に基づき、前記広告情報または前記制限広告情報を送信した当該利用者情報及び該広告情報または該制限広告情報を送信した送信履歴を送信する利用履歴送信手段と、前記利用履歴送信手段により当該利用者情報及び当該送信履歴を送信した送信履歴を登録または更新し記録する利用履歴送信登録手段と、当該利用者に対して利益還元を実施するにあたり、前記利益還元提供送信手段により送信された利益還元実施情報を受信する利益還元提供受信手段と、を備えたことを特徴とする広告システム。
【請求項２７】
前記広告情報は、前記再受信要求受信手段による再受信要求情報及び前記広告情報認証番号を含み、前記制限広告情報は前記再受信要求受信手段による再受信要求情報及び前記出荷認証番号を含み、前記発信識別手段は、前記再受信要求情報を送信した利用者情報を識別する手段と、前記発信履歴登録手段は、前記再受信要求受信手段及び前記発信識別手段に基づき、前記再受信要求情報を送信した当該通信機器の利用者情報及び該再受信要求情報とともに、該再受信要求情報を受信した受信履歴を登録または更新し記録する手段と、前記照合要求登録手段は、前記発信履歴登録手段に基づき、前記電話事業会社側広告配信システムに送信する前記再受信要求情報を含む照合要求情報を登録する手段と、前記発信側通知送信手段は、前記再受信要求情報を含む照合要求情報に基づき、前記広告照合再送信手段により送信された該広告情報または該制限広告情報を、再受信要求情報を送信した当該通信機器に送信する手段と、前記呼出履歴登録手段は、前記発信側通知送信手段により送信した該広告情報または該制限広告情報を登録し記録する手段と、前記再受信要求情報に基づき、前記発信側通知送信手段により送信した該広告情報または該制限広告情報の送信履歴及び該再受信要求情報を送信した当該通信機器の利用者情報を登録または更新し記録する手段と、前記着信履歴登録手段は、前記受信側通知送信手段により送信した該広告情報または該制限広告情報を登録し記録する手段と、を備えたことを特徴とする請求項２５または２６記載の広告システム。
【請求項２８】
前記受取認証情報は、前記広告情報の利用に伴う利益還元の享受情報を含み、前記利用履歴送信手段は、前記受取認証情報を含む利用者情報を送信する手段と、前記利用履歴送信登録手段は、前記受取認証受信手段により受信した受取認証情報を含む利用者情報及び該利用者情報を受信した受信履歴を登録または更新し記録する手段と、を備えたことを特徴とする請求項２５から２７いずれか記載の広告システム。
【請求項２９】
前記利益還元実施情報は、広告情報の受信に応じて課金され利益還元される当該利用者の利用者情報を含み、当該利用者に対して利益還元を実施するにあたり、前記利益還元提供受信手段により受信した利益還元実施情報に基づき、前記広告情報を利用した利用者が所有する通信機器に前記利益還元実施情報を送信した送信履歴及び当該通信機器の利用者情報を登録または更新し記録する提供履歴手段と、前記利用履歴送信手段は、前記利益還元提供実施手段により送信した当該通信機器の利用者情報及び前記提供履歴手段による送信履歴を送信する手段と、前記利用履歴送信登録手段は、前記利益還元提供実施手段により前記利益還元実施情報を送信した当該通信機器の利用者情報及び前記提供履歴手段による送信履歴を登録または更新し記録する手段と、を備えたことを特徴とする請求項２５から２８いずれか記載の広告システム。
【請求項３０】
電話事業会社から提供された通信機器を利用した広告システムであって、広告管理会社側広告配信システムと通信回線を介して接続された電子通信機器会社側広告配信システムにおいて、広告管理会社側広告配信システムとの通信に関して、予め登録された送受信処理プログラムに従って情報を送受信する通信処理手段と、工場出荷状態または前記広告情報の利用を制限した前記通信機器に関して、該通信機器の利用者に提供する制限広告情報として、制限広告用送着信音声及び映像、制限広告関連情報を指し示すリンク情報を含む制限広告情報を登録または更新し記録する制限広告登録手段と、前記制限広告登録手段による制限広告情報を含む制限広告出荷要求情報を登録する出荷要求登録手段と、前記出荷要求登録手段による制限広告情報を含む制限広告出荷要求情報を送信する出荷要求送信手段と、前記広告管理会社側広告配信システムの情報処理プログラムに基づき、出荷認証番号を含む制限広告情報を受信する出荷認証受信手段と、を備えたことを特徴とする広告システム。
【請求項３１】
前記制限広告情報は、前記出荷認証番号を含む制限広告情報を含み、前記制限広告登録手段は、前記出荷要求送信手段により前記制限広告出荷要求情報を送信した送信履歴を登録または更新し記録する手段と、前記出荷認証受信手段により受信した前記出荷認証番号を含む制限広告情報及び該制限広告情報を受信した受信履歴を登録または更新し記録する手段と、を備えたことを特徴とする請求項３０に記載の広告システム。
【請求項３２】
電話事業会社から提供された通信機器を利用した広告システムであって、工場出荷状態における通信機器と通信回線を介して接続された電子通信機器会社側広告配信システムにおいて、前記通信機器に提供する制限広告情報に関して、予め登録された送受信処理プログラムに従って情報を送受信する通信処理手段と、前記制限広告登録手段による前記制限広告情報を送信する出荷情報送信手段と、前記出荷情報送信手段による該制限広告情報を送信した送信履歴を登録または更新し記録する出荷情報登録手段と、交換機を介して前記通信機器双方の通信に関して、前記発信側通知送信手段及び前記受信側通知送信手段より送信された前記広告情報または前記制限広告情報が起動する起動プログラムを前記通信機器に送信する起動プログラム送信手段と、前記通信機器にて前記広告情報または前記制限広告情報を受信した際に、前記起動プログラムが起動した動作確認情報を該通信機器より受信する動作確認受信手段と、を備えたことを特徴とする広告システム。
【請求項３３】
電話事業会社から提供された通信機器を利用した広告システムであって、各種情報を入力するための入力手段と、操作入力した各種入力情報及び受信情報を表示する表示手段とを備える通信機器において、交換機を介して電話事業会社側広告配信システムとの通信に関して、予め登録された送受信処理プログラムに従って情報を送受信する通信処理手段と、前記広告情報を設定するにあたり、該広告情報の設定方法を要請する設定要請情報を含む広告利用要求情報を登録する広告利用登録手段と、前記広告利用登録手段による前記設定要請情報を含む広告利用要求情報を送信する広告利用要求送信手段と、前記発信信号とともに送信する広告情報を設定するにあたり、前記広告一覧送信手段により送信された広告一覧を受信する広告一覧受信手段と、前記広告一覧受信手段より受信した広告一覧から、指定する通信機器に発信信号とともに送信する広告情報を選択し、前記広告情報及び該広告情報の広告情報認証番号を要請する認証番号要請情報を含む広告情報要求情報を登録する広告情報要求登録手段と、前記広告情報要求登録手段により前記認証番号要請情報を含む広告情報要求情報を送信する広告要求送信手段と、前記広告配布送信手段により送信された広告情報認証番号を含む広告情報を受信する広告配布受信手段と、前記広告配布受信手段により受信した広告情報認証番号を含む広告情報を登録または更新し記録する広告発信登録手段と、を備えたことを特徴とする広告システム。
【請求項３４】
前記広告利用要求情報は、二次元コードリンク情報及び該広告利用要求情報を送信した通信機器の利用者情報を含み、前記広告情報要求情報は、該広告情報要求情報を送信した通信機器の利用者情報を含み、前記広告利用登録手段は、前記広告利用要求送信手段により該広告利用要求情報を送信した通信機器の利用者情報及び該広告利用要求情報を送信した送信履歴を登録または更新し記録する手段と、前記広告情報要求登録手段は、前記広告一覧受信手段により前記広告情報を含む広告一覧を受信した受信履歴を登録または更新し記録する手段と、前記広告要求送信手段により該広告情報要求情報を送信した通信機器の利用者情報及び該広告情報要求情報を送信した送信履歴を登録または更新し記録する手段と、前記広告発信登録手段は、前記広告配布受信手段により前記広告情報認証番号を含む広告情報を受信した受信履歴を登録または更新し記録する手段と、を備えたことを特徴とする請求項３３に記載の広告システム。
【請求項３５】
電話事業会社から提供された通信機器を利用した広告システムであって、各種情報を入力するための入力手段と、操作入力した各種入力情報及び受信情報を表示する表示手段とを備える通信機器において、電子通信機器会社側広告配信システムとの通信に関して、予め登録された送受信処理プログラムに従って情報を送受信する通信処理手段と、前記工場出荷状態または前記広告情報の利用を制限した前記通信機器に関して、前記出荷情報送信手段により送信された前記出荷認証番号を含む制限広告情報を受信する出荷情報受信手段と、前記出荷情報受信手段により受信した前記出荷認証番号を含む制限広告情報を登録または更新し記録する出荷発信登録手段と、前記広告情報または前記制限広告情報を受信した際に起動する起動プログラムの設定に関して、前記起動プログラム送信手段より送信された前記広告情報または前記制限広告情報が起動する起動プログラムを受信する起動プログラム受信手段と、前記起動プログラム受信手段により受信した起動プログラム及び前記広告情報または前記制限広告情報を受信した際に、該起動プログラムが起動した動作確認情報を登録または更新し記録する起動プログラム登録手段と、前記起動プログラム登録手段による該動作確認情報を送信する動作確認送信手段と、を備えたことを特徴とする広告システム。
【請求項３６】
電話事業会社から提供された通信機器を利用した広告システムであって、各種情報を入力するための入力手段と、操作入力した各種入力情報及び受信情報を表示する表示手段とを備える通信機器において、交換機を介して前記通信機器双方の通信に関して、前記入力手段を介して、通信する通信機器を指定し、前記広告発信登録手段より選択した前記広告情報または前記制限広告情報を含む発信信号とともに、該発信信号を送信する通信機器の利用者情報及び該通信機器が指定した通信機器の利用者情報を送信する発信信号送信手段と、前記発信側通知送信手段により送信された前記広告情報または前記制限広告情報を受信する発信側通知受信手段と、前記発信側通知受信手段により受信した前記発信信号より、当該通信機器が指定した通信機器の利用者情報を抽出し、前記表示手段を介して表示する発信側表示手段と、前記発信側通知受信手段により受信した当該広告情報または当該制限広告情報を、起動プログラム登録手段による前記起動プログラムに従って起動し通話呼出通知する発呼報知手段と、前記受信側通知送信手段により送信された前記着信信号及び前記広告情報または前記制限広告情報を受信する受信側通知受信手段と、前記受信側通知受信手段により受信した当該着信信号より、前記発信信号を送信した通信機器の利用者情報を抽出し、前記表示手段を介して表示する受信側表示手段と、前記受信側通知受信手段により受信した当該広告情報または当該制限広告情報を、起動プログラム登録手段による前記起動プログラムに従って起動し通話着信通知する着呼報知手段と、前記発呼報知手段より通話呼出通知した当該広告情報または当該制限広告情報及び該通話呼出通知した通知履歴を登録し記録する発信側履歴登録手段と、前記着呼報知手段より通話着信通知した当該広告情報または当該制限広告情報及び該通話着信通知した通知履歴を登録し記録する受信側履歴登録手段と、前記広告情報を受信した通信機器の再受信要求に関して、前記発信側履歴登録手段及び前記受信側履歴登録手段による通知履歴から選択された前記広告情報または前記制限広告情報を含む再受信要求情報及び該再受信要求情報を送信する当該通信機器の利用者情報を送信する再受信要求送信手段と、前記再受信要求送信手段による前記再受信要求情報及び該再受信要求情報を送信した当該通信機器の利用者情報とともに、該再受信要求情報を送信した送信履歴を登録または更新し記録する再受信要求登録手段と、前記発信側通知送信手段により送信された再受信要求情報に含まれた前記広告情報または前記制限広告情報を受信する再受信情報受信手段と、前記再受信情報受信手段による該広告情報または該制限広告情報及び該広告情報または該制限広告情報を受信した受信履歴を登録または更新し記録する再受信登録手段と、を備えたことを特徴とする広告システム。
【請求項３７】
前記発信信号は、前記広告発信登録手段により選択された広告情報を含み、前記発信信号送信手段は、予め登録された前記通信機器が指定する通信機器の利用者情報ごとに、前記広告発信登録手段による広告情報を選択し登録する指定広告発信登録手段を備えたことを特徴とする請求項３６に記載の広告システム。
【請求項３８】
前記広告情報は、前記発信信号を送信した通信機器が指定した広告情報であるため、前記受信側履歴登録手段は、前記受信側通知受信手段により受信した前記広告情報を通話着信通知として着呼報知するか否かを設定し登録する受信許可登録手段を備えたことを特徴とする請求項３６に記載の広告システム。
【請求項３９】
電話事業会社から提供された通信機器を利用した広告システムであって、各種情報を入力するための入力手段と、操作入力した各種入力情報及び受信情報を表示する表示手段とを備える通信機器において、前記入力手段を介して、前記発信側履歴登録手段及び前記受信側履歴登録手段による通知履歴及び前記再受信登録手段による受信履歴から、前記広告情報に含まれる広告関連情報または前記制限広告情報に含まれる制限広告関連情報を指し示すリンク情報を選択し、予め登録されたサイト閲覧プログラムに送信し、該サイト閲覧プログラムの起動により、該リンク情報のホームページアドレスに接続するリンク情報接続手段を備えたことを特徴とする請求項３６に記載の広告システム。
【請求項４０】
電話事業会社から提供された通信機器を利用した広告システムであって、各種情報を入力するための入力手段と、操作入力した各種入力情報及び受信情報を表示する表示手段とを備える通信機器において、利益還元を享受するにあたり、前記利益還元の受取可否情報を含む受取認証情報を登録または更新し記録する受取認証登録手段と、前記受取認証登録手段による該受取認証情報を送信する受取認証送信手段と、前記利益還元送信手段及び前記利益還元提供実施手段により送信された利益還元実施情報を受信する利益還元享受手段と、前記利益還元享受手段により受信した利益還元実施情報及び該利益還元実施情報を受信した受信履歴を登録または更新し記録する利益還元享受登録手段と、を備えたことを特徴とする請求項３６から３９いずれか記載の広告システム。
【請求項４１】
前記受取認証情報は、該受取認証情報を送信する通信機器の利用者情報を含み、前記受取認証登録手段は、前記受取認証情報を送信する該利用者情報及び該受取認証情報を送信した送信履歴を登録または更新し記録する手段を備えたことを特徴とする請求項４０に記載の広告システム。
【請求項４２】
電話事業会社から提供された通信機器を利用した広告提供プログラムであって、前記広告主側広告配信システムの登録管理サーバにおいて、前記送受信処理プログラムは、予め登録された前記広告管理会社側広告配信システムを識別するための認識コード及び前記通信機器固有の利用者情報の識別によって、各種情報の送受信を処理するステップと、前記識別コード及び前記利用者情報を記憶装置データベースに登録または更新し記録するステップと、前記送受信処理プログラムに基づく制御装置は、送受信される情報を制御し、各種情報を適切な機能へ配信及び管理するステップと、前記通信機器の利用者に提供する広告情報として、前記広告情報登録手段に基づく広告情報登録機能は、前記広告情報を登録または更新し記録するステップと、前記広告情報の利用に伴う利益還元情報を登録及び記録するステップと、前記広告配信要求情報の設定を登録及び記録するステップと、前期広告情報送信手段に基づく広告情報管理機能は、前記適応通信機種に関する情報を含む広告配信要求情報に基づき送信すべき広告情報の選択を実行するステップと、前記広告情報送信手段に基づく広告情報配信機能は、前記広告情報管理機能により選択された前記広告情報を送信するステップと、前記適応通信機種に関する情報を含む広告配信要求情報を送信するステップと、当該利用者に対して利益還元を実施するにあたり、前記利益還元登録手段に基づく利益還元情報管理機能は、前記広告情報の受信に応じて利益還元される前記利益還元実施情報を登録及び記録するステップと、前記利益還元送信手段に基づく利益還元情報配信機能は、前記利益還元情報管理機能により登録された前記利益還元実施情報を送信するステップと、を実行させることを特徴とする広告提供プログラム。
【請求項４３】
電話事業会社から提供された通信機器を利用した広告取得プログラムであって、前記広告主側広告配信システムの登録管理サーバにおいて、前記通信機器の利用者に提供する広告情報として、前記広告情報認証受信手段に基づく前記広告情報配信機能は、前記広告情報認証番号を含む広告情報を受信するステップと、前記広告情報登録機能は、前記広告情報配信機能により受信した広告情報認証番号を含む広告情報を登録または更新し記録するステップと、前記広告情報配信機能により前記広告情報を受信した受信履歴を登録または更新し記録するステップと、前記広告情報配信機能により前記広告情報を送信した送信履歴を登録または更新し記録するステップと、前記広告配信要求情報を設定した設定履歴を登録または更新し記録するステップと、前記広告情報の利用者に関する情報として、前記利用者情報受信手段に基づく利用者情報配信機能は、前記広告情報の受信に応じて課金されるポイントを含む利用者情報を受信するステップと、前記利用者情報登録手段に基づく利用者情報管理機能は、前記利用者情報配信機能により受信した前記利用者情報及び該利用者情報を受信した受信履歴を登録または更新し記録するステップと、当該利用者に対して利益還元を実施するにあたり、前記利益還元情報管理機能は、前記利益還元情報配信機能により利益還元実施情報を送信した送信履歴を登録または更新し記録するステップと、を実行させることを特徴とする広告取得プログラム。
【請求項４４】
電話事業会社から提供された通信機器を利用した広告提供プログラムであって、前記広告管理会社側広告配信システムの登録管理サーバにおいて、前記送受信処理プログラムは、予め登録された前記広告主側広告配信システム及び電話事業会社側広告配信システムとともに、電子通信機器会社側広告配信システムを識別するための認識コードの識別によって、各種情報の送受信を処理するステップと、前記識別コードを記憶装置データベースに登録または更新し記録するステップと、前記送受信処理プログラムに基づく制御装置は、送受信される情報を制御し、各種情報を適切な機能へ配信及び管理するステップと、前記通信機器の利用者に提供する広告情報として、予め登録された前記情報処理プログラムは、前記広告情報受信手段により受信した前記広告情報に、予め登録された放送禁止用語を含む禁止処理プログラムに従って、有効期限情報を含めた広告情報認証番号を発行するステップと、前記出荷要求受信手段により受信した前記制限広告出荷要求情報に基づき、該制限広告出荷要求情報に含まれる制限広告情報に、予め登録された制限広告情報に対して処理する発行処理プログラムに従って、出荷認証番号を発行するステップと、前記認証番号登録手段及び前記広告管理登録手段とともに、前記出荷認証番号登録手段に基づく広告情報管理機能は、前記情報処理プログラムにより発行された広告情報認証番号を含む広告情報を登録または更新し記録するステップと、前記情報処理プログラムにより発行された出荷認証番号を含む制限広告情報を登録または更新し記録するステップと、前記広告認証送信手段及び前記広告管理送信手段とともに、前記出荷認証送信手段に基づく広告情報配信機能は、前記広告情報管理機能により登録された前記広告情報を送信するステップと、前記広告情報管理機能により登録された前記出荷認証番号を含む制限広告情報を送信するステップと、前記広告情報の利用者に関する情報として、前記利用者情報送信手段に基づく利用者情報配信機能は、前記広告情報の受信に応じて課金されるポイントを含む利用者情報を送信するステップと、当該利用者に対して利益還元を実施するにあたり、前記利益還元管理送信手段に基づく利益還元情報配信機能は、前記利益還元実施情報を送信するステップと、を実行させることを特徴とする広告提供プログラム。
【請求項４５】
電話事業会社から提供された通信機器を利用した広告取得プログラムであって、前記広告管理会社側広告配信システムの登録管理サーバにおいて、前記通信機器の利用者に提供する広告情報として、前記広告情報受信手段及び前記出荷要求受信手段に基づく前記広告情報配信機能は、前記広告情報を受信するステップと、前記制限広告情報を含む制限広告出荷要求情報を受信するステップと、前記広告情報管理機能は、前記広告情報配信機能により前記広告情報を受信した受信履歴を登録または更新し記録するステップと、前記広告情報配信機能により前記広告情報を送信した送信履歴を登録または更新し記録するステップと、前記情報処理プログラムにより広告情報認証番号を発行した発行期日を登録または更新し記録するステップと、前記広告出荷要求情報を受信した受信履歴を登録または更新し記録するステップと、前記広告情報配信機能により前記出荷認証番号を含む制限広告情報を送信した送信履歴を登録または更新し記録するステップと、前記情報処理プログラムにより出荷認証番号を発行した発行期日を登録または更新し記録するステップと、前記広告情報の利用者に関する情報として、前記利用者情報受信管理手段に基づく前記利用者情報配信機能は、前記広告情報の受信に応じて課金されるポイントを含む利用者情報を受信するステップと、前記利用者管理登録手段に基づく利用者情報管理機能は、前記利用者情報配信機能により受信した前記利用者情報及び該利用者情報を受信した受信履歴を登録または更新し記録するステップと、前記利用者情報配信機能により前記利用者情報を送信した送信履歴を登録または更新し記録するステップと、当該利用者に対して利益還元を実施するにあたり、前記利益還元受信手段に基づく前記利益還元情報配信機能は、前記利益還元実施情報を受信するステップと、前記利益還元管理登録手段に基づく利益還元情報管理機能は、前記利益還元情報配信機能により受信した利益還元実施情報を登録または更新し記録するステップと、前記利益還元情報配信機能により前記利益還元実施情報を受信した受信履歴を登録または更新し記録するステップと、前記利益還元管理配信機能により前記利益還元実施情報を送信した送信履歴を登録または更新し記録するステップと、を実行させることを特徴とする広告取得プログラム。
【請求項４６】
電話事業会社から提供された通信機器を利用した広告提供プログラムであって、前記電話事業会社側広告配信システムの登録管理サーバにおいて、前記送受信処理プログラムは、予め登録された前記広告管理会社側広告配信システム及び交換機を識別するための識別コードとともに、前記通信機器固有の利用者情報の識別によって、各種情報の送受信を処理するステップと、前記識別コード及び前記利用者情報を記憶装置データベースに登録または更新し記録するステップと、前記送受信処理プログラムに基づく制御装置は、送受信される情報を制御し、各種情報を適切な機能へ配信及び管理するステップと、前記通信機器の利用者に提供する広告情報及び制限広告情報として、前記広告提供登録手段に基づく広告一覧機能は、当該利用者が所有する通信機器から受信した広告利用要求情報に基づき、当該通信機器が利用可能な前記広告情報を前記広告提供登録手段から選択し、該広告情報を一覧にするステップと、予め登録された前記照合プログラムは、前記交換機から受信した前記照合要求情報に基づき、前記広告配布登録手段から利用者情報及び該利用者情報と合致する広告情報を抽出し、抽出した該利用者情報及び該広告情報と前記照合要求情報を送信した通信機器の利用者情報及び該通信機器が指定した広告情報が合致した際には、前記通信機器が指定する広告情報を前記広告配布登録手段から選択するステップと、前記交換機から受信した前記照合要求情報に基づき、前記広告配布登録手段から利用者情報及び該利用者情報と合致する広告情報を抽出し、抽出した該利用者情報及び該広告情報と前記照合要求情報を送信した通信機器の利用者情報及び該通信機器が指定した広告情報が合致しなかった際には、前記広告配布登録手段から所定の制限広告情報を選択するステップと、前記通信機器から受信した前記再受信要求情報に基づき、前記利用履歴登録手段から前記広告情報または前記制限広告情報を送信した利用者情報及び該利用者情報と合致する前記広告情報または前記制限広告情報を抽出し、抽出した該利用者情報及び該広告情報または該制限広告情報と前記再受信要求情報を送信した通信機器の利用者情報及び該通信機器が指定した広告情報または制限広告情報が合致した際には、前記通信機器が指定する広告情報または制限広告情報を前記利用履歴登録手段から選択するステップと、前記通信機器から受信した前記再受信要求情報に基づき、前記利用履歴登録手段から前記広告情報または前記制限広告情報を送信した利用者情報及び該利用者情報と合致する前記広告情報または前記制限広告情報を抽出し、抽出した該利用者情報及び該広告情報または該制限広告情報と前記再受信要求情報を送信した通信機器の利用者情報及び該通信機器が指定した広告情報または制限広告情報が合致しなかった際には、前記利用履歴登録手段から所定の制限広告情報を選択するステップと、前記広告一覧送信手段及び前記広告配布送信手段とともに、前記広告照合送信手段及び前記広告照合再送信手段に基づく広告情報配信機能は、前記広告一覧機能により選択された広告情報の広告一覧を送信するステップと、前記広告情報要求情報を送信した通信機器に前記広告情報認証番号を含む広告情報を送信するステップと、前記照合プログラムによって抽出された前記広告情報または前記制限広告情報を、前記照合要求情報を送信した通信機器に交換機を介して送信するステップと、前記照合プログラムによって抽出された前記広告情報または前記制限広告情報を、前記再受信要求情報を送信した通信機器に交換機を介して送信するステップと、前記広告情報の利用者に関する情報として、前記利用者情報送信管理手段に基づく利用者情報配信機能は、前記広告情報の受信に応じて課金されるポイントを含む利用者情報を送信するステップと、当該利用者に対して利益還元を実施するにあたり、前記利益還元提供送信手段に基づく利益還元情報配信機能は、前記課金情報を含む前記利益還元実施情報を送信するステップと、を実行させることを特徴とする広告提供プログラム。
【請求項４７】
電話事業会社から提供された通信機器を利用した広告取得プログラムであって、前記電話事業会社側広告配信システムの登録管理サーバにおいて、前記通信機器の利用者に提供する広告情報及び制限広告情報として、前記広告管理受信手段及び広告要求受信手段に基づく前記広告情報配信機能は、前記広告情報及び前記制限広告情報を受信するステップと、前記広告利用要求情報を受信するステップと、前記広告情報要求情報を受信するステップと、前記広告情報配信機能により送信した前記広告一覧より選択された前記広告情報及び前記広告情報要求情報を送信した通信機器の利用者情報を受信するステップと、前記照合要求情報を受信するステップと、前記再受信要求情報を受信するステップと、前記広告提供登録手段及び前記広告配布登録手段に基づく前記広告情報管理機能は、前記広告情報配信機能により受信した前記広告情報及び前記制限広告情報を登録または更新し記録するステップと、前記広告情報配信機能により受信した前記広告一覧から選択された広告情報及び前記広告情報要求情報を送信した通信機器の利用者情報を登録または更新し記録するステップと、前記広告情報配信機能により前記広告情報及び前記制限広告情報を受信した受信履歴を登録または更新し記録するステップと、前記広告情報配信機能により前記広告情報または前記制限広告情報を送信した送信履歴を登録または更新し記録するステップと、前記広告利用要求情報を受信した受信履歴を登録または更新し記録するステップと、前記広告情報要求情報を受信した受信履歴を登録または更新し記録するステップと、前記照合要求情報を受信した受信履歴を登録または更新し記録するステップと、前記再受信要求情報を受信した受信履歴を登録または更新し記録するステップと、前記広告情報の利用者に関する情報として、前記利用履歴受信手段に基づく前記利用者情報配信機能は、当該利用者が広告情報を送信または受信した履歴を含む利用者情報を受信するステップと、前記利用履歴登録手段に基づく利用者情報管理機能は、前記利用者情報配信機能により受信した当該利用者が広告情報を送信または受信した履歴を含む利用者情報を登録及び記録するステップと、前記利用者情報配信機能により受信した前記利用者情報及び該利用者情報を受信した受信履歴を登録または更新し記録するステップと、前記利用者情報配信機能により送信した前記利用者情報及び該利用者情報を送信した送信履歴を登録または更新し記録するステップと、前記広告利用配布登録手段に基づく利用配布機能は、前記広告情報配信機能により送信した広告情報及び該広告情報を受信した当該利用者の利用者情報を含む広告利用配布情報を登録または更新し記録するステップと、前記利用課金登録手段に基づく課金情報機能は、広告情報管理機能及び利用者情報管理機能に基づき、送信した前記広告情報または前記制限広告情報の送信履歴及び前記利用者情報に基づき、前記通信機器にて、前記広告情報の送信及び受信に伴って課金されるポイントを含む課金情報を利用者別に登録及び累積し記録するステップと、当該利用者に対して利益還元を実施するにあたり、前記利益還元管理受信手段に基づく前記利益還元情報配信機能は、前記利益還元実施情報を受信するステップと、前記利益還元提供登録手段に基づく利益還元情報管理機能は、前記利益還元情報配信機能により受信した利益還元実施情報を登録または更新し記録するステップと、前記利益還元情報配信機能により前記利益還元実施情報を受信した受信履歴を登録または更新し記録するステップと、前記利益還元管理配信機能により前記利益還元実施情報を送信した送信履歴を登録または更新し記録するステップと、を実行させることを特徴とする広告取得プログラム。
【請求項４８】
電話事業会社から提供された通信機器を利用した広告取得プログラムであって、前記交換機において、前記送受信処理プログラムは、予め登録された前記電話事業会社側広告配信システムを識別するための識別コード及び前記通信機器固有の利用者情報の識別によって、各種情報の送受信を処理するステップと、前記識別コード及び前記利用者情報を記憶装置データベースに登録または更新し記録するステップと、前記送受信処理プログラムに基づく制御装置は、送受信される情報を制御し、各種情報を適切な機能へ配信及び管理するステップと、前記通信機器の利用者に提供する広告情報及び制限広告情報として、前記発信信号受信手段及び前記再受信要求受信手段とともに、前記広告照合受信手段に基づく広告情報配信機能は、前記広告情報または前記制限広告情報を含む発信信号及び該発信信号を送信した通信機器の利用者情報を受信するステップと、前記発信側通知送信手段及び前記受信側通知送信手段により、前記広告情報または前記制限広告情報を受信した通信機器の受信履歴から選択された該広告情報または該制限広告情報を含む再受信要求情報及び該再受信要求情報を送信した通信機器の利用者情報を受信するステップと、前記照合プログラムに基づき送信された前記広告情報または前記制限広告情報を受信するステップと、前記広告情報配信機能に基づく発信信号処理機能は、前記広告情報配信機能により受信した発信信号から、該発信信号を送信した通信機器の利用者情報及び該通信機器の指定した通信機器の利用者情報とともに、前記広告情報または前記制限広告情報を抽出するステップと、前記広告情報配信機能に基づく再受信処理機能は、前記広告情報配信機能により受信した広告情報または制限広告情報を含む前記再受信要求情報及び該再受信要求情報を送信した通信機器の利用者情報を抽出するステップと、前記発信識別手段及び前記再受信処理機能に基づく発信識別処理機能は、前記発信信号処理機能により抽出された前記発信信号を送信した通信機器の利用者情報を識別するステップと、前記再受信処理機能により抽出された前記再受信要求情報を送信した通信機器の利用者情報を識別するステップと前記発信履歴登録手段に基づく広告情報管理機能は、前記広告情報配信機能及び前記発信識別処理機能に基づき、前記発信信号を送信した通信機器の利用者情報及び当該通信機器が指定した通信機器の利用者情報を含む発信信号を登録し記録するステップと、前記広告情報配信機能及び前記発信識別処理機能に基づき、前記再受信処理機能により抽出された該広告情報または該制限広告情報を含む再受信要求情報及び該再受信要求情報を送信した通信機器の利用者情報とともに、該再受信要求情報を受信した受信履歴を登録または更新し記録するステップと、前記広告情報の利用者に関する情報として、前記発信履歴登録手段に基づく利用者情報管理機能は、前記広告情報配信機能及び前記発信識別処理機能に基づき、前記発信信号を送信した通信機器の利用者情報及び当該通信機器が指定した通信機器の利用者情報を含む発信信号を受信した受信履歴を登録または更新し記録するステップと、当該利用者に対して利益還元を実施するにあたり、
前記受取認証受信手段及び前記利益還元提供受信手段に基づく利益還元情報配信機能は、前記広告情報を利用した利用者が所有する通信機器より、利益還元の受取可否情報を含む受取認証情報及び当該通信機器の利用者情報を受信するステップと、前記利益還元提供送信手段により送信された利益還元実施情報を受信するステップと、前記受取認証受信手段に基づく受取認証登録機能は、前記利益還元情報配信機能により受信した利益還元の受取可否情報を含む受取認証情報及び当該通信機器の利用者情報を登録または更新し記録するステップと、を実行させることを特徴とする広告取得プログラム。
【請求項４９】
電話事業会社から提供された通信機器を利用した広告提供プログラムであって、前記交換機において、前記通信機器の利用者に提供する広告情報及び制限広告情報として、前記照合要求登録手段に基づく照合要求登録機能は、前記広告情報管理機能に基づき、前記照合要請情報を含む前記照合要求情報を登録するステップと、前記広告情報管理機能に基づき、前記再受信要求情報を含む前記照合要求情報を登録するステップと、前記発信側通知送信手段及び前記受信側通話送信手段とともに、前記照合要求送信手段に基づく前記広告情報配信機能は前記広告情報配信機能により受信した前記広告情報または前記制限広告情報を、前記発信信号を送信した通信機器に通話呼出情報として送信するステップと、前記広告情報配信機能により受信した前記広告情報または前記制限広告情報を、前記発信信号を送信した通信機器が指定した通信機器に、着信信号とともに通話着信情報として送信するステップと、前記照合要求登録機能により登録された前記照合要請情報を含む前記照合要求情報を送信するステップと、前記照合要求登録機能により登録された前記再受信要求情報を含む前記照合要求情報に基づき、前記広告情報配信機能により受信した前記広告情報または前記制限広告情報を、再受信要求情報を送信した当該通信機器に送信するステップと、前記呼出履歴登録手段及び前記着信履歴登録手段に基づく前記広告情報管理機能は、前記広告情報配信機能により送信した前記広告情報または前記制限広告情報を登録し記録するステップと、前記広告情報配信機能により送信した前記広告情報または前記制限広告情報の送信履歴及び前記再受信要求情報を送信した当該通信機器の利用者情報を登録または更新し記録するステップと、当該利用者に対して利益還元を実施するにあたり、利益還元提供実施手段に基づく前記利益還元情報配信機能は、前記利益還元情報配信機能により受信した利益還元実施情報を送信するステップと、前記提供履歴手段に基づく利益還元情報管理機能は、前記利益還元情報配信機能により利益還元実施情報を送信した送信履歴及び該利益還元実施情報を送信した通信機器の利用者情報を登録または更新し記録するステップと、前記広告情報の利用者に関する情報として、前記呼出履歴登録手段及び前記着信履歴登録手段とともに、前記利用履歴送信登録手段に基づく前記利用者情報管理機能は、前記広告情報配信機能により送信した前記広告情報または前記制限広告情報を送信した送信履歴及び前記発信信号を送信した通信機器の利用者情報を登録または更新し記録するステップと、前記広告情報配信機能により送信した前記広告情報または前記制限広告情報を送信した送信履歴及び前記発信信号を送信した通信機器が指定した通信機器の利用者情報を登録または更新し記録するステップと、前記利用履歴送信手段により送信した当該利用者情報及び当該送信履歴を送信した送信履歴を登録または更新し記録するステップと、前記受取認証登録機能により登録された受取認証情報を含む利用者情報を受信した受信履歴を登録または更新し記録するステップと、前記利益還元情報管理機能により登録された前記利益還元実施情報を送信した当該通信機器の利用者情報及び前記利益還元情報管理機能により登録された該利益還元実施情報を送信した送信履歴を登録または更新し記録するステップと、前記利用履歴送信手段に基づく利用者情報配信機能は、前記利用者情報管理機能により登録された前記広告情報または前記制限広告情報を送信した当該利用者情報及び該広告情報または該制限広告情報を送信した送信履歴を送信するステップと、前記受取認証登録機能により登録された前記受取認証情報を含む利用者情報を送信するステップと、前記利用者情報管理機能により登録された前記利益還元実施情報を送信した当該通信機器の利用者情報及び該利益還元実施情報を送信した送信履歴を送信するステップと、を実行させることを特徴とする広告提供プログラム。
【請求項５０】
電話事業会社から提供された通信機器を利用した広告提供プログラムであって、前記電子通信機器会社側広告配信システムの登録管理サーバにおいて、前記送受信処理プログラムは、予め登録された前記広告管理会社側広告配信システムを識別するための識別コード及び前記通信機器固有の利用者情報の識別によって、各種情報の送受信を処理するステップと、前記識別コード及び前記利用者情報を記憶装置データベースに登録または更新し記録するステップと、前記送受信処理プログラムに基づく制御装置は、送受信される情報を制御し、各種情報を適切な機能へ配信及び管理するステップと、工場出荷状態または前記広告情報の利用を制限した前記通信機器に関して、該通信機器の利用者に提供する制限広告情報として、前記制限広告登録手段及び出荷要求登録手段に基づく制限広告情報管理機能は、前記制限広告情報を登録または更新し記録するステップと、前記出荷要求登録手段による制限広告出荷要求情報を登録するステップと、前記出荷要求登録手段に基づく出荷要求登録機能は、前記制限広告登録手段による前記制限広告情報を含む制限広告出荷要求情報を登録するステップと、前記起動プログラム送信手段に基づく起動プログラム機能は、前記発信側通知送信手段及び前記受信側通知送信手段より送信された前記広告情報または前記制限広告情報が起動する起動プログラムに関して、前記制限広告情報管理機能による前記制限広告情報が問題なく起動する起動プログラムを予め登録または更新し記録するステップと、前記出荷要求送信手段及び前記出荷情報送信手段とともに、前記起動プログラム送信手段に基づく制限広告情報配信機能は、前記制限広告情報管理機能による前記制限広告情報を含む制限広告出荷要求情報を送信するステップと、前記制限広告情報管理機能による前記制限広告情報を送信するステップと、前記起動プログラム機能による前記起動プログラムを送信するステップと、を実行させることを特徴とする広告提供プログラム。
【請求項５１】
電話事業会社から提供された通信機器を利用した広告取得プログラムであって、前記電子通信機器会社側広告配信システムの登録管理サーバにおいて、工場出荷状態または前記広告情報の利用を制限した前記通信機器に関して、該通信機器の利用者に提供する制限広告情報として、前記出荷認証受信手段及び前記動作確認受信手段に基づく前記制限広告情報配信機能は、前記情報処理プログラムに基づき送信された出荷認証番号を含む制限広告情報を受信するステップと、前記制限広告情報配信機能により送信した起動プログラムが、前記通信機器にて、前記広告情報または前記制限広告情報を受信した際に起動した動作確認情報を受信するステップと、前記制限広告登録手段及び出荷情報登録手段に基づき前記制限広告情報管理機能は、前記制限広告情報配信機能により前記制限広告出荷要求情報を送信した送信履歴を登録または更新し記録するステップと、前記制限広告情報配信機能により受信した前記出荷認証番号を含む制限広告情報及び該制限広告情報を受信した受信履歴を登録または更新し記録するステップと、前記制限広告情報配信機能により前記制限広告情報を送信した送信履歴を登録または更新し記録するステップと、を実行させることを特徴とする広告取得プログラム。
【請求項５２】
電話事業会社から提供された通信機器を利用した広告提供プログラムであって、前記通信機器において、前記入力手段に基づく入力テンキー及び入力処理部は、各種情報を入力するステップと、前記表示手段に基づくＬＣＤ及び表示処理部は、操作入力した各種入力情報及び受信情報を表示するステップと、前記送受信処理プログラムに基づく送受信通信制御装置は、予め登録された前記広告主側広告配信システム及び前記電子通信機器会社側広告配信システムとともに、前記交換機及び前記電話事業会社側広告配信システムを識別するための識別コード及び前記通信機器固有の利用者情報の識別によって、各種情報の送受信を処理するステップと、前記送受信した各種情報をＣＰＵと送受信するステップと、前記ＣＰＵは、前記識別コード及び前記利用者情報をメモリに登録または更新し記録するステップと、送受信された情報を制御し、各種情報を適切な機能へ配信及び管理するステップと、前記広告情報を設定するにあたり、前記広告利用登録手段に基づく広告設定機能は、前記広告情報の設定方法を要請する設置要請情報を含む広告利用要求情報を登録するステップと、前記広告利用要求送信手段に基づく制御プログラムは、前記広告設定機能による前記設置要請情報を含む広告利用要求情報を送信するステップと、前記発信信号とともに送信する広告情報を設定するにあたり、前記広告情報要求登録手段及び前記広告利用登録手段に基づく前記広告設定機能は、前記広告一覧受信手段により受信した広告一覧から、指定する通信機器に発信信号とともに送信する広告情報を選択するステップと、前記広告一覧受信手段により受信した広告一覧から選択された前記広告情報及び該広告情報の広告情報認証番号を要請する認証番号要請情報を含む広告情報要求情報を登録するステップと、前記制御プログラムにより前記広告利用要求情報を送信した通信機器の利用者情報及び該広告利用要求情報を送信した送信履歴を登録または更新し記録するステップと、前記広告要求送信手段により前記広告情報要求情報を送信した通信機器の利用者情報及び該広告情報要求情報を送信した送信履歴を登録または更新し記録するステップと、前記広告要求送信手段に基づく前記制御プログラムは、前記広告設定機能による前記認証番号要請情報を含む広告情報要求情報を送信するステップと、前記広告情報または前記制限広告情報を受信した際に起動する起動プログラムの設定に関して、前記動作確認送信手段に基づく前記制御プログラムは、前記起動プログラム登録手段による前記動作確認情報を送信するステップと、前記交換機を介して通信機器双方の通信に関して、前記入力テンキー及び入力処理部は、通信する通信機器を指定するステップと、前記発信信号送信手段に基づく前記制御プログラムは、前記入力テンキー及び入力処理部により指定した通信機器に、前記広告発信登録手段より選択した前記広告情報または前記制限広告情報を含む発信信号とともに、該発信信号を送信する通信機器の利用者情報及び該通信機器が指定した通信機器の利用者情報を送信するステップと、前記広告情報を受信した通信機器の再受信要求に関して、前記再受信要求送信手段に基づく前記制御プログラムは、前記発信側履歴登録手段及び前記受信側履歴登録手段による通知履歴から選択された前記広告情報または前記制限広告情報を含む再受信要求情報及び該再受信要求情報を送信する当該通信機器の利用者情報を送信するステップと、前記再受信要求登録手段に基づく再受信機能は、前記制御プログラムにより送信した前記再受信要求情報及び該再受信要求情報を送信した当該通信機器の利用者情報とともに、該再受信要求情報を送信した送信履歴を登録または更新し記録するステップと、前記指定広告発信登録手段に基づく指定広告機能は、予め登録された前記通信機器が指定する通信機器の利用者情報ごとに、前記広告発信登録手段による広告情報を選択し登録するステップと、前記リンク情報接続手段に基づく前記制御プログラムは、前記入力テンキー及び入力処理部を介して、前記発信側履歴登録手段及び前記受信側履歴登録手段による通知履歴とともに、前記再受信登録手段による受信履歴から、前記広告情報に含まれる広告関連情報または前記制限広告情報に含まれる制限広告関連情報を指し示すリンク情報を選択し送信するステップと、前記入力テンキー及び入力処理部とともに、前記ＬＣＤ及び前記表示処理部を介して、予め記載された二次元コードを受信するステップと、前記リンク情報接続手段に基づく二次元コードプログラムは、前記制御プログラムにより受信した前記二次元コードから二次元コードリンク情報を抽出し送信するステップと、前記リンク情報接続手段に基づくサイト閲覧プログラムは、前記制御プログラムにより前記リンク情報を受信し起動した後、該リンク情報のホームページアドレスに接続するステップと、前記二次元コードプログラムにより送信された前記二次元コードリンク情報を受信し起動した後、該二次元コードリンク情報のアドレスに接続するステップと、利益還元を享受するにあたり、前記受取認証登録手段に基づく受取認証機能は、前記利益還元の受取可否情報を含む受取認証情報を登録または更新し記録するステップと、前記受取認証送信手段に基づく前記制御プログラムは、前記受取認証機能による前記受取認証情報を送信するステップと、を実行させることを特徴とする広告提供プログラム。
【請求項５３】
電話事業会社から提供された通信機器を利用した広告取得プログラムであって、前記通信機器において、前記発信信号とともに送信する広告情報を設定するにあたり、前記広告一覧受信手段及び広告配布受信手段に基づく前記制御プログラムは、前記広告一覧送信手段により送信された広告一覧を受信するステップと、前記広告配布送信手段により送信された広告情報認証番号を含む広告情報を受信するステップと、前記広告発信登録手段及び前記広告情報要求登録手段に基づく前記広告設定機能は、前記制御プログラムにより受信した広告情報認証番号を含む広告情報を登録または更新し記録するステップと、前記制御プログラムにより前記広告情報を含む広告一覧を受信した受信履歴を登録または更新し記録するステップと、前記制御プログラムにより前記広告情報認証番号を含む広告情報を受信した受信履歴を登録または更新し記録するステップと、前記工場出荷状態または前記広告情報の利用を制限した前記通信機器に関して、前記出荷情報受信手段に基づく前記制御プログラムは、前記出荷情報送信手段により送信された前記出荷認証番号を含む制限広告情報を受信するステップと、前記出荷発信登録手段に基づく前記広告設定機能は、前記制御プログラムにより受信した前記出荷認証番号を含む制限広告情報を登録または更新し記録するステップと、前記広告情報または前記制限広告情報を受信した際に起動する起動プログラムの設定に関して、前記起動プログラム受信手段に基づく前記制御プログラムは、前記起動プログラム送信手段により送信された前記広告情報または前記制限広告情報が起動する起動プログラムを受信するステップと、前記起動プログラム登録手段に基づく起動プログラム機能は、前記制御プログラムにより受信した起動プログラムを登録または更新し記録するステップと、前記起動プログラム登録手段に基づく動作確認機能は、前記広告情報または前記制限広告情報を受信した際に、前記起動プログラムが起動した動作確認情報を登録または更新し記録するステップと、前記交換機を介して通信機器双方の通信に関して、前記発信側通知受信手段及び前記発信側表示手段、前記発呼報知手段とともに、前記受信側通知受信手段及び受信側表示手段、前記着呼報知手段に基づく前記制御プログラムは、前記発信側通知送信手段により送信された前記広告情報または前記制限広告情報を受信するステップと、前記発信側通知受信手段により受信した前記発信信号より、前記通信機器が指定した通信機器の利用者情報を抽出するステップと、前記発信側通知受信手段により受信した前記広告情報または前記制限広告情報を、前記起動プログラム機能による起動プログラムに従って起動させ通話呼出通知するステップと、前記受信側通知送信手段により送信された前記着信信号及び前記広告情報または前記制限広告情報を受信するステップと、前記受信側通知受信手段により受信した前記着信信号より、前記発信信号を送信した通信機器の利用者情報を抽出するステップと、前記受信側通知受信手段により受信した前記広告情報または前記制限広告情報を、前記起動プログラム機能による起動プログラムに従って起動させ通知着信通知するステップと、前記発信側表示手段及び前記受信側表示手段に基づく前記ＬＣＤ及び前記表示処理部は、前記制御プログラムにより抽出された前記通信機器が指定した通信機器の利用者情報を表示するステップと、前記制御プログラムにより抽出された前記通信機器の利用者情報を表示するステップと、前記発呼報知手段及び前記着呼報知手段に基づく起動プログラム機能は、前記制御プログラムにより通話呼出通知した前記広告情報または前記制限広告情報を音声・送信音声処理部及び通話・送信音声再生用スピーカを介して通知呼出通知を発声するステップと、前記制御プログラムにより通話着信通知した前記広告情報または前記制限広告情報を着信音声処理部及び着信音声再生用スピーカを介して通知着信通知を発声するステップと、前記発信側履歴登録手段及び前記受信側履歴登録手段に基づく通知・広告情報送受信履歴は、前記制御プログラムにより通話呼出通知した前記広告情報または前記制限広告情報及び該通話呼出通知した通知履歴を登録し記録するステップと、前記制御プログラムにより通話着信通知した前記広告情報または前記制限広告情報及び該通話着信通知した通知履歴を登録し記録するステップと、前記広告情報を受信した通信機器の再受信要求に関して、前記再受信情報受信手段に基づく前記制御プログラムは、前記発信側通知送信手段により送信された再受信要求情報を含まれた前記広告情報または前記制限広告情報を受信するステップと、前記再受信登録手段に基づく前記再受信機能は、前記制御プログラムにより受信した前記広告情報または前記制限広告情報及び該広告情報または該制限広告情報を受信した受信履歴を登録または更新し記録するステップと、前記広告情報は、前記発信信号を送信した通信機器が指定した広告情報であるため、前記受信許可登録手段に基づく受信許可機能は、前記制御プログラムにより受信した前記広告情報を通知着信通知として着呼報知するか否かを設定し登録するステップと、利益還元を享受するにあたり、前記利益還元享受手段に基づく前記制御プログラムは、前記利益還元送信手段及び前記利益還元提供実施手段により送信された利益還元実施情報を受信するステップと、前記利益還元享受登録手段に基づく利益還元機能は、前記制御プログラムにより受信した前記利益還元実施情報及び該利益還元実施情報を受信した受信履歴を登録または更新し記録するステップと、前記受取認証登録手段に基づく受取認証機能は、前記受取認証情報を送信する通信機器の利用者情報及び該受取認証情報を送信した送信履歴を登録または更新し記録するステップと、を実行させることを特徴とする広告取得プログラム。
【請求項５４】
電話事業会社から提供された通信機器を利用した広告方法であって、前記通信機器への広告情報を送信する広告主側広告配信システムにおいて、
前記通信機器を利用する利用者に配布する前記広告情報を登録及び送信する過程と、前記通信機器を利用する利用者が前記広告情報を利用した利用履歴や該通信機器の利用者情報を受信及び登録する過程と、前記通信機器を利用する利用者の前記広告情報の受信や利用頻度に応じて課金する利益還元を直接的に、または、前記通信回線を介して前記広告管理会社側広告配信システム及び前記電話事業会社側広告配信システムを通して間接的に実施する過程と、を備えたことを特徴とする請求項１から請求項５３いずれか記載の広告方法。
【請求項５５】
電話事業会社から提供された通信機器を利用した広告方法であって、前記広告主側広告配信システムより送信された前記広告情報を管理する広告管理会社側広告配信システムにおいて、前記広告主側広告配信システムより送信された前記広告情報を管理及び監督し送信する過程と、前記通信機器を利用する利用者が前記広告情報を利用した利用履歴や該通信機器の利用者情報を受信または登録する過程と、前記広告主側広告配信システムより送信された利益還元情報を登録及び送信する過程と、を備えたことを特徴とする請求項１から請求項５４いずれか記載の広告方法。
【請求項５６】
電話事業会社から提供された通信機器を利用した広告方法であって、前記広告管理会社側広告配信システムより送信された前記広告情報を配布する電話事業会社側広告配信システムにおいて、前記広告管理会社側広告配信システムより送信された前記広告情報を登録及び配布する過程と、
前記通信機器を利用する利用者が前記広告情報を利用した利用履歴及び該通信機器の利用者情報とともに、前記広告情報の利用に伴う利益還元の受取認証情報を受信及び登録し送信する過程と、前記広告情報の受信に応じて、前記通信機器の利用者ごとに課金及び登録し送信する過程と、前記広告管理会社側広告配信システムより送信された利益還元情報を登録及び送信する過程と、を備えたことを特徴とする請求項１から請求項５５いずれか記載の広告方法。
【請求項５７】
電話事業会社から提供された通信機器を利用した広告方法であって、前記広告情報を利用する通信機器を配布する電子通信機器会社側広告配信システムにおいて、前記工場出荷状態または前記広告情報の利用を制限した前記通信機器における送受信情報として、前記制限広告情報を登録及び送信する過程と、前記広告情報または前記制限広告情報を受信した際に起動する起動プログラムを登録及び送信する過程と、前記広告主側広告配信システムより送信された利益還元を享受できるプログラムを登録及び送信する過程と、を備えたことを特徴とする請求項１から請求項５６いずれか記載の広告方法。
【請求項５８】
電話事業会社から提供された通信機器を利用した広告方法であって、前記広告情報を利用する通信機器において、前記通信機器を利用する利用者が前記広告情報または前記制限広告情報を送受信する過程と、前記広告情報の利用に必要な前記通信機器の利用者情報や各種情報を送信する過程と、前記広告情報または前記制限広告情報の受信に伴って、前記起動プログラムに従って発呼報知または着呼報知する過程と、前記広告情報または前記制限広告情報を受信した送受信履歴より、前記広告情報または前記制限広告情報に含まれるリンク情報のアドレスに接続する過程と、前記広告情報の利用に伴う利益還元を享受する過程と、を備えたことを特徴とする請求項１から請求項５７いずれか記載の広告方法。
【発明の詳細な説明】
【技術分野】
【０００１】
本発明は、電話・通信機器などを利用した広告システム及び広告方法に係わるものであり、詳しくは、一般的な固定電話や普及された携帯電話などを利用しているユーザの通信機器端末に、通話を着信させる広告配信システムにおける広告方法と、この広告配信システムを含んで構成される広告システムに関する。
【背景技術】
【０００２】
従来の通信機器の通話機能を維持したままで、広告媒体として広く活用することにより、利用者に対してメディアとしての役割を十分に発揮する手法として、次のようないくつかの手法が提案されている。
【０００３】
また、着信側の通信機器の通話着信通知を、発信側が指定した着信音声や映像で再生し、着信側に着呼報知をする手法として、次のようないくつかの手法も提案されている。
【０００４】
第１の手法は、受信時に着信信号と同時に着信音声データを受信し、即再生できる機能を有する移動電話を普及させた上で、広告を希望する広告主と移動電話事業会社との間に広告仲介会社を設立させて、携帯電話の利用者に広告着信音の選択肢を与えて、利用者が広告着信音を選択した場合には、広告主と広告契約を結んだ広告仲介会社の指定の基に、利用者が選択したあるいは非選択の広告着信音を移動電話事業会社から利用者に配信する手法が、例えば特開２００１−３５２４０３号公報に提案されている。
【０００５】
第２の手法は、ＣＭソングなどの広告のための着信音声を表わす音声データ及び広告のための一連のフレームからなる着信画面のそれぞれを表わす一連の画像データから形成された複合データであって、インターネットに接続された電話機に、音声データが表わす着信音声を音声鳴音手段によって鳴音させ、かつ、着信音声に連動して、一連の画像データが表わす動画の着信画面のそれぞれのフレームを所定のタイミングで表示させるための制御情報を更に有する複合データを、着信メロディなどの音声のダウンロード要求に応じて、インターネットを通じて電話機、特に携帯電話機に送信する手段が、例えば特開２００２−２４７２０６号公報に提案されている。
【０００６】
第３の手法は、移動電話に、移動電話事業会社からの広告の開始の通知を受信する手段、広告を受信する手段、受信した広告をオーディオ出力する手段、移動電話事業会社から広告の終了を受信する手段を持たせる。利用者が移動電話から発呼を行なうと相手が応答するまでの間、音声による広告が出力される手法が、例えば特開平１１−２５２６４５号公報に提案されている。
【０００７】
第４の手法は、通信システムによれば、携帯電話機と登録サーバとの間で登録処理を行うことによって、携帯電話の電話番号に対応する指定データ（着信メロディデータ、画像データ、テキストデータなど）がデータベースサーバに格納され、携帯電話機から発呼された際には、交換機によって、携帯電話機の電話番号に対応づけてデータベースサーバに格納された指定データが取得され、取得された指定データが着呼信号とともに発信先の携帯電話機へ送信され、発信先の携帯電話機において、着呼信号とともに送信された指定データが再生出力される手法が、例えば特開２００３−１７４５１１号公報に提案されている。
【０００８】
第５の手法は、複数の携帯電話と、センターサーバを備えたデータ送信・再生システムであって、センターサーバには、送信用のメロディデータや画像データが携帯電話ごとに格納されており、携帯電話は、送信用データの選択画面及び着信側携帯電話の選択画面を表示するＬＣＤと、各選択画面において、特定の送信用データ及び着信側携帯電話を選択するためのテンキーと、選択された着信側携帯電話に制御信号を送信して、あらかじめ格納されたアプリケーション・プログラムを起動させる手段と、センターサーバに対して、テンキーを介して選択された送信用データを着信側携帯電話に送信するよう要求する手段と、着信側携帯電話に対する発呼を実行する手段と、センターサーバから送信用データが送信された場合に、そのデータを所定のタイミングで再生する手段とを備えた手法が、例えば特開２００３−４６６６４号公報に提案されている。
【０００９】
第６の手法は、発信時にメロディデータ格納メモリからメロディデータを読み出し、着信者番号と発信者番号とともに発信情報に付加して発信する呼情報制御手段と、着信時に着信情報に付加されている発信者番号およびメロディデータを抽出する呼情報抽出手段と、呼情報抽出手段が抽出したメロディデータを発信者番号に対応して格納する着信メロディデータ格納メモリと、着信メロディデータ格納メモリからメロディデータを読み出し、メロディ報知する着信メロディ報知手段とを有する手法が、例えば特開２００１−７９０２号公報に提案されている。
【００１０】
第７の手法は、発信側から送信されたメッセージを解析して、メロディパターンデータ情報を抽出し、メロディパターンデータを基に、スピーカを鳴動させる手法が、例えば特開平１１−３５５３９３号公報に提案されている。
【００１１】
現在では、従来の固定電話を上回る勢いで普及してきている移動電話は、テレビジョンとともに、毎日、利用が欠かせないメディアの代表となってきており、利用者は、特定の年齢層にとらわれることなく、広範囲にわたっている。
ここで、テレビジョンと移動電話を比較した場合、テレビジョンは広告媒体として広く活用され、大きなコマーシャル効果を得ている一方、移動電話はほとんど本来の通話機能に重きをおいた活用がされている。
また、従来の移動電話は、音声データ、画像データを含めた情報量の多い各種のデジタルデータを高速で送受可能な機能を備えているにもかかわらず、ほとんど通話機能以外に重きをおいて活用されているので、広告媒体としての見地からは、活用の度合いが低いため、利用者に対してメディアとしての役割を十分に発揮していない、という問題がある。
すなわち、移動電話は端末装置として、テレビジョンに肩を並べるあるいはテレビジョンを上回る勢いに普及してきているのに対し、広告媒体としての貢献度が著しく低くなっており、移動電話は、前述したような機能を備えた一部の機種においてのみ、広告媒体として活用する試みがなされているに過ぎない。
つまり、従来の技術は、本来の通話機能を維持したままで、広告媒体として広く活用することにより、利用者に対してメディアとしての役割を発揮することができるようにした移動電話を利用した広告方法及び広告システムである。
【特許文献１】特開２００１−３５２４０３号公報
【特許文献２】特開２００２−２４７２０６号公報
【特許文献３】特開平１１−２５２６４５号公報
【特許文献４】特開２００３−１７４５１１号公報
【特許文献５】特開２００３−４６６６４号公報
【特許文献６】特開２００１−７９０２号公報
【特許文献７】特開平１１−３５５３９３号公報
【特許文献８】特開２００４−０８０５５２号公報
【特許文献９】特開２００１−３１９１３１号公報
【特許文献１０】特開２００２−２８８５２８号公報
【特許文献１１】特開２００３−１９６５４０号公報
【特許文献１２】特開２００２−１９９０９９号公報
【発明の開示】
【発明が解決しようとする課題】
【００１２】
上述した第１の手法は、受信時に着信信号と同時に着信音声データを受信し、即再生できる機能を有する移動電話を普及させた上で、広告を希望する広告主と移動電話事業会社との間に広告仲介会社を設立させて、携帯電話の利用者に広告着信音の選択肢を与えて、利用者が広告着信音を選択した場合には、広告主と広告契約を結んだ広告仲介会社の指定の基に、利用者が選択したあるいは非選択の広告着信音を移動電話事業会社から利用者に配信されるので、利用者が広告着信音を再生することは可能であるが、広告を希望する広告主の広告着信音を選択する利用者は、着信に限定される。
【００１３】
また、本来の通話機能を維持したままで、広告媒体として広く活用することにより、利用者に対してメディアとしての役割を十分に発揮するには、より多くの広告着信音を利用者が選択することが重要となるが、１人の利用者が広告着信音をより多く選択する選択数には限界があり、広告媒体の普及率と利用率向上にとって、妨げになる可能性もある。
【００１４】
第２の手法は、ＣＭソングなどの広告のための着信音声を表わす音声データ及び広告のための一連のフレームからなる着信画面のそれぞれを表わす一連の画像データから形成された複合データであって、インターネットに接続された電話機に、音声データが表わす着信音声を音声鳴音手段によって鳴音させ、かつ、着信音声に連動して、一連の画像データが表わす動画の着信画面のそれぞれのフレームを所定のタイミングで表示させるための制御情報を更に有する複合データを、着信メロディなどの音声のダウンロード要求に応じて、インターネットを通じて電話機、特に携帯電話機に送信されるので、着信メロディなどの音声と動画とを組み合わせた従来にない広告効果の高い電話機の着信呼出報知は可能であるが、広告内容は日々、変化しており、利用者は常時、インターネットを通してＣＭソングなどの広告のための着信音声を表わす音声データ及び広告のための一連のフレームからなる着信画面のそれぞれを表わす一連の画像データから形成された複合データをダウンロードしなければならない。
【００１５】
第３の手法は、移動電話に、移動電話事業会社からの広告の開始の通知を受信する手段、広告を受信する手段、受信した広告をオーディオ出力する手段、移動電話事業会社から広告の終了を受信する手段を持たせる。利用者が移動電話から発呼を行なうと相手が応答するまでの間、音声による広告が出力されるので、発呼側の利用者と着呼側の利用者ともに広告を受信することができるが、移動電話の利用者には、どのような内容の広告が受信されるか、事前に告知されないため、広告受信時に利用者同士のコミュニケーションが、通話をする以前に損なう可能性もある。
【００１６】
また、この手法による携帯電話システムでは、通信事業者は、広告主から依頼された広告を利用者の移動局端末に送信することにより、広告主から広告料収入を得ることができる。
この広告料収入を基地局や交換局などの設備の償却あるいは通話または各種のサービスを提供するためのコストに当てることにより、利用者が負担する通信料金や各種サービスの料金を低減させることができるが、広告を受信する利用者は、通信事業者が依頼された広告を選択することができないため、利用者が意図しない広告を受信する可能性がある。
また、通信事業者は、各広告主からの広告料収入を得ることにより、利用者が負担する通信料金や各種サービスの料金を低減させることで、利用者との直接的なコミュニケーションを保つことができるが、各広告主は、広告料により、利用者が負担する通信料金や各種サービスの料金を低減させることでの利用者との直接的なコミュニケーションを保つことができない。
【００１７】
第４の手法は、通信システムによれば、携帯電話機と登録サーバとの間で登録処理を行うことによって、携帯電話の電話番号に対応する指定データ（着信メロディデータ、画像データ、テキストデータなど）がデータベースサーバに格納され、携帯電話機から発呼された際には、交換機によって、携帯電話機の電話番号に対応づけてデータベースサーバに格納された指定データが取得され、取得された指定データが着呼信号とともに発信先の携帯電話機へ送信され、発信先の携帯電話機において、着呼信号とともに送信された指定データが再生出力されるので、着信側の電話機の着信呼出報知動作を発信者の意図に応じて、変化させられるようになるが、着信側の携帯電話別など、発信先の指定データを複数選択することができない。
【００１８】
また、発信側の意図に応じて、着信側の電話機の着信呼出報知動作を変化させられるため、指定データを受信し、再生出力される着信側の利用者は、指定データを受信するか否かの選択権がないため、携帯電話から発呼された際に、着信側の意図が反映されない。
また、携帯電話から発呼された際に、指定データを再生出力される携帯電話は、着信に限定される。
【００１９】
その他に、携帯電話機と登録サーバとの間で登録処理を行っていない場合、または発信元識別手段において該当する指定データがない場合には、着信信号のみを発信先へ送信するため、発信者の意図が、着信側に告知されない可能性がある。
【００２０】
第５の手法は、複数の携帯電話と、センターサーバを備えたデータ送信・再生システムであって、センターサーバには、送信用のメロディデータや画像データが携帯電話ごとに格納されており、携帯電話は、送信用データの選択画面及び着信側携帯電話の選択画面を表示するＬＣＤと、各選択画面において、特定の送信用データ及び着信側携帯電話を選択するためのテンキーと、選択された着信側携帯電話に制御信号を送信して、あらかじめ格納されたアプリケーション・プログラムを起動させる手段と、センターサーバに対して、テンキーを介して選択された送信用データを着信側携帯電話に送信するよう要求する手段と、着信側携帯電話に対する発呼を実行する手段と、センターサーバから送信用データが送信された場合に、そのデータを所定のタイミングで再生する手段とを備えているので、発信者が着信者に対して、任意のメロディデータや画像データを送信するとともに、これらの任意のタイミングで再生させることにより、発信者の個性を表現することが可能となるが、発信側の意図に応じて、着信側携帯電話が発呼するため、受信した着信側は、任意のメロディデータや画像データを受信するか否かの選択権がなく、携帯電話から発呼された際に、着信側の意図が反映されない。
また、携帯電話から発呼された際に、任意のメロディデータや画像データを再生出力される携帯電話は、着信に限定される。
【００２１】
また、発信側の携帯電話に記憶されている任意のメロディデータや画像データなどの送信用データをセンターサーバに対して、テンキーを介して、着信側携帯電話に送信するように要求するため、容量の大きな送信データを送信した際や一斉に異なる発信側携帯電話が使用され、送信データが送信された際、センターサーバに負荷がかかり、任意のメロディデータや画像データを着信側携帯電話に対して発呼を実行する着信発呼報知処理が低速化する可能性がある。
【００２２】
その他に、発信側の携帯電話には任意のメロディデータや画像データなど、複数のデータをメモリに記憶させるため、大容量のメモリが必要となり、また、送信する任意のメロディデータや画像データの内容が、第３者の検査なくして、着信側携帯電話に対する発呼を実行するため、着信側の意に反する任意のメロディデータや画像データが送信される可能性もある。
【００２３】
第６の手法は、発信時にメロディデータ格納メモリからメロディデータを読み出し、着信者番号と発信者番号とともに発信情報に付加して発信する呼情報制御手段と、着信時に着信情報に付加されている発信者番号およびメロディデータを抽出する呼情報抽出手段と、呼情報抽出手段が抽出したメロディデータを発信者番号に対応して格納する着信メロディデータ格納メモリと、着信メロディデータ格納メモリからメロディデータを読み出し、メロディ報知する着信メロディ報知手段とを有するので、発信者が自己固有の着信メロディを指定することが可能な無線電話装置を提供することが可能となるが、発信側の意図に応じて、着信側携帯電話が発呼するため、受信した着信側は、着信メロディデータを受信するか否かの選択権がなく、携帯電話から発呼された際に、着信側の意図が反映されない。
また、携帯電話から発呼された際に、着信メロディデータを再生出力される携帯電話は、着信に限定される。
【００２４】
また、発信側の携帯電話に記憶されている着信メロディデータの内容が、第３者の検査なくして、着信側携帯電話に対する発呼を実行するため、着信側の意に反する着信メロディが送信され、着信側の携帯電話に、発信者番号とともに格納するメモリに記憶される可能性がある。
【００２５】
その他に、発信側が編集した着信メロディは、着信側の携帯電話に、発信者番号とともに格納するメモリに記憶されるため、発信側が編集した着信メロディを着信側が転載・複製して、異なる着信者へ送信される可能性がある。
【００２６】
第７の手法は、発信側から送信されたメッセージを解析して、メロディパターンデータ情報を抽出し、メロディパターンデータを基に、スピーカを鳴動させるので、着信時の着信音として、任意のメロディパターンを鳴動させることで、発信者を特定容易とし、操作を簡易化して、ユーザの利便性を向上させることができる携帯電話機の提供が可能となるが、発信側の意図に応じて、着信側携帯電話が発呼するため、受信した着信側は、メロディパターンを受信するか否かの選択権がなく、携帯電話から発呼された際に着信側の意図が反映されない。
また、発信側が、メロディパターンを編集し、変更することにより、着信側は、発信相手を容易に特定することができない可能性がある。
【００２７】
また、携帯電話から発呼された際に、メロディパターンを再生出力される携帯電話は、着信に限定される。
【００２８】
その他に、発信側の携帯電話に記憶されているメロディパターンの内容が、第３者の検査なくして、着信側携帯電話に対する発呼を実行するため、着信側の意に反するメロディパターンが送信され、着信側の携帯電話に記憶される可能性がある。
【００２９】
また、発信側が編集したメロディパターンは、着信側の携帯電話に記憶されるため、発信側が編集したメロディパターンを着信側が転載・複製して、異なる着信者へ送信される可能性がある。
【００３０】
従来の広告システム及び広告方法にあっては、移動電話が広告媒体として広く活用される目的と、利用者が電話を利用して通話するという使用目的において、その役割を十分に発揮していない、という問題がある。
すなわち、上述したようにテレビジョンと移動電話を比較した場合、テレビジョンが広告媒体として広く活用されて大きなコマーシャル効果を得ているひとつの要因として、テレビジョンを見る、という利用者の使用目的に適しており、利用者が使用上において、多少の熟練を要するものであっても、初心者はもとより中級者レベルの利用者や熟練者においても、簡単に利用でき、その利用上において、広告媒体を活用しているからである。
そこで、本発明は、上述の手法及び事情に鑑みてなされたもので、利用者が電話などを利用して通話するという使用目的に重視し、利用者が使用上において、簡単に広告媒体として広く活用することにより、メディアとしての役割を十分に発揮することができるようにした通信機器を利用した広告システム及び広告方法を提供することを目的としている。
【課題を解決するための手段】
【００３１】
上記の目的を達成するため、本発明の広告システム及び広告方法は、次のような特徴を備えている。
【００３２】
本発明による電話事業会社から提供された通信機器を利用した広告システムであって、広告管理会社側広告配信システムと通信回線を介して接続された広告主側広告配信システムにおいて、広告管理会社側広告配信システムとの通信に関して、予め登録された送受信処理プログラムに従って情報を送受信する通信処理手段と、前記通信機器の利用者に提供する広告情報として、宣伝広告用送着信音声及び映像、広告関連情報を指し示すリンク情報を含む広告情報を登録または更新し記録する広告情報登録手段と、広告主の端末から受信した広告配信要求情報に基づき、前記広告情報登録手段から広告情報を選択し、該広告情報を送信する広告情報送信手段と、広告管理会社側広告配信システムの情報処理プログラムに基づき、広告情報認証番号を含む広告情報を受信する広告認証受信手段と、前記広告情報の利用者に関する情報として、当該利用者が広告情報の受信に応じて課金されるポイントを含む利用者情報を受信する利用者情報受信手段と、該利用者情報を登録及び記録する利用者情報登録手段と、当該利用者に対して利益還元を実施するにあたり、前記広告情報登録手段及び利用者情報登録手段に基づき、前記広告情報の受信に応じて当該利用者に対して利益還元される利益還元実施情報を登録及び記録する利益還元登録手段と、前記利益還元登録手段による利益還元実施情報を送信する利益還元送信手段と、を備えたことを特徴としている。
【００３３】
また、請求項１に記載された広告主側広告配信システムにおいて、前記広告情報は、広告情報の利用に伴う利用者への利益還元情報や前記広告情報認証番号を含む広告情報を含み、前記広告情報登録手段は、広告情報の利用に伴う利益還元情報を登録及び記録する手段と、前記広告認証受信手段により受信した広告情報認証番号を含む広告情報及び該広告情報を受信した受信履歴を登録または更新し記録する手段と、を備えたことを特徴としている。
【００３４】
また、請求項１または２に記載された広告主側広告配信システムにおいて、前記広告配信要求情報は、当該利用者の通信機器にて受信可能な広告情報の適応通信機種に関する情報を含み、前記広告情報送信手段は、広告主の端末から広告配信要求情報を受信した際に、該広告配信要求情報に含まれる適応通信機種に関する情報に基づき、広告管理会社側広告配信システムに送信すべき広告情報の選択を実行する手段と、前記広告情報登録手段は、前記広告配信要求情報の設定を登録及び記録する手段と、前記広告情報送信手段により該広告情報を送信した送信履歴及び該広告配信要求情報を設定した設定履歴を登録または更新し記録する手段と、を備えたことを特徴としている。
【００３５】
また、請求項１から３いずれか記載の広告主側広告配信システムにおいて、前記利用者情報は、当該利用者が前記広告情報を取得した取得履歴や当該利用者が前記広告情報を送信または受信した送受信履歴、前記広告情報の利用に伴う当該利用者への利益還元情報や当該利用者が前記利益還元を受け取るための受取認証情報を含み、前記利用者情報登録手段は、前記利用者情報受信手段による該利用者情報及び該利用者情報を受信した受信履歴を登録または更新し記録する手段を備えたことを特徴としている。
【００３６】
また、請求項１から４いずれか記載の広告主側広告配信システムにおいて、前記利益還元実施情報は、広告情報の受信に応じて利益還元される当該利用者の利用者情報を含み、前記利益還元登録手段は、前記利益還元送信手段による該利益還元実施情報及び該利益還元実施情報を送信した送信履歴を登録または更新し記録する手段を備えたことを特徴としている。
【００３７】
さらに、広告情報を利用した利用者が所有する通信機器と通信回線を介して接続された広告主側広告配信システムにおいて、当該通信機器との通信に関して、予め登録された送受信処理プログラムに従って情報を送受信する通信処理手段と、当該利用者に対して利益還元を実施するにあたり、前記広告情報登録手段及び利用者情報登録手段に基づき、前記利益還元送信手段は、前記利益還元登録手段による利益還元実施情報を、該利益還元実施情報に含まれる利用者情報に従って、当該利用者が所有する通信機器に送信する手段と、前記利益還元登録手段は、前記利益還元送信手段により該利益還元実施情報を送信した送信履歴を登録または更新し記録する手段と、を備えたことを特徴としている。
【００３８】
また、本発明による電話事業会社から提供された通信機器を利用した広告システムであって、広告主側広告配信システムと通信回線を介して接続された広告管理会社側広告配信システムにおいて、広告主側広告配信システムとの通信に関して、予め登録された送受信処理プログラムに従って情報を送受信する通信処理手段と、前記通信機器の利用者に提供する広告情報として、前記広告情報送信手段により送信された前記広告情報を受信する広告情報受信手段と、前記広告情報受信手段より受信した該広告情報に、予め登録された情報処理プログラムに従って広告情報認証番号を発行し登録する認証番号登録手段と、前記認証番号登録手段により発行された広告情報認証番号を含む広告情報を登録及び記録する広告管理登録手段と、前記広告管理登録手段による該広告情報を送信する広告認証送信手段と、前記広告情報の利用者に関する情報として、当該利用者が広告情報の受信に応じて課金されるポイントを含む利用者情報を送信する利用者情報送信手段と、当該利用者に対して利益還元を実施するにあたり、前記利益還元送信手段により送信された利益還元実施情報を受信する利益還元受信手段と、該利益還元実施情報を登録及び記録する利益還元管理登録手段と、を備えたことを特徴としている。
【００３９】
また、電話事業会社側広告配信システムと通信回線を介して接続された広告管理会社側広告配信システムにおいて、電話事業会社側広告配信システムとの通信に関して、予め登録された送受信処理プログラムに従って情報を送受信する通信処理手段と、前記通信機器の利用者に提供する広告情報として、前記広告管理登録手段による前記広告情報を送信する広告管理送信手段と、前記広告情報の利用者に関する情報として、当該利用者が広告情報の受信に応じて課金されるポイントを含む利用者情報を受信する利用者情報受信管理手段と、該利用者情報を登録及び記録する利用者管理登録手段と、当該利用者に対して利益還元を実施するにあたり、前記利益還元管理登録手段に基づき、利益還元実施情報を送信する利益還元管理送信手段と、を備えたことを特徴としている。
【００４０】
また、請求項７または８記載の広告管理会社側広告配信システムにおいて、前記広告情報は、予め登録された情報処理プログラムに従って発行する広告情報認証番号の有効期限情報を含み、前記広告管理登録手段は、前記広告情報受信手段により前記広告情報を受信した受信履歴を登録または更新し記録する手段と、前記認証番号登録手段により発行された広告情報認証番号の有効期限情報を含む広告情報及び該広告情報を登録した登録期日を登録または更新し記録する手段と、前記広告認証送信手段により該広告情報を送信した送信履歴及び前記広告管理送信手段により該広告情報を送信した送信履歴を登録または更新し記録する手段と、を備えたことを特徴としている。
【００４１】
また、請求項７から９いずれか記載の広告管理会社側広告配信システムにおいて、前記利用者情報は、当該利用者が前記広告情報を取得した取得履歴や当該利用者が前記広告情報を送信または受信した送受信履歴、前記広告情報の利用に伴う当該利用者への利益還元情報や当該利用者が前記利益還元を受け取るための受取認証情報を含み、前記利用者管理登録手段は、前記利用者情報受信管理手段による該利用者情報及び該利用者情報を受信した受信履歴を登録または更新し記録する手段と、前記利用者情報送信手段により該利用者情報を送信した送信履歴を登録または更新し記録する手段と、を備えたことを特徴としている。
【００４２】
また、請求項７から１０いずれか記載の広告管理会社側広告配信システムにおいて、前記利益還元実施情報は、広告情報の受信に応じて利益還元される当該利用者の利用者情報を含み、利益還元管理登録手段は、前記利益還元受信手段により該利益還元実施情報を受信した受信履歴及び前記利益還元管理送信手段により該利益還元実施情報を送信した送信履歴を登録または更新し記録する手段と、を備えたことを特徴としている。
【００４３】
さらに、電子通信機器会社側広告配信システムと通信回線を介して接続された広告管理会社側広告配信システムにおいて、電子通信機器会社側広告配信システムとの通信に関して、予め登録された送受信処理プログラムに従って情報を送受信する通信処理手段と、工場出荷状態または前記広告情報の利用を制限した前記通信機器に関して、電子通信機器会社側広告配信システムから送信された制限広告出荷要求情報を受信する出荷要求受信手段と、前記出荷要求受信手段により受信した制限広告出荷要求情報に基づき、予め登録された情報処理プログラムに従って出荷認証番号を発行し登録する出荷認証番号登録手段と、前記出荷認証番号登録手段により発行された出荷認証番号を送信する出荷認証送信手段と、を備えたことを特徴としている。
【００４４】
また、請求項１２記載の広告管理会社側広告配信システムにおいて、前記制限広告出荷要求情報は、工場出荷状態または前記広告情報の利用を制限した通信機器に提供する制限広告情報を含み、前記出荷認証番号登録手段は、電子通信機器会社側広告配信システムから制限広告出荷要求情報を受信した際に、該制限広告出荷要求情報に含まれる前記制限広告情報に、予め登録された情報処理プログラムに従って出荷認証番号を発行し、該出荷認証番号を発行した発行期日及び該出荷認証番号を含む制限広告情報を登録または更新し記録する手段と、該制限広告出荷要求情報を受信した受信履歴を登録または更新し記録する手段と、前記出荷認証送信手段より前記出荷認証番号を含む制限広告情報を送信した送信履歴を登録または更新し記録する手段と、前記出荷認証送信手段は、前記出荷認証番号を含む制限広告情報を送信する手段と、を備えたことを特徴としている。
【００４５】
また、請求項７から１３いずれか記載の広告管理会社側広告配信システムにおいて、前記広告管理送信手段は、前記出荷認証番号登録手段による前記出荷認証番号を含む制限広告情報を電話事業会社側広告配信システムに送信する前記出荷認証送信手段と、前記広告管理登録手段は、前記広告管理送信手段による制限広告情報及び該制限広告情報を送信した送信履歴を登録または更新し記録する前記出荷認証番号登録手段と、を備えたことを特徴としている。
【００４６】
また、本発明による電話事業会社から提供された通信機器を利用した広告システムであって、広告管理会社側広告配信システムと通信回線を介して接続された電話事業会社側広告配信システムにおいて、広告管理会社側広告配信システムとの通信に関して、予め登録された送受信処理プログラムに従って情報を送受信する通信処理手段と、前記通信機器の利用者に提供する広告情報及び制限広告情報として、前記広告管理送信手段により送信された該広告情報及び該制限広告情報を受信する広告管理受信手段と、該広告情報及び該制限広告情報を登録または更新し記録する広告提供登録手段と、前記広告情報の利用者に関する情報として、当該利用者が広告情報の受信に応じて課金されるポイントを含む利用者情報を送信する利用者情報送信管理手段と、当該利用者に対して利益還元を実施するにあたり、前記利益還元管理送信手段により送信された利益還元実施情報を受信する利益還元管理受信手段と、該利益還元実施情報を登録または更新し記録する利益還元提供登録手段と、を備えたことを特徴としている。
【００４７】
また、前記通信機器を利用する利用者が所有する通信機器とインターネットを含む通信回線を介して接続された電話事業会社側広告配信システムにおいて、前記通信機器を利用する利用者が所有する通信機器との通信に関して、予め登録された送受信処理プログラムに従って情報を送受信する通信処理手段と、前記通信機器の利用者に提供する広告情報として、当該利用者が所有する通信機器から受信した広告利用要求情報に基づき、当該通信機器が利用可能な前記広告情報を前記広告提供登録手段から選択し、該広告情報を一覧にした広告一覧を送信する広告一覧送信手段と、当該利用者が所有する通信機器から受信した広告情報要求情報に基づき、前記広告一覧送信手段により送信した該広告一覧から選択された広告情報及び前記広告情報要求情報を送信した通信機器の利用者情報を受信する広告要求受信手段と、前記広告要求受信手段により受信した該広告情報及び該利用者情報を登録または更新し記録する広告配布登録手段と、前記広告配布登録手段に基づき、前記広告情報要求情報を送信した通信機器に前記広告情報認証番号を含む広告情報を送信する広告配布送信手段と、を備えたことを特徴としている。
【００４８】
さらに、交換機と通信回線を介して接続された電話事業会社側広告配信システムにおいて、交換機との通信に関して、予め登録された送受信処理プログラムに従って情報を送受信する通信処理手段と、前記通信機器の利用者に提供する広告情報として、前記交換機から受信した照合要求情報に基づき、予め登録された照合プログラムに従って前記広告配布登録手段から利用者情報を抽出し、該利用者情報と合致する広告情報を送信する広告照合送信手段と、前記広告情報の利用者に関する情報として、当該利用者が広告情報を送信または受信した履歴を含む利用者情報を受信する利用履歴受信手段と、該利用者情報を登録及び記録する利用履歴登録手段と、当該利用者に対して利益還元を実施するにあたり、前記利益還元提供登録手段に基づき、利益還元実施情報を送信する利益還元提供送信手段と、を備えたことを特徴としている。
【００４９】
また、請求項１５から１７いずれか記載の電話事業会社側広告配信システムにおいて、前記広告情報は、広告情報の利用に伴う利用者への利益還元情報や前記広告情報認証番号を含む広告情報を含み、前記制限広告情報は、前記出荷認証番号を含む制限広告情報を含み、前記広告利用要求情報は、当該利用者の通信機器にて該広告情報を送信するための設定要請情報及び該設定要請情報を送信した通信機器の利用者情報を含み、前記広告提供登録手段は、前記広告管理受信手段による該広告情報及び該制限広告情報を受信した受信履歴を登録または更新し記録する手段と、前記通信機器から広告利用要求情報を受信した際に、該広告利用要求情報に含まれる設定要求情報及び利用者情報に基づき、前記広告一覧送信手段による該広告情報を送信した送信履歴及び該広告利用要求情報を受信した受信履歴を登録または更新し記録する手段と、を備えたことを特徴としている。
【００５０】
また、請求項１５から１８いずれか記載の電話事業会社側広告配信システムにおいて、前記広告情報要求情報は、前記広告一覧より選択された前記広告情報の広告情報認証番号を取得するための認証番号要請情報を含み、前記広告配布登録手段は、当該利用者の通信機器から広告情報要求情報を受信した際に、該広告情報要求情報に含まれる認証番号要請情報に基づき、前記広告配布送信手段により前記広告情報認証番号を含む広告情報を送信した送信履歴及び前記広告要求受信手段により該広告情報要求情報を受信した受信履歴を登録または更新し記録する手段を備えたことを特徴としている。
【００５１】
また、請求項１５から１９いずれか記載の電話事業会社側広告配信システムにおいて、前記照合要求情報は、前記広告情報を利用する利用者の通信機器より送信された広告情報及び該通信機器の利用者情報を前記広告配布登録手段と照合するための照合要請情報を含み、前記広告照合送信手段は、前記交換機から照合要求情報を受信した際に、該照合要求情報に含まれる広告情報及び該通信機器の利用者情報に基づき、予め登録された照合プログラムに従って該広告配布登録手段から前記広告情報または前記制限広告情報を選択し送信する手段と、前記広告提供登録手段は、前記広告照合送信手段により該広告情報または該制限広告情報を送信した送信履歴及び該照合要求情報を受信した受信履歴を登録または更新し記録する手段と、を備えたことを特徴としている。
【００５２】
また、請求項１５から２０いずれか記載の電話事業会社側広告配信システムにおいて、前記利用者情報は、当該利用者が前記広告情報を取得した取得履歴や当該利用者が前記広告情報を送信または受信した送受信履歴、前記広告情報の利用に伴う当該利用者への利益還元情報や当該利用者が前記利益還元を受け取るための受取認証情報を含み、前記利用履歴登録手段は、前記利用履歴受信手段により受信した前記利用者情報及び該利用者情報を受信した受信履歴を登録または更新し記録する手段と、前記利用者情報送信管理手段により前記利用者情報を送信した送信履歴を登録または更新し記録する手段と、を備えたことを特徴としている。
【００５３】
また、請求項１５から２１いずれか記載の電話事業会社側広告配信システムにおいて、前記利用履歴登録手段は、前記広告配布登録手段に基づき、前記広告配布送信手段により送信した広告情報及び該広告情報を受信した当該利用者の利用者情報を含む広告利用配布情報を登録または更新し記録する広告利用配布登録手段と、前記広告提供登録手段による前記広告照合送信手段により送信した前記広告情報または前記制限広告情報の送信履歴及び前記利用履歴登録手段による前記通信機器に前記広告情報を送信した送信履歴を含む利用者情報に基づき、前記通信機器にて、前記広告情報の送信及び受信に伴い課金されるポイントを含む課金情報を、該通信機器の利用者別に登録及び累積し記録する利用課金登録手段と、を備えたことを特徴としている。
【００５４】
また、請求項１５から２２いずれか記載の電話事業会社側広告配信システムにおいて、前記利益還元実施情報は、前記利用課金登録手段による課金情報を含む当該利用者の利用者情報を含み、前記利益還元提供送信手段は、当該利用者に対して利益還元を実施するにあたり、前記課金情報を含む利益還元実施情報を送信する手段と、前記利益還元提供登録手段は前記利益還元管理受信手段により該利益還元実施情報を受信した受信履歴及び前記利益還元提供送信手段により該利益還元実施情報を送信した送信履歴を登録または更新し記録する手段と、を備えたことを特徴としている。
【００５５】
また、請求項１５から２３いずれか記載の交換機と通信回線を介して接続された電話事業会社側広告配信システムにおいて、前記通信機器より受信した前記広告情報または前記制限広告情報の再受信要求情報を含む照合要求情報に基づき、予め登録された照合プログラムに従って前記利用履歴登録手段から前記広告情報または前記制限広告情報を送信した利用者情報を抽出し、前記広告提供登録手段より該利用者情報と合致する広告情報または制限広告情報を選択し送信する広告照合再送信手段と、前記広告提供登録手段は、前記広告照合再送信手段により該広告情報または該制限広告情報を送信した送信履歴及び該再受信要求情報を含む照合要求情報を受信した受信履歴を登録または更新し記録する手段と、前記利用課金登録手段は、前記広告提供登録手段による前記広告照合再送信手段により送信した前記広告情報または前記制限広告情報の送信履歴を登録または更新し記録する手段と、前記利用履歴登録手段による前記通信機器に前記広告情報を送信した送信履歴を含む利用者情報に基づき、前記通信機器にて、前記広告情報の受信に伴い課金されるポイントを含む課金情報を該通信機器の利用者別に登録及び累積し記録する手段と、を備えたことを特徴としている。
【００５６】
また、本発明による電話事業会社から提供された通信機器を利用した広告システムであって、前記通信機器と基地局及び通信回線を介して接続された交換機において、前記通信機器を利用する利用者双方の通信に関して、前記広告情報または前記制限広告情報を含む発信信号及び該発信信号を送信した通信機器の利用者情報を受信する発信信号受信手段と、当該通信機器の利用者情報を識別する発信識別手段と、前記発信信号受信手段及び前記発信識別手段に基づき、当該通信機器の利用者情報及び当該通信機器が指定した通信機器の利用者情報を含む発信信号を登録し記録する発信履歴登録手段と、前記発信履歴登録手段に基づき、前記電話事業会社側広告配信システムに送信する照合要請情報を含む前記照合要求情報を登録する照合要求登録手段と、前記電話事業会社側広告配信システムの照合プログラムに従って、前記広告照合送信手段により送信された前記広告情報または前記制限広告情報を、前記発信信号を送信した通信機器に通話呼出情報として送信する発信側通知送信手段と、前記発信信号を送信した通信機器が指定した通信機器に、前記広告照合送信手段により送信された該広告情報または該制限広告情報を、着信信号とともに通話着信情報として送信する受信側通知送信手段と、前記広告情報の利用者に関する情報として、前記発信信号受信手段及び前記発信識別手段に基づき、前記発信信号を送信した通信機器の利用者情報及び当該通信機器が指定した通信機器の利用者情報を含む発信信号を受信した受信履歴を登録または更新し記録する前記発信履歴登録手段と、前記発信信号を送信した通信機器に、前記発信側通知送信手段による前記広告情報または前記制限広告情報を送信した送信履歴及び当該通信機器の利用者情報を登録または更新し記録する呼出履歴登録手段と、前記発信信号を送信した通信機器が指定した通信機器に、前記受信側通知送信手段による前記広告情報または前記制限広告情報を送信した送信履歴及び当該指定された通信機器の利用者情報を登録または更新し記録する着信履歴登録手段と、当該利用者に対して利益還元を実施するにあたり、前記広告情報を利用した利用者が所有する通信機器より、利益還元の受取可否情報を含む受取認証情報及び当該通信機器の利用者情報を受信する受取認証受信手段と、前記利益還元提供送信手段により送信された利益還元実施情報に基づき、前記広告情報を利用した利用者が所有する通信機器に該利益還元実施情報を送信する利益還元提供実施手段と、前記広告情報を受信した通信機器の再受信要求に関して、前記発信側通知送信手段及び前記受信側通知送信手段により、前記広告情報または前記制限広告情報を受信した通信機器の受信履歴から選択された該広告情報または該制限広告情報を含む再受信要求情報及び該再受信要求情報を送信した通信機器の利用者情報を受信する再受信要求受信手段と、を備えたことを特徴としている。
【００５７】
また、電話事業会社側広告配信システムと通信回線を介して接続された交換機において、電話事業会社側広告配信システムとの通信に関して、予め登録された送受信処理プログラムに従って情報を送受信する通信処理手段と、前記通信機器の利用者に提供する広告情報として、前記照合要求登録手段による照合要請情報を含む照合要求情報を送信する照合要求送信手段と、前記電話事業会社側広告配信システムの照合プログラムに基づき、前記広告情報または前記制限広告情報を受信する広告照合受信手段と、前記広告情報の利用者に関する情報として、前記呼出履歴登録手段に基づき、前記広告情報または前記制限広告情報を送信した当該利用者情報及び該広告情報または該制限広告情報を送信した送信履歴とともに、前記着信履歴登録手段に基づき、前記広告情報または前記制限広告情報を送信した当該利用者情報及び該広告情報または該制限広告情報を送信した送信履歴を送信する利用履歴送信手段と、前記利用履歴送信手段により当該利用者情報及び当該送信履歴を送信した送信履歴を登録または更新し記録する利用履歴送信登録手段と、当該利用者に対して利益還元を実施するにあたり、前記利益還元提供送信手段により送信された利益還元実施情報を受信する利益還元提供受信手段と、を備えたことを特徴としている。
【００５８】
また、請求項２５または２６記載の交換機において、前記広告情報は、前記再受信要求受信手段による再受信要求情報及び前記広告情報認証番号を含み、前記制限広告情報は前記再受信要求受信手段による再受信要求情報及び前記出荷認証番号を含み、前記発信識別手段は、前記再受信要求情報を送信した利用者情報を識別する手段と、前記発信履歴登録手段は、前記再受信要求受信手段及び前記発信識別手段に基づき、前記再受信要求情報を送信した当該通信機器の利用者情報及び該再受信要求情報とともに、該再受信要求情報を受信した受信履歴を登録または更新し記録する手段と、前記照合要求登録手段は、前記発信履歴登録手段に基づき、前記電話事業会社側広告配信システムに送信する前記再受信要求情報を含む照合要求情報を登録する手段と、前記発信側通知送信手段は、前記再受信要求情報を含む照合要求情報に基づき、前記広告照合再送信手段により送信された該広告情報または該制限広告情報を、再受信要求情報を送信した当該通信機器に送信する手段と、前記呼出履歴登録手段は、前記発信側通知送信手段により送信した該広告情報または該制限広告情報を登録し記録する手段と、前記再受信要求情報に基づき、前記発信側通知送信手段により送信した該広告情報または該制限広告情報の送信履歴及び該再受信要求情報を送信した当該通信機器の利用者情報を登録または更新し記録する手段と、前記着信履歴登録手段は、前記受信側通知送信手段により送信した該広告情報または該制限広告情報を登録し記録する手段と、を備えたことを特徴としている。
【００５９】
また、請求項２５から２７いずれか記載の交換機において、前記受取認証情報は、前記広告情報の利用に伴う利益還元の享受情報を含み、前記利用履歴送信手段は、前記受取認証情報を含む利用者情報を送信する手段と、前記利用履歴送信登録手段は、前記受取認証受信手段により受信した受取認証情報を含む利用者情報及び該利用者情報を受信した受信履歴を登録または更新し記録する手段と、を備えたことを特徴としている。
【００６０】
また、請求項２５から２８いずれか記載の交換機において、前記利益還元実施情報は、広告情報の受信に応じて課金され利益還元される当該利用者の利用者情報を含み、当該利用者に対して利益還元を実施するにあたり、前記利益還元提供受信手段により受信した利益還元実施情報に基づき、前記広告情報を利用した利用者が所有する通信機器に前記利益還元実施情報を送信した送信履歴及び当該通信機器の利用者情報を登録または更新し記録する提供履歴手段と、前記利用履歴送信手段は、前記利益還元提供実施手段により送信した当該通信機器の利用者情報及び前記提供履歴手段による送信履歴を送信する手段と、前記利用履歴送信登録手段は、前記利益還元提供実施手段により前記利益還元実施情報を送信した当該通信機器の利用者情報及び前記提供履歴手段による送信履歴を登録または更新し記録する手段と、を備えたことを特徴としている。
【００６１】
また、本発明による電話事業会社から提供された通信機器を利用した広告システムであって、広告管理会社側広告配信システムと通信回線を介して接続された電子通信機器会社側広告配信システムにおいて、広告管理会社側広告配信システムとの通信に関して、予め登録された送受信処理プログラムに従って情報を送受信する通信処理手段と、工場出荷状態または前記広告情報の利用を制限した前記通信機器に関して、該通信機器の利用者に提供する制限広告情報として、制限広告用送着信音声及び映像、制限広告関連情報を指し示すリンク情報を含む制限広告情報を登録または更新し記録する制限広告登録手段と、前記制限広告登録手段による制限広告情報を含む制限広告出荷要求情報を登録する出荷要求登録手段と、前記出荷要求登録手段による制限広告情報を含む制限広告出荷要求情報を送信する出荷要求送信手段と、前記広告管理会社側広告配信システムの情報処理プログラムに基づき、出荷認証番号を含む制限広告情報を受信する出荷認証受信手段と、を備えたことを特徴としている。
【００６２】
また、請求項３０記載の電子通信機器会社側広告配信システムにおいて、前記制限広告情報は、前記出荷認証番号を含む制限広告情報を含み、前記制限広告登録手段は、前記出荷要求送信手段により前記制限広告出荷要求情報を送信した送信履歴を登録または更新し記録する手段と、前記出荷認証受信手段により受信した前記出荷認証番号を含む制限広告情報及び該制限広告情報を受信した受信履歴を登録または更新し記録する手段と、を備えたことを特徴としている。
【００６３】
また、工場出荷状態における通信機器と通信回線を介して接続された電子通信機器会社側広告配信システムにおいて、前記通信機器に提供する制限広告情報に関して、予め登録された送受信処理プログラムに従って情報を送受信する通信処理手段と、前記制限広告登録手段による前記制限広告情報を送信する出荷情報送信手段と、前記出荷情報送信手段による該制限広告情報を送信した送信履歴を登録または更新し記録する出荷情報登録手段と、交換機を介して前記通信機器双方の通信に関して、前記発信側通知送信手段及び前記受信側通知送信手段より送信された前記広告情報または前記制限広告情報が起動する起動プログラムを前記通信機器に送信する起動プログラム送信手段と、前記通信機器にて前記広告情報または前記制限広告情報を受信した際に、前記起動プログラムが起動した動作確認情報を該通信機器より受信する動作確認受信手段と、を備えたことを特徴としている。
【００６４】
また、本発明による電話事業会社から提供された通信機器を利用した広告システムであって、各種情報を入力するための入力手段と、操作入力した各種入力情報及び受信情報を表示する表示手段とを備える通信機器において、交換機を介して電話事業会社側広告配信システムとの通信に関して、予め登録された送受信処理プログラムに従って情報を送受信する通信処理手段と、前記広告情報を設定するにあたり、該広告情報の設定方法を要請する設定要請情報を含む広告利用要求情報を登録する広告利用登録手段と、前記広告利用登録手段による前記設定要請情報を含む広告利用要求情報を送信する広告利用要求送信手段と、前記発信信号とともに送信する広告情報を設定するにあたり、前記広告一覧送信手段により送信された広告一覧を受信する広告一覧受信手段と、前記広告一覧受信手段より受信した広告一覧から、指定する通信機器に発信信号とともに送信する広告情報を選択し、前記広告情報及び該広告情報の広告情報認証番号を要請する認証番号要請情報を含む広告情報要求情報を登録する広告情報要求登録手段と、前記広告情報要求登録手段により前記認証番号要請情報を含む広告情報要求情報を送信する広告要求送信手段と、前記広告配布送信手段により送信された広告情報認証番号を含む広告情報を受信する広告配布受信手段と、前記広告配布受信手段により受信した広告情報認証番号を含む広告情報を登録または更新し記録する広告発信登録手段と、を備えたことを特徴としている。
【００６５】
また、請求項３３記載の通信機器において、前記広告利用要求情報は、二次元コードリンク情報及び該広告利用要求情報を送信した通信機器の利用者情報を含み、前記広告情報要求情報は、該広告情報要求情報を送信した通信機器の利用者情報を含み、前記広告利用登録手段は、前記広告利用要求送信手段により該広告利用要求情報を送信した通信機器の利用者情報及び該広告利用要求情報を送信した送信履歴を登録または更新し記録する手段と、前記広告情報要求登録手段は、前記広告一覧受信手段により前記広告情報を含む広告一覧を受信した受信履歴を登録または更新し記録する手段と、前記広告要求送信手段により該広告情報要求情報を送信した通信機器の利用者情報及び該広告情報要求情報を送信した送信履歴を登録または更新し記録する手段と、前記広告発信登録手段は、前記広告配布受信手段により前記広告情報認証番号を含む広告情報を受信した受信履歴を登録または更新し記録する手段と、を備えたことを特徴としている。
【００６６】
また、各種情報を入力するための入力手段と、操作入力した各種入力情報及び受信情報を表示する表示手段とを備える通信機器において、電子通信機器会社側広告配信システムとの通信に関して、予め登録された送受信処理プログラムに従って情報を送受信する通信処理手段と、前記工場出荷状態または前記広告情報の利用を制限した前記通信機器に関して、前記出荷情報送信手段により送信された前記出荷認証番号を含む制限広告情報を受信する出荷情報受信手段と、前記出荷情報受信手段により受信した前記出荷認証番号を含む制限広告情報を登録または更新し記録する出荷発信登録手段と、前記広告情報または前記制限広告情報を受信した際に起動する起動プログラムの設定に関して、前記起動プログラム送信手段より送信された前記広告情報または前記制限広告情報が起動する起動プログラムを受信する起動プログラム受信手段と、前記起動プログラム受信手段により受信した起動プログラム及び前記広告情報または前記制限広告情報を受信した際に、該起動プログラムが起動した動作確認情報を登録または更新し記録する起動プログラム登録手段と、前記起動プログラム登録手段による該動作確認情報を送信する動作確認送信手段と、を備えたことを特徴としている。
【００６７】
さらに、各種情報を入力するための入力手段と、操作入力した各種入力情報及び受信情報を表示する表示手段とを備える通信機器において、交換機を介して前記通信機器双方の通信に関して、前記入力手段を介して、通信する通信機器を指定し、前記広告発信登録手段より選択した前記広告情報または前記制限広告情報を含む発信信号とともに、該発信信号を送信する通信機器の利用者情報及び該通信機器が指定した通信機器の利用者情報を送信する発信信号送信手段と、前記発信側通知送信手段により送信された前記広告情報または前記制限広告情報を受信する発信側通知受信手段と、前記発信側通知受信手段により受信した前記発信信号より、当該通信機器が指定した通信機器の利用者情報を抽出し、前記表示手段を介して表示する発信側表示手段と、前記発信側通知受信手段により受信した当該広告情報または当該制限広告情報を、起動プログラム登録手段による前記起動プログラムに従って起動し通話呼出通知する発呼報知手段と、前記受信側通知送信手段により送信された前記着信信号及び前記広告情報または前記制限広告情報を受信する受信側通知受信手段と、前記受信側通知受信手段により受信した当該着信信号より、前記発信信号を送信した通信機器の利用者情報を抽出し、前記表示手段を介して表示する受信側表示手段と、前記受信側通知受信手段により受信した当該広告情報または当該制限広告情報を、起動プログラム登録手段による前記起動プログラムに従って起動し通話着信通知する着呼報知手段と、前記発呼報知手段より通話呼出通知した当該広告情報または当該制限広告情報及び該通話呼出通知した通知履歴を登録し記録する発信側履歴登録手段と、前記着呼報知手段より通話着信通知した当該広告情報または当該制限広告情報及び該通話着信通知した通知履歴を登録し記録する受信側履歴登録手段と、前記広告情報を受信した通信機器の再受信要求に関して、前記発信側履歴登録手段及び前記受信側履歴登録手段による通知履歴から選択された前記広告情報または前記制限広告情報を含む再受信要求情報及び該再受信要求情報を送信する当該通信機器の利用者情報を送信する再受信要求送信手段と、前記再受信要求送信手段による前記再受信要求情報及び該再受信要求情報を送信した当該通信機器の利用者情報とともに、該再受信要求情報を送信した送信履歴を登録または更新し記録する再受信要求登録手段と、前記発信側通知送信手段により送信された再受信要求情報に含まれた前記広告情報または前記制限広告情報を受信する再受信情報受信手段と、前記再受信情報受信手段による該広告情報または該制限広告情報及び該広告情報または該制限広告情報を受信した受信履歴を登録または更新し記録する再受信登録手段と、を備えたことを特徴としている。
【００６８】
また、請求項３６記載の通信機器において、前記発信信号は、前記広告発信登録手段により選択された広告情報を含み、前記発信信号送信手段は、予め登録された前記通信機器が指定する通信機器の利用者情報ごとに、前記広告発信登録手段による広告情報を選択し登録する指定広告発信登録手段を備えたことを特徴としている。
【００６９】
また、請求項３６記載の通信機器において、前記広告情報は、前記発信信号を送信した通信機器が指定した広告情報であるため、前記受信側履歴登録手段は、前記受信側通知受信手段により受信した前記広告情報を通話着信通知として着呼報知するか否かを設定し登録する受信許可登録手段を備えたことを特徴としている。
【００７０】
また、請求項３６記載の通信機器において、前記入力手段を介して、前記発信側履歴登録手段及び前記受信側履歴登録手段による通知履歴及び前記再受信登録手段による受信履歴から、前記広告情報に含まれる広告関連情報または前記制限広告情報に含まれる制限広告関連情報を指し示すリンク情報を選択し、予め登録されたサイト閲覧プログラムに送信し、該サイト閲覧プログラムの起動により、該リンク情報のホームページアドレスに接続するリンク情報接続手段を備えたことを特徴としている。
【００７１】
また、請求項３６から３９いずれか記載の通信機器において、利益還元を享受するにあたり、前記利益還元の受取可否情報を含む受取認証情報を登録または更新し記録する受取認証登録手段と、前記受取認証登録手段による該受取認証情報を送信する受取認証送信手段と、前記利益還元送信手段及び前記利益還元提供実施手段により送信された利益還元実施情報を受信する利益還元享受手段と、前記利益還元享受手段により受信した利益還元実施情報及び該利益還元実施情報を受信した受信履歴を登録または更新し記録する利益還元享受登録手段と、を備えたことを特徴としている。
【００７２】
また、請求項４０記載の通信機器において、前記受取認証情報は、該受取認証情報を送信する通信機器の利用者情報を含み、前記受取認証登録手段は、前記受取認証情報を送信する該利用者情報及び該受取認証情報を送信した送信履歴を登録または更新し記録する手段を備えたことを特徴としている。
【００７３】
また、本発明による電話事業会社から提供された通信機器を利用した広告提供プログラムであって、広告主側広告配信システムの登録管理サーバにおいて、前記送受信処理プログラムは、予め登録された前記広告管理会社側広告配信システムを識別するための認識コード及び前記通信機器固有の利用者情報の識別によって、各種情報の送受信を処理するステップと、前記識別コード及び前記利用者情報を記憶装置データベースに登録または更新し記録するステップと、前記送受信処理プログラムに基づく制御装置は、送受信される情報を制御し、各種情報を適切な機能へ配信及び管理するステップと、前記通信機器の利用者に提供する広告情報として、前記広告情報登録手段に基づく広告情報登録機能は、前記広告情報を登録または更新し記録するステップと、前記広告情報の利用に伴う利益還元情報を登録及び記録するステップと、前記広告配信要求情報の設定を登録及び記録するステップと、前期広告情報送信手段に基づく広告情報管理機能は、前記適応通信機種に関する情報を含む広告配信要求情報に基づき送信すべき広告情報の選択を実行するステップと、前記広告情報送信手段に基づく広告情報配信機能は、前記広告情報管理機能により選択された前記広告情報を送信するステップと、前記適応通信機種に関する情報を含む広告配信要求情報を送信するステップと、当該利用者に対して利益還元を実施するにあたり、前記利益還元登録手段に基づく利益還元情報管理機能は、前記広告情報の受信に応じて利益還元される前記利益還元実施情報を登録及び記録するステップと、前記利益還元送信手段に基づく利益還元情報配信機能は、前記利益還元情報管理機能により登録された前記利益還元実施情報を送信するステップと、を実行させることを特徴としている。
【００７４】
また、本発明による電話事業会社から提供された通信機器を利用した広告取得プログラムであって、広告主側広告配信システムの登録管理サーバにおいて、前記通信機器の利用者に提供する広告情報として、前記広告情報認証受信手段に基づく前記広告情報配信機能は、前記広告情報認証番号を含む広告情報を受信するステップと、前記広告情報登録機能は、前記広告情報配信機能により受信した広告情報認証番号を含む広告情報を登録または更新し記録するステップと、前記広告情報配信機能により前記広告情報を受信した受信履歴を登録または更新し記録するステップと、前記広告情報配信機能により前記広告情報を送信した送信履歴を登録または更新し記録するステップと、前記広告配信要求情報を設定した設定履歴を登録または更新し記録するステップと、前記広告情報の利用者に関する情報として、前記利用者情報受信手段に基づく利用者情報配信機能は、前記広告情報の受信に応じて課金されるポイントを含む利用者情報を受信するステップと、前記利用者情報登録手段に基づく利用者情報管理機能は、前記利用者情報配信機能により受信した前記利用者情報及び該利用者情報を受信した受信履歴を登録または更新し記録するステップと、当該利用者に対して利益還元を実施するにあたり、前記利益還元情報管理機能は、前記利益還元情報配信機能により利益還元実施情報を送信した送信履歴を登録または更新し記録するステップと、を実行させることを特徴としている。
【００７５】
また、本発明による電話事業会社から提供された通信機器を利用した広告提供プログラムであって、広告管理会社側広告配信システムの登録管理サーバにおいて、前記送受信処理プログラムは、予め登録された前記広告主側広告配信システム及び電話事業会社側広告配信システムとともに、電子通信機器会社側広告配信システムを識別するための認識コードの識別によって、各種情報の送受信を処理するステップと、前記識別コードを記憶装置データベースに登録または更新し記録するステップと、前記送受信処理プログラムに基づく制御装置は、送受信される情報を制御し、各種情報を適切な機能へ配信及び管理するステップと、前記通信機器の利用者に提供する広告情報として、予め登録された前記情報処理プログラムは、前記広告情報受信手段により受信した前記広告情報に、予め登録された放送禁止用語を含む禁止処理プログラムに従って、有効期限情報を含めた広告情報認証番号を発行するステップと、前記出荷要求受信手段により受信した前記制限広告出荷要求情報に基づき、該制限広告出荷要求情報に含まれる制限広告情報に、予め登録された制限広告情報に対して処理する発行処理プログラムに従って、出荷認証番号を発行するステップと、前記認証番号登録手段及び前記広告管理登録手段とともに、前記出荷認証番号登録手段に基づく広告情報管理機能は、前記情報処理プログラムにより発行された広告情報認証番号を含む広告情報を登録または更新し記録するステップと、前記情報処理プログラムにより発行された出荷認証番号を含む制限広告情報を登録または更新し記録するステップと、前記広告認証送信手段及び前記広告管理送信手段とともに、前記出荷認証送信手段に基づく広告情報配信機能は、前記広告情報管理機能により登録された前記広告情報を送信するステップと、前記広告情報管理機能により登録された前記出荷認証番号を含む制限広告情報を送信するステップと、前記広告情報の利用者に関する情報として、前記利用者情報送信手段に基づく利用者情報配信機能は、前記広告情報の受信に応じて課金されるポイントを含む利用者情報を送信するステップと、当該利用者に対して利益還元を実施するにあたり、前記利益還元管理送信手段に基づく利益還元情報配信機能は、前記利益還元実施情報を送信するステップと、を実行させることを特徴としている。
【００７６】
また、本発明による電話事業会社から提供された通信機器を利用した広告取得プログラムであって、広告管理会社側広告配信システムの登録管理サーバにおいて、前記通信機器の利用者に提供する広告情報として、前記広告情報受信手段及び前記出荷要求受信手段に基づく前記広告情報配信機能は、前記広告情報を受信するステップと、前記制限広告情報を含む制限広告出荷要求情報を受信するステップと、前記広告情報管理機能は、前記広告情報配信機能により前記広告情報を受信した受信履歴を登録または更新し記録するステップと、前記広告情報配信機能により前記広告情報を送信した送信履歴を登録または更新し記録するステップと、前記情報処理プログラムにより広告情報認証番号を発行した発行期日を登録または更新し記録するステップと、前記広告出荷要求情報を受信した受信履歴を登録または更新し記録するステップと、前記広告情報配信機能により前記出荷認証番号を含む制限広告情報を送信した送信履歴を登録または更新し記録するステップと、前記情報処理プログラムにより出荷認証番号を発行した発行期日を登録または更新し記録するステップと、前記広告情報の利用者に関する情報として、前記利用者情報受信管理手段に基づく前記利用者情報配信機能は、前記広告情報の受信に応じて課金されるポイントを含む利用者情報を受信するステップと、前記利用者管理登録手段に基づく利用者情報管理機能は、前記利用者情報配信機能により受信した前記利用者情報及び該利用者情報を受信した受信履歴を登録または更新し記録するステップと、前記利用者情報配信機能により前記利用者情報を送信した送信履歴を登録または更新し記録するステップと、当該利用者に対して利益還元を実施するにあたり、前記利益還元受信手段に基づく前記利益還元情報配信機能は、前記利益還元実施情報を受信するステップと、前記利益還元管理登録手段に基づく利益還元情報管理機能は、前記利益還元情報配信機能により受信した利益還元実施情報を登録または更新し記録するステップと、前記利益還元情報配信機能により前記利益還元実施情報を受信した受信履歴を登録または更新し記録するステップと、前記利益還元管理配信機能により前記利益還元実施情報を送信した送信履歴を登録または更新し記録するステップと、を実行させることを特徴としている。
【００７７】
また、本発明による電話事業会社から提供された通信機器を利用した広告提供プログラムであって、電話事業会社側広告配信システムの登録管理サーバにおいて、前記送受信処理プログラムは、予め登録された前記広告管理会社側広告配信システム及び交換機を識別するための識別コードとともに、前記通信機器固有の利用者情報の識別によって、各種情報の送受信を処理するステップと、前記識別コード及び前記利用者情報を記憶装置データベースに登録または更新し記録するステップと、前記送受信処理プログラムに基づく制御装置は、送受信される情報を制御し、各種情報を適切な機能へ配信及び管理するステップと、前記通信機器の利用者に提供する広告情報及び制限広告情報として、前記広告提供登録手段に基づく広告一覧機能は、当該利用者が所有する通信機器から受信した広告利用要求情報に基づき、当該通信機器が利用可能な前記広告情報を前記広告提供登録手段から選択し、該広告情報を一覧にするステップと、予め登録された前記照合プログラムは、前記交換機から受信した前記照合要求情報に基づき、前記広告配布登録手段から利用者情報及び該利用者情報と合致する広告情報を抽出し、抽出した該利用者情報及び該広告情報と前記照合要求情報を送信した通信機器の利用者情報及び該通信機器が指定した広告情報が合致した際には、前記通信機器が指定する広告情報を前記広告配布登録手段から選択するステップと、前記交換機から受信した前記照合要求情報に基づき、前記広告配布登録手段から利用者情報及び該利用者情報と合致する広告情報を抽出し、抽出した該利用者情報及び該広告情報と前記照合要求情報を送信した通信機器の利用者情報及び該通信機器が指定した広告情報が合致しなかった際には、前記広告配布登録手段から所定の制限広告情報を選択するステップと、前記通信機器から受信した前記再受信要求情報に基づき、前記利用履歴登録手段から前記広告情報または前記制限広告情報を送信した利用者情報及び該利用者情報と合致する前記広告情報または前記制限広告情報を抽出し、抽出した該利用者情報及び該広告情報または該制限広告情報と前記再受信要求情報を送信した通信機器の利用者情報及び該通信機器が指定した広告情報または制限広告情報が合致した際には、前記通信機器が指定する広告情報または制限広告情報を前記利用履歴登録手段から選択するステップと、前記通信機器から受信した前記再受信要求情報に基づき、前記利用履歴登録手段から前記広告情報または前記制限広告情報を送信した利用者情報及び該利用者情報と合致する前記広告情報または前記制限広告情報を抽出し、抽出した該利用者情報及び該広告情報または該制限広告情報と前記再受信要求情報を送信した通信機器の利用者情報及び該通信機器が指定した広告情報または制限広告情報が合致しなかった際には、前記利用履歴登録手段から所定の制限広告情報を選択するステップと、前記広告一覧送信手段及び前記広告配布送信手段とともに、前記広告照合送信手段及び前記広告照合再送信手段に基づく広告情報配信機能は、前記広告一覧機能により選択された広告情報の広告一覧を送信するステップと、前記広告情報要求情報を送信した通信機器に前記広告情報認証番号を含む広告情報を送信するステップと、前記照合プログラムによって抽出された前記広告情報または前記制限広告情報を、前記照合要求情報を送信した通信機器に交換機を介して送信するステップと、前記照合プログラムによって抽出された前記広告情報または前記制限広告情報を、前記再受信要求情報を送信した通信機器に交換機を介して送信するステップと、前記広告情報の利用者に関する情報として、前記利用者情報送信管理手段に基づく利用者情報配信機能は、前記広告情報の受信に応じて課金されるポイントを含む利用者情報を送信するステップと、当該利用者に対して利益還元を実施するにあたり、前記利益還元提供送信手段に基づく利益還元情報配信機能は、前記課金情報を含む前記利益還元実施情報を送信するステップと、を実行させることを特徴としている。
【００７８】
また、本発明による電話事業会社から提供された通信機器を利用した広告取得プログラムであって、電話事業会社側広告配信システムの登録管理サーバにおいて、前記通信機器の利用者に提供する広告情報及び制限広告情報として、前記広告管理受信手段及び広告要求受信手段に基づく前記広告情報配信機能は、前記広告情報及び前記制限広告情報を受信するステップと、前記広告利用要求情報を受信するステップと、前記広告情報要求情報を受信するステップと、前記広告情報配信機能により送信した前記広告一覧より選択された前記広告情報及び前記広告情報要求情報を送信した通信機器の利用者情報を受信するステップと、前記照合要求情報を受信するステップと、前記再受信要求情報を受信するステップと、前記広告提供登録手段及び前記広告配布登録手段に基づく前記広告情報管理機能は、前記広告情報配信機能により受信した前記広告情報及び前記制限広告情報を登録または更新し記録するステップと、前記広告情報配信機能により受信した前記広告一覧から選択された広告情報及び前記広告情報要求情報を送信した通信機器の利用者情報を登録または更新し記録するステップと、前記広告情報配信機能により前記広告情報及び前記制限広告情報を受信した受信履歴を登録または更新し記録するステップと、前記広告情報配信機能により前記広告情報または前記制限広告情報を送信した送信履歴を登録または更新し記録するステップと、前記広告利用要求情報を受信した受信履歴を登録または更新し記録するステップと、前記広告情報要求情報を受信した受信履歴を登録または更新し記録するステップと、前記照合要求情報を受信した受信履歴を登録または更新し記録するステップと、前記再受信要求情報を受信した受信履歴を登録または更新し記録するステップと、前記広告情報の利用者に関する情報として、前記利用履歴受信手段に基づく前記利用者情報配信機能は、当該利用者が広告情報を送信または受信した履歴を含む利用者情報を受信するステップと、前記利用履歴登録手段に基づく利用者情報管理機能は、前記利用者情報配信機能により受信した当該利用者が広告情報を送信または受信した履歴を含む利用者情報を登録及び記録するステップと、前記利用者情報配信機能により受信した前記利用者情報及び該利用者情報を受信した受信履歴を登録または更新し記録するステップと、前記利用者情報配信機能により送信した前記利用者情報及び該利用者情報を送信した送信履歴を登録または更新し記録するステップと、前記広告利用配布登録手段に基づく利用配布機能は、前記広告情報配信機能により送信した広告情報及び該広告情報を受信した当該利用者の利用者情報を含む広告利用配布情報を登録または更新し記録するステップと、前記利用課金登録手段に基づく課金情報機能は、広告情報管理機能及び利用者情報管理機能に基づき、送信した前記広告情報または前記制限広告情報の送信履歴及び前記利用者情報に基づき、前記通信機器にて、前記広告情報の送信及び受信に伴って課金されるポイントを含む課金情報を利用者別に登録及び累積し記録するステップと、当該利用者に対して利益還元を実施するにあたり、前記利益還元管理受信手段に基づく前記利益還元情報配信機能は、前記利益還元実施情報を受信するステップと、前記利益還元提供登録手段に基づく利益還元情報管理機能は、前記利益還元情報配信機能により受信した利益還元実施情報を登録または更新し記録するステップと、前記利益還元情報配信機能により前記利益還元実施情報を受信した受信履歴を登録または更新し記録するステップと、前記利益還元管理配信機能により前記利益還元実施情報を送信した送信履歴を登録または更新し記録するステップと、を実行させることを特徴としている。
【００７９】
また、本発明による電話事業会社から提供された通信機器を利用した広告取得プログラムであって、交換機において、前記送受信処理プログラムは、予め登録された前記電話事業会社側広告配信システムを識別するための識別コード及び前記通信機器固有の利用者情報の識別によって、各種情報の送受信を処理するステップと、前記識別コード及び前記利用者情報を記憶装置データベースに登録または更新し記録するステップと、前記送受信処理プログラムに基づく制御装置は、送受信される情報を制御し、各種情報を適切な機能へ配信及び管理するステップと、前記通信機器の利用者に提供する広告情報及び制限広告情報として、前記発信信号受信手段及び前記再受信要求受信手段とともに、前記広告照合受信手段に基づく広告情報配信機能は、前記広告情報または前記制限広告情報を含む発信信号及び該発信信号を送信した通信機器の利用者情報を受信するステップと、前記発信側通知送信手段及び前記受信側通知送信手段により、前記広告情報または前記制限広告情報を受信した通信機器の受信履歴から選択された該広告情報または該制限広告情報を含む再受信要求情報及び該再受信要求情報を送信した通信機器の利用者情報を受信するステップと、前記照合プログラムに基づき送信された前記広告情報または前記制限広告情報を受信するステップと、前記広告情報配信機能に基づく発信信号処理機能は、前記広告情報配信機能により受信した発信信号から、該発信信号を送信した通信機器の利用者情報及び該通信機器が指定した通信機器の利用者情報とともに、前記広告情報または前記制限広告情報を抽出するステップと、前記広告情報配信機能に基づく再受信処理機能は、前記広告情報配信機能により受信した広告情報または制限広告情報を含む前記再受信要求情報及び該再受信要求情報を送信した通信機器の利用者情報を抽出するステップと、前記発信識別手段及び前記再受信処理機能に基づく発信識別処理機能は、前記発信信号処理機能により抽出された前記発信信号を送信した通信機器の利用者情報を識別するステップと、前記再受信処理機能により抽出された前記再受信要求情報を送信した通信機器の利用者情報を識別するステップと、前記発信履歴登録手段に基づく広告情報管理機能は、前記広告情報配信機能及び前記発信識別処理機能に基づき、前記発信信号を送信した通信機器の利用者情報及び当該通信機器が指定した通信機器の利用者情報を含む発信信号を登録し記録するステップと、前記広告情報配信機能及び前記発信識別処理機能に基づき、前記再受信処理機能により抽出された該広告情報または該制限広告情報を含む再受信要求情報及び該再受信要求情報を送信した通信機器の利用者情報とともに、該再受信要求情報を受信した受信履歴を登録または更新し記録するステップと、前記広告情報の利用者に関する情報として、前記発信履歴登録手段に基づく利用者情報管理機能は、前記広告情報配信機能及び前記発信識別処理機能に基づき、前記発信信号を送信した通信機器の利用者情報及び当該通信機器が指定した通信機器の利用者情報を含む発信信号を受信した受信履歴を登録または更新し記録するステップと、当該利用者に対して利益還元を実施するにあたり、前記受取認証受信手段及び前記利益還元提供受信手段に基づく利益還元情報配信機能は、前記広告情報を利用した利用者が所有する通信機器より、利益還元の受取可否情報を含む受取認証情報及び当該通信機器の利用者情報を受信するステップと、前記利益還元提供送信手段により送信された利益還元実施情報を受信するステップと、前記受取認証受信手段に基づく受取認証登録機能は、前記利益還元情報配信機能により受信した利益還元の受取可否情報を含む受取認証情報及び当該通信機器の利用者情報を登録または更新し記録するステップと、を実行させることを特徴としている。
【００８０】
また、本発明による電話事業会社から提供された通信機器を利用した広告提供プログラムであって、交換機において、前記通信機器の利用者に提供する広告情報及び制限広告情報として、前記照合要求登録手段に基づく照合要求登録機能は、前記広告情報管理機能に基づき、前記照合要請情報を含む前記照合要求情報を登録するステップと、前記広告情報管理機能に基づき、前記再受信要求情報を含む前記照合要求情報を登録するステップと、前記発信側通知送信手段及び前記受信側通話送信手段とともに、前記照合要求送信手段に基づく前記広告情報配信機能は、前記広告情報配信機能により受信した前記広告情報または前記制限広告情報を、前記発信信号を送信した通信機器に通話呼出情報として送信するステップと、前記広告情報配信機能により受信した前記広告情報または前記制限広告情報を、前記発信信号を送信した通信機器が指定した通信機器に、着信信号とともに通話着信情報として送信するステップと、前記照合要求登録機能により登録された前記照合要請情報を含む前記照合要求情報を送信するステップと、前記照合要求登録機能により登録された前記再受信要求情報を含む前記照合要求情報に基づき、前記広告情報配信機能により受信した前記広告情報または前記制限広告情報を、再受信要求情報を送信した当該通信機器に送信するステップと、前記呼出履歴登録手段及び前記着信履歴登録手段に基づく前記広告情報管理機能は、前記広告情報配信機能により送信した前記広告情報または前記制限広告情報を登録し記録するステップと、前記広告情報配信機能により送信した前記広告情報または前記制限広告情報の送信履歴及び前記再受信要求情報を送信した当該通信機器の利用者情報を登録または更新し記録するステップと、当該利用者に対して利益還元を実施するにあたり、利益還元提供実施手段に基づく前記利益還元情報配信機能は、前記利益還元情報配信機能により受信した利益還元実施情報を送信するステップと、前記提供履歴手段に基づく利益還元情報管理機能は、前記利益還元情報配信機能により利益還元実施情報を送信した送信履歴及び該利益還元実施情報を送信した通信機器の利用者情報を登録または更新し記録するステップと、前記広告情報の利用者に関する情報として、前記呼出履歴登録手段及び前記着信履歴登録手段とともに、前記利用履歴送信登録手段に基づく前記利用者情報管理機能は、前記広告情報配信機能により送信した前記広告情報または前記制限広告情報を送信した送信履歴及び前記発信信号を送信した通信機器の利用者情報を登録または更新し記録するステップと、前記広告情報配信機能により送信した前記広告情報または前記制限広告情報を送信した送信履歴及び前記発信信号を送信した通信機器が指定した通信機器の利用者情報を登録または更新し記録するステップと、前記利用履歴送信手段により送信した当該利用者情報及び当該送信履歴を送信した送信履歴を登録または更新し記録するステップと、前記受取認証登録機能により登録された受取認証情報を含む利用者情報を受信した受信履歴を登録または更新し記録するステップと、前記利益還元情報管理機能により登録された前記利益還元実施情報を送信した当該通信機器の利用者情報及び前記利益還元情報管理機能により登録された該利益還元実施情報を送信した送信履歴を登録または更新し記録するステップと、前記利用履歴送信手段に基づく利用者情報配信機能は、前記利用者情報管理機能により登録された前記広告情報または前記制限広告情報を送信した当該利用者情報及び該広告情報または該制限広告情報を送信した送信履歴を送信するステップと、前記受取認証登録機能により登録された前記受取認証情報を含む利用者情報を送信するステップと、前記利用者情報管理機能により登録された前記利益還元実施情報を送信した当該通信機器の利用者情報及び該利益還元実施情報を送信した送信履歴を送信するステップと、を実行させることを特徴としている。
【００８１】
また、本発明による電話事業会社から提供された通信機器を利用した広告提供プログラムであって、電子通信機器会社側広告配信システムの登録管理サーバにおいて、前記送受信処理プログラムは、予め登録された前記広告管理会社側広告配信システムを識別するための識別コード及び前記通信機器固有の利用者情報の識別によって、各種情報の送受信を処理するステップと、前記識別コード及び前記利用者情報を記憶装置データベースに登録または更新し記録するステップと、前記送受信処理プログラムに基づく制御装置は、送受信される情報を制御し、各種情報を適切な機能へ配信及び管理するステップと、工場出荷状態または前記広告情報の利用を制限した前記通信機器に関して、該通信機器の利用者に提供する制限広告情報として、前記制限広告登録手段及び出荷要求登録手段に基づく制限広告情報管理機能は、前記制限広告情報を登録または更新し記録するステップと、前記出荷要求登録手段による制限広告出荷要求情報を登録するステップと、前記出荷要求登録手段に基づく出荷要求登録機能は、前記制限広告登録手段による前記制限広告情報を含む制限広告出荷要求情報を登録するステップと、前記起動プログラム送信手段に基づく起動プログラム機能は、前記発信側通知送信手段及び前記受信側通知送信手段より送信された前記広告情報または前記制限広告情報が起動する起動プログラムに関して、前記制限広告情報管理機能による前記制限広告情報が問題なく起動する起動プログラムを予め登録または更新し記録するステップと、前記出荷要求送信手段及び前記出荷情報送信手段とともに、前記起動プログラム送信手段に基づく制限広告情報配信機能は、前記制限広告情報管理機能による前記制限広告情報を含む制限広告出荷要求情報を送信するステップと、前記制限広告情報管理機能による前記制限広告情報を送信するステップと、前記起動プログラム機能による前記起動プログラムを送信するステップと、を実行させることを特徴としている。
【００８２】
また、本発明による電話事業会社から提供された通信機器を利用した広告取得プログラムであって、電子通信機器会社側広告配信システムの登録管理サーバにおいて、工場出荷状態または前記広告情報の利用を制限した前記通信機器に関して、該通信機器の利用者に提供する制限広告情報として、前記出荷認証受信手段及び前記動作確認受信手段に基づく前記制限広告情報配信機能は、前記情報処理プログラムに基づき送信された出荷認証番号を含む制限広告情報を受信するステップと、前記制限広告情報配信機能により送信した起動プログラムが、前記通信機器にて、前記広告情報または前記制限広告情報を受信した際に起動した動作確認情報を受信するステップと、前記制限広告登録手段及び出荷情報登録手段に基づき前記制限広告情報管理機能は、前記制限広告情報配信機能により前記制限広告出荷要求情報を送信した送信履歴を登録または更新し記録するステップと、前記制限広告情報配信機能により受信した前記出荷認証番号を含む制限広告情報及び該制限広告情報を受信した受信履歴を登録または更新し記録するステップと、前記制限広告情報配信機能により前記制限広告情報を送信した送信履歴を登録または更新し記録するステップと、を実行させることを特徴としている。
【００８３】
また、本発明による電話事業会社から提供された通信機器を利用した広告提供プログラムであって、通信機器において、前記入力手段に基づく入力テンキー及び入力処理部は、各種情報を入力するステップと、前記表示手段に基づくＬＣＤ及び表示処理部は、操作入力した各種入力情報及び受信情報を表示するステップと、前記送受信処理プログラムに基づく送受信通信制御装置は、予め登録された前記広告主側広告配信システム及び前記電子通信機器会社側広告配信システムとともに、前記交換機及び前記電話事業会社側広告配信システムを識別するための識別コード及び前記通信機器固有の利用者情報の識別によって、各種情報の送受信を処理するステップと、前記送受信した各種情報をＣＰＵと送受信するステップと、前記ＣＰＵは、前記識別コード及び前記利用者情報をメモリに登録または更新し記録するステップと、送受信された情報を制御し、各種情報を適切な機能へ配信及び管理するステップと、前記広告情報を設定するにあたり、前記広告利用登録手段に基づく広告設定機能は、前記広告情報の設定方法を要請する設置要請情報を含む広告利用要求情報を登録するステップと、前記広告利用要求送信手段に基づく制御プログラムは、前記広告設定機能による前記設置要請情報を含む広告利用要求情報を送信するステップと、前記発信信号とともに送信する広告情報を設定するにあたり、前記広告情報要求登録手段及び前記広告利用登録手段に基づく前記広告設定機能は、前記広告一覧受信手段により受信した広告一覧から、指定する通信機器に発信信号とともに送信する広告情報を選択するステップと、前記広告一覧受信手段により受信した広告一覧から選択された前記広告情報及び該広告情報の広告情報認証番号を要請する認証番号要請情報を含む広告情報要求情報を登録するステップと、前記制御プログラムにより前記広告利用要求情報を送信した通信機器の利用者情報及び該広告利用要求情報を送信した送信履歴を登録または更新し記録するステップと、前記広告要求送信手段により前記広告情報要求情報を送信した通信機器の利用者情報及び該広告情報要求情報を送信した送信履歴を登録または更新し記録するステップと、前記広告要求送信手段に基づく前記制御プログラムは、前記広告設定機能による前記認証番号要請情報を含む広告情報要求情報を送信するステップと、前記広告情報または前記制限広告情報を受信した際に起動する起動プログラムの設定に関して、前記動作確認送信手段に基づく前記制御プログラムは、前記起動プログラム登録手段による前記動作確認情報を送信するステップと、前記交換機を介して通信機器双方の通信に関して、前記入力テンキー及び入力処理部は、通信する通信機器を指定するステップと、前記発信信号送信手段に基づく前記制御プログラムは、前記入力テンキー及び入力処理部により指定した通信機器に、前記広告発信登録手段より選択した前記広告情報または前記制限広告情報を含む発信信号とともに、該発信信号を送信する通信機器の利用者情報及び該通信機器が指定した通信機器の利用者情報を送信するステップと、前記広告情報を受信した通信機器の再受信要求に関して、前記再受信要求送信手段に基づく前記制御プログラムは、前記発信側履歴登録手段及び前記受信側履歴登録手段による通知履歴から選択された前記広告情報または前記制限広告情報を含む再受信要求情報及び該再受信要求情報を送信する当該通信機器の利用者情報を送信するステップと、前記再受信要求登録手段に基づく再受信機能は、前記制御プログラムにより送信した前記再受信要求情報及び該再受信要求情報を送信した当該通信機器の利用者情報とともに、該再受信要求情報を送信した送信履歴を登録または更新し記録するステップと、前記指定広告発信登録手段に基づく指定広告機能は、予め登録された前記通信機器が指定する通信機器の利用者情報ごとに、前記広告発信登録手段による広告情報を選択し登録するステップと、前記リンク情報接続手段に基づく前記制御プログラムは、前記入力テンキー及び入力処理部を介して、前記発信側履歴登録手段及び前記受信側履歴登録手段による通知履歴とともに、前記再受信登録手段による受信履歴から、前記広告情報に含まれる広告関連情報または前記制限広告情報に含まれる制限広告関連情報を指し示すリンク情報を選択し送信するステップと、前記入力テンキー及び入力処理部とともに、前記ＬＣＤ及び前記表示処理部を介して、予め記載された二次元コードを受信するステップと、前記リンク情報接続手段に基づく二次元コードプログラムは、前記制御プログラムにより受信した前記二次元コードから二次元コードリンク情報を抽出し送信するステップと、前記リンク情報接続手段に基づくサイト閲覧プログラムは、前記制御プログラムにより前記リンク情報を受信し起動した後、該リンク情報のホームページアドレスに接続するステップと、前記二次元コードプログラムにより送信された前記二次元コードリンク情報を受信し起動した後、該二次元コードリンク情報のアドレスに接続するステップと、利益還元を享受するにあたり、前記受取認証登録手段に基づく受取認証機能は、前記利益還元の受取可否情報を含む受取認証情報を登録または更新し記録するステップと、前記受取認証送信手段に基づく前記制御プログラムは、前記受取認証機能による前記受取認証情報を送信するステップと、を実行させることを特徴としている。
【００８４】
また、本発明による電話事業会社から提供された通信機器を利用した広告取得プログラムであって、通信機器において、前記発信信号とともに送信する広告情報を設定するにあたり、前記広告一覧受信手段及び広告配布受信手段に基づく前記制御プログラムは、前記広告一覧送信手段により送信された広告一覧を受信するステップと、前記広告配布送信手段により送信された広告情報認証番号を含む広告情報を受信するステップと、前記広告発信登録手段及び前記広告情報要求登録手段に基づく前記広告設定機能は、前記制御プログラムにより受信した広告情報認証番号を含む広告情報を登録または更新し記録するステップと、前記制御プログラムにより前記広告情報を含む広告一覧を受信した受信履歴を登録または更新し記録するステップと、前記制御プログラムにより前記広告情報認証番号を含む広告情報を受信した受信履歴を登録または更新し記録するステップと、前記工場出荷状態または前記広告情報の利用を制限した前記通信機器に関して、前記出荷情報受信手段に基づく前記制御プログラムは、前記出荷情報送信手段により送信された前記出荷認証番号を含む制限広告情報を受信するステップと、前記出荷発信登録手段に基づく前記広告設定機能は、前記制御プログラムにより受信した前記出荷認証番号を含む制限広告情報を登録または更新し記録するステップと、前記広告情報または前記制限広告情報を受信した際に起動する起動プログラムの設定に関して、前記起動プログラム受信手段に基づく前記制御プログラムは、前記起動プログラム送信手段により送信された前記広告情報または前記制限広告情報が起動する起動プログラムを受信するステップと、前記起動プログラム登録手段に基づく起動プログラム機能は、前記制御プログラムにより受信した起動プログラムを登録または更新し記録するステップと、前記起動プログラム登録手段に基づく動作確認機能は、前記広告情報または前記制限広告情報を受信した際に、前記起動プログラムが起動した動作確認情報を登録または更新し記録するステップと、前記交換機を介して通信機器双方の通信に関して、前記発信側通知受信手段及び前記発信側表示手段、前記発呼報知手段とともに、前記受信側通知受信手段及び受信側表示手段、前記着呼報知手段に基づく前記制御プログラムは、前記発信側通知送信手段により送信された前記広告情報または前記制限広告情報を受信するステップと、前記発信側通知受信手段により受信した前記発信信号より、前記通信機器が指定した通信機器の利用者情報を抽出するステップと、前記発信側通知受信手段により受信した前記広告情報または前記制限広告情報を、前記起動プログラム機能による起動プログラムに従って起動させ通話呼出通知するステップと、前記受信側通知送信手段により送信された前記着信信号及び前記広告情報または前記制限広告情報を受信するステップと、前記受信側通知受信手段により受信した前記着信信号より、前記発信信号を送信した通信機器の利用者情報を抽出するステップと、前記受信側通知受信手段により受信した前記広告情報または前記制限広告情報を、前記起動プログラム機能による起動プログラムに従って起動させ通知着信通知するステップと、前記発信側表示手段及び前記受信側表示手段に基づく前記ＬＣＤ及び前記表示処理部は、前記制御プログラムにより抽出された前記通信機器が指定した通信機器の利用者情報を表示するステップと、前記制御プログラムにより抽出された前記通信機器の利用者情報を表示するステップと、前記発呼報知手段及び前記着呼報知手段に基づく起動プログラム機能は、前記制御プログラムにより通話呼出通知した前記広告情報または前記制限広告情報を音声・送信音声処理部及び通話・送信音声再生用スピーカを介して通知呼出通知を発声するステップと、前記制御プログラムにより通話着信通知した前記広告情報または前記制限広告情報を着信音声処理部及び着信音声再生用スピーカを介して通知着信通知を発声するステップと、前記発信側履歴登録手段及び前記受信側履歴登録手段に基づく通知・広告情報送受信履歴は、前記制御プログラムにより通話呼出通知した前記広告情報または前記制限広告情報及び該通話呼出通知した通知履歴を登録し記録するステップと、前記制御プログラムにより通話着信通知した前記広告情報または前記制限広告情報及び該通話着信通知した通知履歴を登録し記録するステップと、前記広告情報を受信した通信機器の再受信要求に関して、前記再受信情報受信手段に基づく前記制御プログラムは、前記発信側通知送信手段により送信された再受信要求情報を含まれた前記広告情報または前記制限広告情報を受信するステップと、前記再受信登録手段に基づく前記再受信機能は、前記制御プログラムにより受信した前記広告情報または前記制限広告情報及び該広告情報または該制限広告情報を受信した受信履歴を登録または更新し記録するステップと、前記広告情報は、前記発信信号を送信した通信機器が指定した広告情報であるため、前記受信許可登録手段に基づく受信許可機能は、前記制御プログラムにより受信した前記広告情報を通知着信通知として着呼報知するか否かを設定し登録するステップと、利益還元を享受するにあたり、前記利益還元享受手段に基づく前記制御プログラムは、前記利益還元送信手段及び前記利益還元提供実施手段により送信された利益還元実施情報を受信するステップと、前記利益還元享受登録手段に基づく利益還元機能は、前記制御プログラムにより受信した前記利益還元実施情報及び該利益還元実施情報を受信した受信履歴を登録または更新し記録するステップと、前記受取認証登録手段に基づく受取認証機能は、前記受取認証情報を送信する通信機器の利用者情報及び該受取認証情報を送信した送信履歴を登録または更新し記録するステップと、を実行させることを特徴としている。
【００８５】
また、本発明による電話事業会社から提供された通信機器を利用した広告方法であって、前記通信機器への広告情報を送信する広告主側広告配信システムにおいて、前記通信機器を利用する利用者に配布する前記広告情報を登録及び送信する過程と、前記通信機器を利用する利用者が前記広告情報を利用した利用履歴や該通信機器の利用者情報を受信及び登録する過程と、前記通信機器を利用する利用者の前記広告情報の受信や利用頻度に応じて課金する利益還元を直接的に、または、前記通信回線を介して前記広告管理会社側広告配信システム及び前記電話事業会社側広告配信システムを通して間接的に実施する過程と、を備えたことを特徴としている。
【００８６】
また、本発明による電話事業会社から提供された通信機器を利用した広告方法であって、前記広告主側広告配信システムより送信された前記広告情報を管理する広告管理会社側広告配信システムにおいて、前記広告主側広告配信システムより送信された前記広告情報を管理及び監督し送信する過程と、前記通信機器を利用する利用者が前記広告情報を利用した利用履歴や該通信機器の利用者情報を受信または登録する過程と、前記広告主側広告配信システムより送信された利益還元情報を登録及び送信する過程と、を備えたことを特徴としている。
【００８７】
また、本発明による電話事業会社から提供された通信機器を利用した広告方法であって、前記広告管理会社側広告配信システムより送信された前記広告情報を配布する電話事業会社側広告配信システムにおいて、前記広告管理会社側広告配信システムより送信された広告情報を登録及び配布する過程と、前記通信機器を利用する利用者が前記広告情報を利用した利用履歴及び該通信機器の利用者情報とともに、前記広告情報の利用に伴う利益還元の受取認証情報を受信及び登録し送信する過程と、前記広告情報の受信に応じて、前記通信機器の利用者ごとに課金及び登録し送信する過程と、前記広告管理会社側広告配信システムより送信された利益還元情報を登録及び送信する過程と、を備えたことを特徴としている。
【００８８】
また、本発明による電話事業会社から提供された通信機器を利用した広告方法であって、前記広告情報を利用する通信機器を配布する電子通信機器会社側広告配信システムにおいて、前記工場出荷状態または前記広告情報の利用を制限した前記通信機器における送受信情報として、前記制限広告情報を登録及び送信する過程と、前記広告情報または前記制限広告情報を受信した際に起動する起動プログラムを登録及び送信する過程と、前記広告主側広告配信システムより送信された利益還元を享受できるプログラムを登録及び送信する過程と、を備えたことを特徴としている。
【００８９】
また、本発明による電話事業会社から提供された通信機器を利用した広告方法であって、前記広告情報を利用する通信機器において、前記通信機器を利用する利用者が前記広告情報または前記制限広告情報を送受信する過程と、前記広告情報の利用に必要な前記通信機器の利用者情報や各種情報を送信する過程と、前記広告情報または前記制限広告情報の受信に伴って、前記起動プログラムに従って発呼報知または着呼報知する過程と、前記広告情報または前記制限広告情報を受信した送受信履歴より、前記広告情報または前記制限広告情報に含まれるリンク情報のアドレスに接続する過程と、前記広告情報の利用に伴う利益還元を享受する過程と、を備えたことを特徴としている。
【発明の効果】
【００９０】
以上説明したように、本発明の通信機器を利用した広告システム及び広告方法では、通信機器への広告を希望する広告主側広告配信システムによって、発呼報知及び着呼報知として配信される広告情報が登録及び保管されるため、通信機器を用いて通話する利用者は、発呼報知及び着呼報知のための送着信音声や映像などのデータを作成及び保管、発信先別にデータを設定することが不要となる。
【００９１】
広告主側広告配信システムにより制作及び保管された広告情報は、広告管理会社側広告配信システムの禁止処理プログラムを含む情報処理プログラムによって処理され、処理された広告認証情報番号を含む広告情報が、通信機器を用いて通話する利用者に発呼報知及び着呼報知として配信されるため、上記利用者は情報処理プログラムによって社会性や倫理性が保たれた送着信音声や映像などを含む広告情報を、通信機器にて通話するという使用上において取得することができる。
【００９２】
通信機器を用いて通話する利用者は、広告情報認証番号を含む広告情報を受信し通信機器にて発呼報知及び着呼報知として利用することによって、広告主側広告配信システムより広告情報の利用に伴う通話料金の軽減などの利益還元を受けることができる。
【００９３】
広告情報認証番号を含む広告情報を受信し通信機器にて発呼報知として利用するために、通信機器を用いて通話する利用者は、広告情報認証番号を含む広告情報を配布する電話事業会社側広告配信システムから前記広告情報を取得し、通信発信時に、取得した広告情報を受信先通信機器へ送信することで、広告情報の呼出履歴登録などの利用履歴が記憶され、広告主側広告配信システムより通話料金の軽減などの利益還元を受けることができる。
【００９４】
広告情報認証番号を含む広告情報を受信し通信機器にて着呼報知として利用するために、通信機器を用いて通話する利用者は、通話着信時に発信元通信機器利用者が取得した広告情報を受信することで、広告情報の着信履歴登録などの利用履歴が記憶され、広告主側広告配信システムより通話料金の軽減などの利益還元などを受けることができる。
【００９５】
広告情報認証番号を含む広告情報を発呼報知及び着呼報知として受信し、広告主側広告配信システムより通話料金の軽減などの利益還元を受けることができる通信機器を、通信機器を用いて通話する利用者が利用することによって、通話する以前の利用者同士のコミュニケーションに大いに役立つとともに、広告媒体として広く活用することができる。
【００９６】
また、上記機能を有した通信機器は、工場出荷状態または広告情報の利用を制限した通信機器を用いて通話した際、出荷認証番号を含む制限広告情報を受信し、前記制限広告情報を通信機器にて発呼報知及び着呼報知として利用することによって、広告主側広告配信システムより広告情報の利用に伴う通話料金の軽減などの利益還元を受けることができることを、発呼報知及び着呼報知にて告知することができるため、本発明の広告システム及び広告方法を、通信機器を用いて通話する利用者が認知できるとともに、通信機器の需要や利用頻度などを高めることができる。
【００９７】
また、広告情報認証番号を含む広告情報を発呼報知及び着呼報知として受信した通信機器は、発呼報知及び着呼報知した際に、広告情報が記録される送着信履歴から、再度、前記広告情報認証番号を含む広告情報を取得することができるため、最新の広告情報を取得できるとともに、広告情報に予め指定されたインターネットのアドレス情報などを含むリンク情報によって、インターネットなどの他の広告媒体への接続をすることができる。
【００９８】
また、広告情報認証番号を含む広告情報を発呼報知及び着呼報知として送信する通信機器は、あらかじめ取得した広告情報を、受信先別に配信する設定を実施することにより、発呼報知及び着呼報知を高速化でき、簡易的及び効果的にさまざまな広告情報を受信先別に配信することができる。
【００９９】
また、広告情報認証番号を含む広告情報を発呼報知及び着呼報知として受信する通信機器は、発信元通信機器利用者が指定した広告情報の受信を許可または拒否を事前に設定することで、広告情報を受信した利用者の意志を反映することができる。
【０１００】
広告主は、広告情報認証番号を含む広告情報を配信し発呼報知及び着呼報知として利用されるための広告費用などを負担することで、広告情報を取得した利用者情報や広告情報の送信履歴などが取得でき、詳しく広告情報の利用率や視聴率などを把握することで、利用者に対して有益な商品やサービスなどを提供できるとともに、広告情報の利用に伴う通話料金の軽減などの利益還元を直接的及び間接的に通信機器を用いて通話する利用者に実施できるため、上記利用者との親密な関係を保つことができる。
【０１０１】
広告主側広告配信システムにより制作及び保管された広告情報に、予め登録された情報処理プログラムに従って広告情報認証番号を発行する広告管理会社は、広告情報認証番号の発行による発行収益及び広告情報を取得した利用者情報や広告情報の送信履歴などの分析によって、広告情報認証番号の発行に必要な設備費用や今後の広告情報内容における発行基準及び有効期限の設定などに役立てることができる。
【０１０２】
広告情報認証番号を含む広告情報及び出荷認証番号を含む制限広告情報を配信する電話事業会社は、広告情報の配信による配信収益及び広告情報を取得した利用者情報や広告情報の送信履歴などによって、情報送信処理の高速化や配信設備の充実、通信機器を用いて通話する利用者に対して有益な情報やサービスなどを提供することができる。
【０１０３】
広告情報認証番号を含む広告情報を発呼報知及び着呼報知として受信し、広告主側広告配信システムより通信料金の軽減などの利益還元を直接的及び間接的に受けることができる通信機器を製造及び販売する電子通信機器会社は、通信機器の需要や利用頻度などの高まりによる製造及び販売収益によって、利用者に対して、画期的な通信機器の提供や新しい技術開発などを進めることができる。
【０１０４】
通信機器を利用する利用者は、広告情報認証番号を含む広告情報を発呼報知及び着呼報知として受信し、広告主側広告配信システムより広告情報の利用に伴う通話料金の軽減などの利益還元を享受できるとともに、広告情報に含まれるリンク情報によって、通信機器の送受信履歴より最新の情報及びサービスを検索でき、優先的かつ有益なサービスを受けることができる。
【発明を実施するための最良の形態】
【０１０５】
前提この発明の実施の形態の説明に先立ち、この発明の前提について概略的に説明する。この発明の発明者は、従来の通信機器である一般固定電話や携帯電話等では、通信される際に着信音としてメロディを鳴らして利用者に受信を知らせる、いわゆる着メロの機能を備え、また、技術の進歩に伴い、カメラ付き携帯電話やテレビジョン視聴できる携帯電話などの映像や画像を映し出す機能を備えたものが一般に普及されていることに着目した。そして、通信機器を用いて通話する利用者が、通話するという使用上において機能している行程に上記の機能を有する通信機器にて広告を利用することにより、通話する以前の利用者同士のコミュニケーションに役立つとともに、広告媒体として広く活用することが可能であることを見いだした。これを実現するためには、まず、利用者に提供する宣伝広告用送着信音声及び映像とともに、広告関連情報を指し示すリンク情報を含む広告情報を広告主側広告配信システムが登録及び保管することである。次に、広告主側広告配信システムは、登録及び保管した広告情報を広告管理会社側広告配信システムに送信し、広告管理会社側広告配信システムは、送信された広告情報に予め登録された情報処理プログラムに従って、広告情報認証番号を発行することである。次に、広告管理会社側広告配信システムは、広告情報認証番号を含む広告情報を電話事業会社側広告配信システムに送信し、通信機器を利用する利用者は、通話するという使用上において、発呼報知及び着呼報知として、電話事業会社側広告配信システムに送信された広告情報を送受信することである。そして、広告主側広告配信システムは、広告情報を発呼報知及び着呼報知として利用した利用者の通信機器に対して、広告情報の利用状況に応じて、直接的もしくは間接的に通信使用料の軽減などの利益還元を実施する。また、発信時に広告情報認証番号を発信信号とともに送信し、電話事業会社側広告配信システムを介して広告情報を受信し即再生して、発呼報知及び発信履歴登録するとともに、受信時に着信信号とともに広告情報を、電話事業会社側広告配信システムを介して受信し即再生して、着呼報知及び着信履歴登録する機能を有する通信機器を電子通信機器会社側広告配信システムが製造及び販売するため、通信機器を用いて通話する利用者は、工場出荷状態または広告情報の利用を制限した通信機器において、予め登録された制限広告情報を発呼報知及び着呼報知することにより、広告情報の利用についての詳細を告知され、本広告システム及び広告方法を認知することにより、結果的に通信機器の需要が高まり普及が促進されることとなる。
【０１０６】
以下、上述の前提を基に、図面を参照して、この発明の実施の形態について説明する。説明は、実施例を用いて具体的に行う。
【０１０７】
図１は、この発明の一実施例である移動電話を利用する利用者の使用目的に重視した広告方法を適用した、通信機器を利用した広告システム１の構成を示すブロック図である。この例の移動電話を利用した広告システム１は、同図に示すように、携帯電話やＰＨＳなどの移動電話へ広告情報を提供する広告主側広告配信システム２は、広告主側登録管理サーバ２Ａとインターフェイスを介した広告主側データベースサーバ２Ｂが設置される。広告主側広告配信システム２が提供する広告情報に、予め登録された禁止処理プログラムを含む情報処理プログラムに従って、広告情報認証番号を発行する広告管理会社側広告配信システム３は、広告管理会社側登録管理サーバ３Ａとインターフェイスを介した広告管理会社側データベースサーバ３Ｂが設置される。移動電話を提供し、広告情報認証番号を含む広告情報を配信する電話事業会社側広告配信システム４は、電話事業会社側登録管理サーバ４Ａとインターフェイスを介した電話事業会社側データベースサーバ４Ｂが設置される。また、通話及び広告情報等の各種情報の送受信を管理する交換機５と、通話及び広告情報等の各種情報を送受信する基地局６Ａ，６Ｂと、広告情報の取得などに用いるゲートウェイ装置８とインターネット９とを備えている。また、広告情報を送受信し、発呼報知及び着呼報知するなどの機能を有する移動電話７Ａを製造及び販売する電子通信機器会社側広告配信システム７は、電子通信機器会社側登録管理サーバ７Ｂとインターフェイスを介した電子通信機器会社側データベースサーバ７Ｃが設置される。また、取得した広告情報認証番号を含む広告情報を送信し、広告情報を再生して発呼報知する移動電話７Ａの機能を装備した第１の移動電話７Ｄと、第１の移動電話７Ｄが利用登録した広告情報を受信し、着呼報知する移動電話７Ａの機能を装備した第２の移動電話７Ｅとを備えている。
【０１０８】
本実施の形態における広告システム１において、第１の移動電話７Ｄ及び第２の移動電話７Ｅは、移動電話７Ａと同様の構成によってなるものであるが、本実施の形態では、第１の移動電話７Ｄから第２の移動電話７Ｅへ通話する場合について説明する。
【０１０９】
本実施の形態における広告システム１において、広告主側広告配信システム２に設置された広告主側登録管理サーバ２Ａ（以下、広告主側登録管理サーバ２Ａと記載）と広告管理会社側広告配信システム３に設置された広告管理会社側登録管理サーバ３Ａ（以下、広告管理会社側登録管理サーバ３Ａと記載）は、通信回線１０を介して接続される。また、広告管理会社側登録管理サーバ３Ａと電話事業会社側広告配信システム４に設置された電話事業会社側登録管理サーバ４Ａ（以下、電話事業会社側登録管理サーバ４Ａと記載）は、通信回線１１を介して接続される。また、広告管理会社側登録管理サーバ３Ａと電子通信機器会社側広告配信システム７に設置された電子通信機器会社側登録管理サーバ７Ｂ（以下、電子通信機器会社側登録管理サーバ７Ｂと記載）は、通信回線１２を介して接続される。また、電話事業会社側登録管理サーバ４Ａと交換機５は、通信回線１３を介して接続される。また、電話事業会社側広告配信システム４に設置された電話事業会社側データベースサーバ４Ｂ（以下、電話事業会社側データベースサーバ４Ｂと記載）と交換機５は、通信回線１４を介して接続される。
【０１１０】
本実施の形態における広告システム１において、第１の移動電話７Ｄと第２の移動電話７Ｅは、それぞれ固有の電話番号が割り当てられた通信機器であって、第１の移動電話７Ｄは、基地局６Ａを、通信回線１５を介して交換機５に接続し、交換機５による回線交換を経て、基地局６Ｂを介して第２の移動電話７Ｅとの間で、通話及び広告情報などの各種情報の送受信を行い、発呼報知または着呼報知する。また、第１の移動電話７Ｄは、基地局６Ａからゲートウェイ装置８を介して、インターネット９にアクセスし、インターネット９を介して、電話事業会社側登録管理サーバ４Ａとの間で、広告情報の利用登録など各種情報を送受信する。また、広告主側登録管理サーバ２Ａと第１の移動電話７Ｄ及び第２の移動電話７Ｅは、通信回線１６を介して接続される。
【０１１１】
上述の広告システム１において、第１の移動電話７Ｄと第２の移動電話７Ｅの数は、特に限定されるものではなく、ここでは、一例として図示して説明する。また、第１の移動電話７Ｄと基地局６Ａ，第２の移動電話７Ｅと基地局６Ｂとの間における通信方式は、ＰＤＣ方式、ＣＤＭＡ方式、ＰＨＳ方式などで特に限定するものではない。
【０１１２】
上述の広告システム１において、インターネット９は、専用線、公衆電話回線、衛生通信回線などの各種通信回線や図示しない各種サーバなどを含んで構成され、その具体的態様は特に限定されない。また、電話事業会社側登録管理サーバ４Ａ及びゲートウェイ装置８とインターネット９との間には、ＩＳＰ（Internet Service Provider）やＮＳＰ（Network Service Provider）などが提供するサーバやファイアーフォールなどの各種機器が介在する構成としてもよいが、ここでは図示しない。
【０１１３】
上述の広告システム１において、通信回線１０，１１，１２，１３，１４，１５，１６は、専用回線や公衆電話回線などにより構成される。また、通信回線１５は、交換機５と基地局６Ａ，６Ｂとを接続する通信回線であって、公衆回線網（図示略）を介して、他の交換機（図示略）と接続されている。
【０１１４】
以下、上述の広告システム１を構成する各部について詳細に説明する。広告主側登録管理サーバ２Ａは、広告管理会社側登録管理サーバ３Ａと通信回線１０を介して、広告情報認証番号を含む広告情報や広告情報を利用した利用者情報の送受信とともに、広告情報の送信履歴や利益還元情報などを送受信する。
【０１１５】
上述の広告システム１において、広告主側広告配信システム２に設置された広告主側データベースサーバ２Ｂ（以下、広告主側データベースサーバ２Ｂと記載）は、通信機器に配信する複数の広告情報（送着信音声及びメロディデータ、映像及び画像データ、テキストデータなど）を格納する。また、広告主側データベースサーバ２Ｂは、広告主側登録管理サーバ２Ａに接続されており、広告主側登録管理サーバ２Ａの制御に従って、広告情報認証番号を含む広告情報及び広告情報を利用した利用者情報とともに、広告情報の送信履歴や利益還元情報などを格納する。
【０１１６】
上述の広告システム１において、広告管理会社側登録管理サーバ３Ａは、電話事業会社側登録管理サーバ４Ａと通信回線１１を介して、広告情報認証番号を含む広告情報の送受信及び広告情報を利用した利用者情報、広告情報の送信履歴や利益還元情報などを送受信する。
【０１１７】
上述の広告システム１において、広告管理会社側登録管理サーバ３Ａは、通信回線１１を介して、電話事業会社側登録管理サーバ４Ａに、第１の移動電話７Ｄ及び第２の移動電話７Ｅの工場出荷状態または広告情報の利用を制限した際における出荷認証情報を含む制限広告情報を送受信し、また、広告管理会社側登録管理サーバ３Ａは、通信回線１２を介して、電子通信機器会社側登録管理サーバ７Ｂに、移動電話７Ａの工場出荷状態または広告情報の利用を制限した際における出荷認証番号を含む制限広告情報を送受信する。
【０１１８】
上述の広告システム１において、広告管理会社側データベースサーバ３Ｂ（以下、広告管理会社側データベースサーバ３Ｂと記載）は、広告管理会社側登録管理サーバ３Ａに接続されており、広告管理会社側登録管理サーバ３Ａの制御に従って発行された広告情報認証番号に対応づけて登録された複数の広告情報（送着信音声及びメロディデータ、映像及び画像データ、テキストデータなど）を格納するとともに、第１の移動電話７Ｄ及び第２の移動電話７Ｅの工場出荷状態または広告情報の利用を制限した際における出荷認証番号を含む制限広告情報や広告情報または制限広告情報を利用した利用者情報、広告情報または制限広告情報の送信履歴や利益還元情報などを格納する。
【０１１９】
上述の広告システム１において、電話事業会社側登録管理サーバ４Ａは、通信回線１３を介して、交換機５から照合要求情報を受信し、予め登録された照合プログラムに従って、照合要求情報と広告情報の利用登録との照合を処理し、電話事業会社側データベースサーバ４Ｂより、通信回線１４を介して、合致した広告情報または制限広告情報を送信する。
【０１２０】
上述の広告システム１において、電話事業会社側登録管理サーバ４Ａは、交換機５と通信回線１３を介して、広告情報または制限広告情報を利用した利用者情報、広告情報または制限広告情報の送信履歴や利益還元情報などを送受信する。
【０１２１】
上述の広告システム１において、電話事業会社側データベースサーバ４Ｂは、電話事業会社側登録管理サーバ４Ａに接続されており、電話事業会社側登録管理サーバ４Ａの制御に従って、広告情報認証番号に対応づけて登録された複数の広告情報（送着信音声及びメロディデータ、映像及び画像データ、テキストデータなど）を格納するとともに、第１の移動電話７Ｄ及び第２の移動電話７Ｅの工場出荷状態または広告情報の利用を制限した際における出荷認証番号を含む制限広告情報及び広告情報または制限広告情報を利用した利用者情報と、広告情報または制限広告情報の送信履歴や利益還元情報などを格納する。
【０１２２】
なお、データベースサーバ２Ｂ，３Ｂ，４Ｂに格納された広告情報としては、例えば、ＧＩＦ（Graphics Interchange Format）、ＪＰＥＧ（Joint Photographic Experts Group）、ＴＩＦＦ（Tagged Image File Format）、ＢＭＰ（Bitmap）などの規格に準拠した画像データ、あるいは、ＷＡＶ、ＭＰ３（MPEG-1 Audio Layer-III）、ＭＩＤＩ（Musical Instrument Digital Interface）などの規格に準拠した送着信音声及びメロディデータがあげられるが、特に限定されない。
【０１２３】
上述の広告システム１において、広告主側登録管理サーバ２Ａは、第１の移動電話７Ｄ及び第２の移動電話７Ｅと、通信回線１６を介して、広告情報の利用に伴う通信料金の軽減などの利益還元を直接的または通信回線１０、１１、１３、１５を介して間接的に実施する。
【０１２４】
図２は、図１に示す広告主側広告配信システム２の機能的構成を示すブロック図である。図２に示すように、広告主側広告配信システム２は、広告主側登録管理サーバ２Ａ及び広告主側データベースサーバ２Ｂが設置されている。
【０１２５】
広告主側登録管理サーバ２Ａは、通信制御装置２０１、送受信処理プログラム２０２、記憶装置データベース２０３、制御装置２０４、広告情報配信機能２０５、利用者情報配信機能２０６、利益還元情報配信機能２０７、広告情報登録機能２０８、広告情報管理機能２０９、利用者情報管理機能２１０、利益還元情報管理機能２１１、Ｉ／Ｆ（インターフェイス）２１２などを備えて構成され、広告主側データベースサーバ２Ｂは、Ｉ／Ｆ（インターフェイス）２１２と接続されているＩ／Ｆ（インターフェイス）２１３、広告情報データベース２１４、利用者情報データベース２１５、利益還元情報データベース２１６などを備えて構成されている。
【０１２６】
通信制御装置２０１は、通信回線１０及び通信回線１６に接続され、広告管理会社側登録管理サーバ３Ａとの間で、広告情報及び広告情報を利用する利用者情報、広告情報の送信履歴や利益還元などに係わる各種情報及び制御信号を送受信処理プログラム２０２に従って送受信し、第１の移動電話７Ａ及び第２の移動電話７Ｂとの間で、広告情報及び広告情報を利用する利用者情報、広告情報の送信履歴や利益還元などに係わる各種情報及び制御信号を送受信処理プログラム２０２に従って送受信する。
【０１２７】
送受信処理プログラム２０２は、通信制御装置２０１が接続する広告管理会社側登録管理サーバ３Ａが、記憶装置データベース２０３に予め格納された広告管理会社側登録管理サーバ３Ａを認識する認識コードとの一致によって、各種情報及び制御信号を送受信する。また、送受信処理プログラム２０２は、第１の移動電話７Ｄ及び第２の移動電話７Ｅ固有の利用者情報を、通信制御装置２０１と接続した際、通信履歴として記憶装置データベース２０３に格納する。
【０１２８】
制御装置２０４は、記憶装置データベース２０３に格納された基本制御プログラム、回線交換制御プログラム、広告情報登録処理プログラム、広告情報配信プログラム、認証コード処理プログラムなどのプログラム及びこれらのプログラムに係わるデータなどを読み出して実行することにより、広告主側登録管理サーバ２Ａの各部を駆動制御する。そして、制御装置２０４は、上記回線交換制御プログラムを実行することにより、通信制御装置２０１に接続された通信回線１０を介して、広告管理会社側登録管理サーバ３Ａとの間で各種情報及び制御信号を送受信するとともに、通信回線１６を介して、第１の移動電話７Ｄ及び第２の移動電話７Ｅとの間で各種情報及び制御信号を送受信する。
【０１２９】
記憶装置データベース２０３は、送受信処理プログラム２０２に係わるデータとともに、制御装置２０４により実行される基本制御プログラム、回線交換制御プログラム、広告情報登録処理プログラム、広告情報配信プログラム、認証コード処理プログラムなどのプログラム及びこれらのプログラムに係わるデータなどを、送受信処理プログラム２０２及び制御装置２０４により読み取り可能な形態で格納する。
【０１３０】
広告情報配信機能２０５は、制御装置２０４により処理された広告情報に関する情報及び制御信号を送受信し、広告情報登録機能２０８及び広告情報管理機能２０９と広告情報に関する情報及び制御信号を送受信する。
【０１３１】
利用者情報配信機能２０６は、制御装置２０４により処理された利用者情報に関する情報及び制御信号を受信し、利用者情報管理機能２１０に利用者情報に関する情報及び制御信号を送信する。
【０１３２】
利益還元情報配信機能２０７は、制御装置２０４に利益還元情報に関する情報及び制御信号を送信し、利益還元情報管理機能２１１から利益還元情報に関する情報及び制御信号を受信する。
【０１３３】
広告情報登録機能２０８は、広告情報配信機能２０５より送信された広告情報に関する情報及び制御信号を登録し、広告情報管理機能２０９に送信する。また、通信機器の利用者に提供する広告情報を制御装置２０４により広告情報登録処理プログラムに従って処理され、処理された広告情報を登録し、広告情報管理機能２０９に送信する。
【０１３４】
広告情報管理機能２０９は、広告情報配信機能２０５及び広告情報登録機能２０８と広告情報に関する情報及び制御信号を送受信し、送受信した各種情報や制御信号、送信履歴などをＩ／Ｆ２１２及びＩ／Ｆ２１３を介して、広告主側データベース２Ｂに格納する。
【０１３５】
利用者情報管理機能２１０は、利用者情報配信機能２０６から利用者情報に関する情報及び制御信号を受信し、受信した各種情報や制御信号、送信履歴などをＩ／Ｆ２１２及びＩ／Ｆ２１３を介して、広告主側データベース２Ｂに格納する。また、送受信された各種情報より、広告情報を利用した通信機器に利益還元する利益還元情報を登録し、利益還元情報管理機能２１１に送信する。
【０１３６】
利益還元情報管理機能２１１は、利益還元情報配信機能２０７に利益還元情報に関する情報及び制御信号を送信し、送信した各種情報や制御信号、送信履歴などをＩ／Ｆ２１２及びＩ／Ｆ２１３を介して、広告主側データベース２Ｂに格納する。また、利用者情報管理機能２１０より送信された利益還元情報も、Ｉ／Ｆ２１２及びＩ／Ｆ２１３を介して、広告主側データベース２Ｂに格納する。
【０１３７】
Ｉ／Ｆ２１２は、外部の各種機器を広告主側登録管理サーバ２Ａに接続するためのインターフェイスであって、広告主側データベースサーバ２ＢにＩ／Ｆ２１３を介して接続されている。
【０１３８】
図３は、図１に示す広告管理会社側広告配信システム３の機能的構成を示すブロック図である。図３に示すように、広告管理会社側広告配信システム３は、広告管理会社側登録管理サーバ３Ａ及び広告管理会社側データベースサーバ３Ｂが設置されている。
【０１３９】
広告管理会社側登録管理サーバ３Ａは、通信制御装置３０１、送受信処理プログラム３０２、記憶装置データベース３０３、制御装置３０４、広告情報配信機能３０５、利用者情報配信機能３０６、利益還元情報配信機能３０７、情報処理プログラム３０８、広告情報管理機能３０９、利用者情報管理機能３１０、利益還元情報管理機能３１１、Ｉ／Ｆ（インターフェイス）３１２などを備えて構成され、広告管理会社側データベースサーバ３Ｂは、Ｉ／Ｆ（インターフェイス）３１２と接続されているＩ／Ｆ（インターフェイス）３１３、広告情報データベース３１４、利用者情報データベース３１５、利益還元情報データベース３１６などを備えて構成されている。
【０１４０】
通信制御装置３０１は、通信回線１０及び通信回線１１、通信回線１２に接続され、広告主側登録管理サーバ２Ａとの間で、広告情報及び広告情報を利用する利用者情報、広告情報の送信履歴や利益還元などに係わる各種情報及び制御信号を送受信処理プログラム３０２に従って送受信し、電話事業会社側登録管理サーバ４Ａとの間で、広告情報認証番号を含む広告情報及び出荷認証番号を含む制限広告情報とともに、広告情報または制限広告情報を利用する利用者情報、広告情報または制限広告情報の送信履歴や利益還元などに係わる各種情報及び制御信号を送受信処理プログラム３０２に従って送受信し、電子通信機器会社側登録管理サーバ７Ｂとの間で、出荷認証番号を含む制限広告情報及び制限広告情報の送信履歴などに係わる各種情報及び制御信号を送受信処理プログラム３０２に従って送受信する。
【０１４１】
送受信処理プログラム３０２は、通信制御装置３０１が接続する広告主側登録管理サーバ２Ａが、記憶装置データベース３０３に予め格納された広告主側登録管理サーバ２Ａを認識する認識コードとの一致によって、各種情報及び制御信号を送受信する。また、送受信処理プログラム３０２は、通信制御装置３０１が接続する電話事業会社側登録管理サーバ４Ａが、記憶装置データベース３０３に予め格納された電話事業会社側登録管理サーバ４Ａを認識する認識コードとの一致によって、各種情報及び制御信号を送受信する。さらに、送受信処理プログラム３０２は、通信制御装置３０１が接続する電子通信機器会社側登録管理サーバ７Ｂが、記憶装置データベース３０３に予め格納された電子通信機器会社側登録管理サーバ７Ｂを認識する認識コードとの一致によって、各種情報及び制御信号を送受信する。
【０１４２】
制御装置３０４は、記憶装置データベース３０３に格納された基本制御プログラム、回線交換制御プログラム、広告情報配信プログラム、制限広告情報配信プログラム、認証コード処理プログラムなどのプログラム及びこれらのプログラムに係わるデータなどを読み出して実行することにより、広告管理会社側登録管理サーバ３Ａの各部を駆動制御する。そして、制御装置３０４は、上記回線交換制御プログラムを実行することにより、通信制御装置３０１に接続された通信回線１０を介して、広告主側登録管理サーバ２Ａとの間で各種情報及び制御信号を送受信するとともに、通信回線１１を介して、電話事業会社側登録管理サーバ４Ａとの間で各種情報及び制御信号を送受信し、また、通信回線１２を介して、電子通信機器会社側登録管理サーバ７Ｂとの間で各種情報及び制御信号を送受信する。
【０１４３】
記憶装置データベース３０３は、送受信処理プログラム３０２に係わるデータとともに、制御装置３０４により実行される基本制御プログラム、回線交換制御プログラム、広告情報配信プログラム、制限広告情報配信プログラム、認証コード処理プログラムなどのプログラム及びこれらのプログラムに係わるデータなどを、送受信処理プログラム３０２及び制御装置３０４により読み取り可能な形態で格納する。
【０１４４】
広告情報配信機能３０５は、制御装置３０４により処理された広告情報に関する情報及び制御信号を送受信し、情報処理プログラム３０８に広告情報に関する情報及び制御信号を送信する。また、広告情報配信機能３０５は、制御装置３０４により処理された広告情報に関する情報及び制御信号を送受信し、広告情報管理機能３０９と広告情報に関する情報及び制御信号を送受信する。
【０１４５】
利用者情報配信機能３０６は、制御装置３０４により処理された利用者情報に関する情報及び制御信号を送受信し、利用者情報管理機能３１０と利用者情報に関する情報及び制御信号を送受信する。
【０１４６】
利益還元情報配信機能３０７は、制御装置３０４により処理された利益還元情報に関する情報及び制御信号を送受信し、利益還元情報管理機能３１１と利益還元情報に関する情報及び制御信号を送受信する。
【０１４７】
情報処理プログラム３０８は、広告情報配信機能３０５より送信された広告情報及び制御信号を受信した際、予め登録された禁止処理プログラムを含む処理プログラムに従って広告情報認証番号を発行する。また、広告情報配信機能３０５より送信された制限広告情報及び制御信号を受信した際、予め登録された禁止処理プログラムを含む処理プログラムに従って出荷認証番号を発行する。
【０１４８】
広告情報管理機能３０９は、広告情報配信機能３０５と広告情報及び制限広告情報に関する情報と制御信号を送受信し、送受信された各種情報や制御信号、送信履歴などをＩ／Ｆ３１２及びＩ／Ｆ３１３を介して、広告管理会社側データベース３Ｂに格納する。また、情報処理プログラム３０８より受信した広告情報認証番号を含む広告情報及び出荷認証番号を含む制限広告情報をＩ／Ｆ３１２及びＩ／Ｆ３１３を介して、広告管理会社側データベース３Ｂに格納する。
【０１４９】
利用者情報管理機能３１０は、利用者情報配信機能３０６と利用者情報に関する情報及び制御信号を送受信し、送受信された各種情報や制御信号、送信履歴などをＩ／Ｆ３１２及びＩ／Ｆ３１３を介して、広告管理会社側データベース３Ｂに格納する。
【０１５０】
利益還元情報管理機能３１１は、利益還元情報配信機能３０７と利益還元情報に関する情報及び制御信号を送受信し、送受信された各種情報や制御信号、送信履歴などをＩ／Ｆ３１２及びＩ／Ｆ３１３を介して、広告管理会社側データベース３Ｂに格納する。
【０１５１】
Ｉ／Ｆ３１２は、外部の各種機器を広告管理会社側登録管理サーバ３Ａに接続するためのインターフェイスであって、広告管理会社側データベースサーバ３ＢにＩ／Ｆ３１３を介して接続されている。
【０１５２】
図４は、図１に示す電話事業会社側広告配信システム４の機能的構成を示すブロック図である。図４に示すように、電話事業会社側広告配信システム４は、電話事業会社側登録管理サーバ４Ａ及び電話事業会社側データベースサーバ４Ｂが設置されている。
【０１５３】
電話事業会社側登録管理サーバ４Ａは、通信制御装置４０１、送受信処理プログラム４０２、記憶装置データベース４０３、制御装置４０４、広告情報配信機能４０５、利用者情報配信機能４０６、利益還元情報配信機能４０７、広告一覧機能４０８、照合プログラム４０９、広告情報管理機能４１０、利用者情報管理機能４１１、利益還元情報管理機能４１２、利用配布機能４１３、課金情報機能４１４、Ｉ／Ｆ（インターフェイス）４１５などを備えて構成され、電話事業会社側データベースサーバ４Ｂは、Ｉ／Ｆ（インターフェイス）４１５と接続されているＩ／Ｆ（インターフェイス）４１６、広告情報データベース４１７、広告配布情報データベース４１８、利用者情報データベース４１９、課金情報データベース４２０、利益還元情報データベース４２１などを備えて構成されている。
【０１５４】
通信制御装置４０１は、通信回線１１及び通信回線１３に接続され、広告管理会社側登録管理サーバ３Ａとの間で、広告情報認証番号を含む広告情報及び出荷認証番号を含む制限広告情報とともに、広告情報または制限広告情報を利用する利用者情報、広告情報または制限広告情報の送信履歴や利益還元などに係わる各種情報及び制御信号を送受信処理プログラム４０２に従って送受信し、交換機５との間で、広告情報認証番号を含む広告情報及び出荷認証番号を含む制限広告情報とともに、広告情報または制限広告情報を利用する利用者情報、広告情報または制限広告情報の送信履歴や利益還元などに係わる各種情報及び制御信号を送受信処理プログラム４０２に従って送受信する。
【０１５５】
また、通信制御装置４０１は、インターネット９を構成する回線に接続され、インターネット上に登録サイトを開設し、インターネット９を介して、登録サイトにアクセスした第１の移動電話７Ｄとの間で、広告情報及び広告情報の利用登録などに係わる各種情報及び制御信号を送受信処理プログラム４０２に従って送受信する。
【０１５６】
なお、通信制御装置４０１と第１の移動電話７Ｄとの間で送受信されるデータとして、ＨＴＭＬ（Hypertext Markup Language）やＸＭＬ（extensible Markup Language）、ＤＨＴＭＬ（Dynamic HTML）などのマークアップ言語により記述されたウェブページなどがあげられるが、その具体的な構成は、特に限定されず、例えば、単にＨＴＭＬファイルのみで構成されるもの、ＧＩＦやＪＰＥＧ、ＴＩＦＦ、ＢＭＰなどの規格に準拠した形式の画像ファイルを含むもの、ＷＡＶ、ＭＰ３、ＭＩＤＩなどの規格に準拠した形式の音声データファイルを含むもの、ＣＧＩ(Common Gateway Interface)やＡＳＰ（Active Server Pages）などにより外部プログラムが提供されるものや、Ｊａｖａ（登録商標）スクリプト、ＶＢ（Visual Basic）スクリプトなどのスクリプト言語による記述を含むものなど、一般的なウェブブラウザにより処理可能であればよい。さらに、携帯型移動電話などの機器向けに拡張された上記マークアップ言語により記述されたファイルであってもよい。
【０１５７】
第１の移動電話７Ｄからインターネット９へのアクセス請求を受信する基地局６Ａは、ゲートウェイ装置８にアクセス請求を通知して、第１の移動電話７Ｄとゲートウェイ装置８との間で、データ通信処理に必要な通信プロトコルを実行する。
【０１５８】
ゲートウェイ装置８は、インターネット９と基地局６Ａとの間に接続され、インターネット９と基地局６Ａとの間で送受信されるデータや情報のプロトコル変換などの処理を行い、前記データや情報を中継する。例えば、ｉモードであれば、ｉモードセンターが含む、インターネットに接続されたルータ機能が該当し、ＥＺＷｅｂであれば、ＨＴＭＬコンテンツをＷＭＬ（Wireless Markup Language）コンテンツに変換する機能を有する、インターネットに接続されたゲートウェイ装置８が該当する。
【０１５９】
送受信処理プログラム４０２は、通信制御装置４０１が接続する広告管理会社側登録管理サーバ３Ａが、記憶装置データベース４０３に予め格納された広告管理会社側登録管理サーバ３Ａを認識する認識コードとの一致によって、各種情報及び制御信号を送受信する。また、送受信処理プログラム４０２は、通信制御装置４０１が接続する交換機５が、記憶装置データベース４０３に予め格納された交換機５を認識する認識コードとの一致によって、各種情報及び制御信号を送受信する。さらに、送受信処理プログラム４０２は、通信制御装置４０１が接続する第１の移動電話７Ｄ固有の利用者情報を、通信制御装置４０１と接続した際、通信履歴として記憶装置データベース４０３に格納し、各種情報及び制御信号を送受信する。
【０１６０】
制御装置４０４は、記憶装置データベース４０３に格納された基本制御プログラム、回線交換制御プログラム、広告情報配信プログラム、制限広告情報配信プログラム、認証コード処理プログラム、課金処理プログラム、登録処理プログラムなどのプログラム及びこれらのプログラムに係わるデータなどを読み出して実行することにより、電話事業会社側登録管理サーバ４Ａの各部を駆動制御する。そして、制御装置４０４は、上記回線交換制御プログラムを実行することにより、通信制御装置４０１に接続された通信回線１１を介して、広告管理会社側登録管理サーバ３Ａとの間で各種情報及び制御信号を送受信するとともに、通信回線１３を介して、交換機５との間で各種情報及び制御信号を送受信する。
【０１６１】
また、電話事業会社側登録管理サーバ４Ａは、第１の移動電話７Ｄが、インターネット９を介してアクセスし、固有の利用者情報を認証して、発信時に付加する広告情報を利用登録するための登録サイトを提供するウェブサーバでもある。
【０１６２】
制御装置４０４は、第１の移動電話７Ｄからインターネット９を介してアクセスされた際に、上記登録処理プログラムに基づいて後述する登録処理（図１６（ｂ））を実行する。
【０１６３】
広告一覧機能４０８は、制御装置４０４の登録処理プログラムに従って、広告情報配信機能４０５より送信された広告利用要求情報に基づき、広告情報管理機能４１０を介して、利用可能な広告情報認証番号を含む広告情報（送着信音声及びメロディデータ、映像及び画像データ、テキストデータなど）の一覧を登録し、広告情報配信機能４０５に送信する。
【０１６４】
利用配布機能４１３は、第１の移動電話７Ｄより送信された広告一覧から選択された広告情報を含む広告情報要求情報を広告情報配信機能４０５から受信し、広告情報管理機能４１０を介して、選択された広告情報認証番号を含む広告情報を電話事業会社側データベースサーバ４Ｂから抽出し、抽出した広告情報認証番号を含む広告情報を広告情報配信機能４０５に送信する。また、送信した広告情報認証番号を含む広告情報を利用登録した第１の移動電話７Ｄの利用者情報に対応づけて利用者情報管理機能４１１に送信する。
【０１６５】
記憶装置データベース４０３は、送受信処理プログラム４０２に係わるデータとともに、制御装置４０４により実行される基本制御プログラム、回線交換制御プログラム、広告情報配信プログラム、制限広告情報配信プログラム、認証コード処理プログラム、課金処理プログラム、登録処理プログラムなどのプログラム及びこれらのプログラムに係わるデータなどを、送受信処理プログラム４０２及び制御装置４０４により読み取り可能な形態で格納する。
【０１６６】
広告情報配信機能４０５は、制御装置４０４により処理された広告情報に関する情報及び制御信号を送受信し、広告一覧機能４０８と広告情報に関する情報及び制御信号を送受信する。また、広告情報配信機能４０５は、制御装置４０４により処理された広告情報に関する情報及び制御信号を送受信し、照合プログラム４０９と広告情報に関する情報及び制御信号を送受信する。さらに、広告情報配信機能４０５は、制御装置４０４により処理された広告情報に関する情報及び制御信号を送受信し、広告情報管理機能４１０と広告情報に関する情報及び制御信号を送受信する。
【０１６７】
利用者情報配信機能４０６は、制御装置４０４により処理された利用者情報に関する情報及び制御信号を送受信し、利用者情報管理機能４１１と利用者情報に関する情報及び制御信号を送受信する。
【０１６８】
利益還元情報配信機能４０７は、制御装置４０４により処理された利益還元情報に関する情報及び制御信号を送受信し、利益還元情報管理機能４１２と利益還元情報に関する情報及び制御信号を送受信する。
【０１６９】
照合プログラム４０９は、広告情報配信機能４０５より送信された照合要求情報に基づき、広告情報管理機能４１０及び利用者情報管理機能４１１を介して、電話事業会社側データベースサーバ４Ｂから利用者情報及び広告情報認証番号を含む広告情報を抽出し、抽出した利用者情報及び広告情報が受信した照合要求情報と一致した際、抽出した広告情報認証番号を含む広告情報を、広告情報配信機能４０５に送信する。また、照合プログラム４０９は、広告情報配信機能４０５より送信された照合要求情報に基づき、広告情報管理機能４１０及び利用者情報管理機能４１１を介して、電話事業会社側データベースサーバ４Ｂから利用者情報及び広告情報認証番号を含む広告情報を抽出し、抽出した利用者情報及び広告情報が受信した照合要求情報と一致しなかった際、広告情報管理機能４１０及び利用者情報管理機能４１１を介して、電話事業会社側データベースサーバ４Ｂから出荷認証番号を含む制限広告情報を抽出し、抽出した出荷認証番号を含む制限広告情報を広告情報配信機能４０５に送信する。
【０１７０】
広告情報管理機能４１０は、広告情報配信機能４０５と広告情報及び制限広告情報に関する情報と制御信号を送受信し、送受信された各種情報や制御信号、送信履歴などをＩ／Ｆ４１５及びＩ／Ｆ４１６を介して、電話事業会社側データベース４Ｂに格納する。また、広告情報配信機能４０５から広告情報要求情報を受信し、受信した広告情報要求情報及び広告情報認証番号を含む広告情報を利用配布機能４１３と送受信する。また、広告一覧機能４０８と広告情報に関する情報と制御信号を送受信し、送受信された各種情報や制御信号、送信履歴などをＩ／Ｆ４１５及びＩ／Ｆ４１６を介して、電話事業会社側データベース４Ｂに格納する。さらに、照合プログラム４０９と広告情報及び制限広告情報に関する情報と制御信号を送受信し、送受信された各種情報や制御信号、送信履歴などをＩ／Ｆ４１５及びＩ／Ｆ４１６を介して、電話事業会社側データベース４Ｂに格納する。
【０１７１】
利用者情報管理機能４１１は、利用者情報配信機能４０６と利用者情報に関する情報及び制御信号を送受信し、送受信された各種情報や制御信号、送信履歴などをＩ／Ｆ４１５及びＩ／Ｆ４１６を介して、電話事業会社側データベース４Ｂに格納する。また、利用配布機能４１３から広告情報の利用配布に関する情報と制御信号を受信し、受信した各種情報や制御信号、送信履歴などをＩ／Ｆ４１５及びＩ／Ｆ４１６を介して、電話事業会社側データベース４Ｂに格納する。
【０１７２】
利益還元情報管理機能４１２は、利益還元情報配信機能４０７と利益還元情報に関する情報及び制御信号を送受信し、送受信された各種情報や制御信号、送信履歴などをＩ／Ｆ４１５及びＩ／Ｆ４１６を介して、電話事業会社側データベース４Ｂに格納する。
【０１７３】
課金情報機能４１４は、広告情報管理機能４１０及び利用者情報管理機能４１１を介して、広告情報認証番号を含む広告情報の送信及び受信履歴に伴ってポイントを含む課金情報を、通信機器の利用者別に登録及び累積し、利用者情報管理機能４１１に送信する。
【０１７４】
Ｉ／Ｆ４１５は、外部の各種機器を電話事業会社側登録管理サーバ４Ａに接続するためのインターフェイスであって、電話事業会社側データベースサーバ４ＢにＩ／Ｆ４１６を介して接続されている。また、Ｉ／Ｆ４１６は、通信回線１４を介して、交換機５と接続されている。
【０１７５】
図５は、図１に示す交換機５の機能的構成を示すブロック図である。図５に示すように、交換機５は、通信制御装置５０１、送受信処理プログラム５０２、記憶装置データベース５０３、制御装置５０４、広告情報配信機能５０５、利用者情報配信機能５０６、利益還元情報配信機能５０７、発信信号処理機能５０８、再受信処理機能５０９、発信識別処理機能５１０、照合要求登録機能５１１、受取認証登録機能５１２、広告情報管理機能５１３、利用者情報管理機能５１４、利益還元情報管理機能５１５、Ｉ／Ｆ（インターフェイス）５１６などを備えて構成され、Ｉ／Ｆ（インターフェイス）５１６と接続されている広告情報データベース５１７、利用者情報データベース５１８、受取認証情報データベース５１９、利益還元情報データベース５２０などを備えて構成されている。
【０１７６】
通信制御装置５０１は、通信回線１３に接続され、電話事業会社側登録管理サーバ４Ａとの間で、広告情報認証番号を含む広告情報及び出荷認証番号を含む制限広告情報とともに、広告情報または制限広告情報を利用する利用者情報、広告情報または制限広告情報の送信履歴や利益還元などに係わる各種情報及び制御信号を送受信処理プログラム５０２に従って送受信する。また、通信制御装置５０１は、通信回線１４及び通信回線１５に接続され、基地局６Ａ、６Ｂを介して、第１の移動電話７Ｄ及び第２の移動電話７Ｅとの間で、広告情報認証番号を含む広告情報及び出荷認証番号を含む制限広告情報とともに、広告情報または制限広告情報を利用する利用者情報、広告情報または制限広告情報の送信履歴や利益還元などに係わる各種情報及び制御信号を送受信処理プログラム５０２に従って送受信する。
【０１７７】
送受信処理プログラム５０２は、通信制御装置５０１が接続する電話事業会社側登録管理サーバ４Ａが、記憶装置データベース５０３に予め格納された電話事業会社側登録管理サーバ４Ａを認識する認識コードとの一致によって、各種情報及び制御信号を送受信する。また、送受信処理プログラム５０２は、第１の移動電話７Ｄ及び第２の移動電話７Ｅ固有の利用者情報を、通信制御装置５０１と接続した際、通信履歴として記憶装置データベース５０３に格納する。
【０１７８】
制御装置５０４は、記憶装置データベース５０３に格納された基本制御プログラム、回線交換制御プログラム、発信処理プログラム、広告情報配信プログラム、制限広告情報配信プログラム、認証コード処理プログラムなどのプログラム及びこれらのプログラムに係わるデータなどを読み出して実行することにより、交換機５の各部を駆動制御する。そして、制御装置５０４は、上記回線交換制御プログラムを実行することにより、通信制御装置５０１に接続された通信回線１３を介して、電話事業会社側登録管理サーバ４Ａとの間で各種情報及び制御信号を送受信するとともに、通信回線１５及び基地局６Ａ、６Ｂを介して、第１の移動電話７Ｄ及び第２の移動電話７Ｅとの間で各種情報及び制御信号を送受信する。
【０１７９】
また、制御装置５０４は、第１の移動電話７Ｄから第２の移動電話７Ｅへの広告情報認証番号を含む発信信号を基地局６Ａから受信すると、上記発信処理プログラムに基づいて、後述する発信処理（図１９（ｂ））を実行する。この発信処理で、制御装置５０４は、発信した第１の移動電話７Ｄに割り当てられた利用者情報を、基地局６Ａを介して取得し、通信回線１３を介して、電話事業会社側登録管理サーバ４Ａにアクセスし、取得した利用者情報の照合要求情報を送信する。ここで、電話事業会社側登録管理サーバ４Ａにて、第１の移動電話７Ｄの照合要求情報に対応する広告情報が検索されない場合、制御装置５０４は、通信回線１４を介して、出荷認証番号を含む制限広告情報を電話事業会社側データベースサーバ４Ｂから取得して、基地局６Ａ，６Ｂとの間で通信回線１５を接続し、基地局６Ａに第１の移動電話７Ｄへの出荷認証番号を含む制限広告情報を送信し、また、基地局６Ｂに第２の移動電話７Ｅへの着信信号とともに、取得した出荷認証番号を含む制限広告情報を送信する。また、電話事業会社側登録管理サーバ４Ａにて、第１の移動電話７Ｄの照合要求情報に対応する広告情報が検索された場合、制御装置５０４は、通信回線１４を介して、検索された広告情報認証番号を含む広告情報を電話事業会社側データベースサーバ４Ｂから取得して、基地局６Ａ，６Ｂとの間で通信回線１５を接続し、基地局６Ａに第１の移動電話７Ｄへの広告情報認証番号を含む広告情報を送信し、また、基地局６Ｂに第２の移動電話７Ｅへの着呼信号とともに、取得した広告情報認証番号を含む広告情報を送信する。
【０１８０】
記憶装置データベース５０３は、送受信処理プログラム５０２に係わるデータとともに、制御装置５０４により実行される基本制御プログラム、回線交換制御プログラム、発信処理プログラム、広告情報配信プログラム、制限広告情報配信プログラム、認証コード処理プログラムなどのプログラム及びこれらのプログラムに係わるデータなどを、送受信処理プログラム５０２及び制御装置５０４により読み取り可能な形態で格納する。
【０１８１】
広告情報配信機能５０５は、制御装置５０４により処理された広告情報に関する情報及び制御信号を送受信し、発信信号処理機能５０８及び発信識別処理機能５１０に広告情報に関する情報及び制御信号を送信する。また、広告情報配信機能５０５は、制御装置５０４により処理された広告情報に関する情報及び制御信号を送受信し、広告情報管理機能５１３と広告情報に関する情報及び制御信号を送受信する。
【０１８２】
また、広告情報配信機能５０５は、照合要求登録機能５１１から照合要求情報に関する情報及び制御信号を受信する。また、広告情報配信機能５０５は、制御装置５０４により処理された再受信要求情報に関する情報及び制御信号を送受信し、再受信処理機能５０９に再受信要求情報に関する情報及び制御信号を送信する。
【０１８３】
利用者情報配信機能５０６は、制御装置５０４に利用者情報に関する情報及び制御信号を送信し、利用者情報管理機能５１４と利用者情報に関する情報及び制御信号を送受信する。
【０１８４】
利益還元情報配信機能５０７は、制御装置５０４より処理された受取認証情報に関する情報及び制御信号を受信し、受取認証登録機能５１２に受取認証情報に関する情報及び制御信号を送信する。また、利益還元情報配信機能５０７は、制御装置５０４より処理された利益還元情報に関する情報及び制御信号を送受信し、利益還元情報管理機能５１５と利益還元情報に関する情報及び制御信号を送受信する。
【０１８５】
発信信号処理機能５０８は、広告情報配信機能５０５から受信した発信信号から、発信信号を送信した通信機器の利用者情報及び通信機器が指定した通信機器の利用者情報とともに、発信信号に含まれる広告情報または制限広告情報を抽出し、発信識別処理機能５１０に送信する。
【０１８６】
再受信処理機能５０９は、広告情報配信機能５０５から受信した再受信要求情報から、再受信要求情報を送信した通信機器の利用者情報及び再受信要求情報に含まれる広告情報または制限広告情報を抽出し、発信識別処理機能５１０に送信する。
【０１８７】
発信識別処理機能５１０は、発信信号処理機能５０８により抽出された発信信号を送信した通信機器の利用者情報を識別し、送信された広告情報または制限広告情報とともに広告情報管理機能５１３へ送信する。また、発信識別処理機能５１０は、再受信処理機能５０９により抽出された再受信要求情報を送信した通信機器の利用者情報を識別し、送信された広告情報または制限広告情報とともに広告情報管理機能５１３に送信する。
【０１８８】
照合要求登録機能５１１は、広告情報管理機能５１３に基づき、照合要請情報を含む照合要求情報を登録し、広告情報配信機能５０５及び広告情報管理機能５１３に送信する。また、照合要求登録機能５１１は、広告情報管理機能５１３に基づき、再受信要求情報を含む照合要求情報を登録し、広告情報配信機能５０５及び広告情報管理機能５１３に送信する。
【０１８９】
受取認証登録機能５１２は、利益還元情報配信機能５０７により受信した利益還元の受取可否情報を含む受取認証情報及び受取認証情報を送信した通信機器の利用者情報を登録または更新し記録した後、利用者情報管理機能５１４に送信する。
【０１９０】
広告情報管理機能５１３は、広告情報配信機能５０５と広告情報及び制限広告情報に関する情報と制御信号を送受信し、送受信された各種情報や制御信号、送信履歴などをＩ／Ｆ５１６を介して格納する。また、発信識別処理機能５１０から発信信号を送信した通信機器の利用者情報及び発信信号に含まれる広告情報または制限広告情報を受信し、受信された各種情報や制御信号、送信履歴などをＩ／Ｆ５１６を介して格納する。また、発信識別処理機能５１０から再受信要求情報を送信した通信機器の利用者情報及び再受信要求情報に含まれる広告情報または制限広告情報を受信し、受信された各種情報や制御信号、送信履歴などをＩ／Ｆ５１６を介して格納する。
【０１９１】
また、広告情報管理機能５１３は、照合要求登録機能５１１から照合要請情報を含む照合要求情報及び再受信要求情報を含む照合要求情報を受信し、受信された各種情報や制御信号、送信履歴などをＩ／Ｆ５１６を介して格納する。
【０１９２】
利用者情報管理機能５１４は、利用者情報配信機能５０６と利用者情報に関する情報及び制御信号を送受信し、送受信された各種情報や制御信号、送信履歴などをＩ／Ｆ５１６を介して格納する。また、広告情報管理機能５１３と広告情報の利用者情報に関する情報と制御信号を送受信し、送受信した各種情報や制御信号、送信履歴などをＩ／Ｆ５１６を介して格納する。また、受取認証登録機能５１２から利益還元の受取可否情報を含む受取認証情報及び受取認証情報を送信した通信機器の利用者情報を受信し、受信された各種情報や制御信号、送信履歴などをＩ／Ｆ５１６を介して格納する。
【０１９３】
利益還元情報管理機能５１５は、利益還元情報配信機能５０７と利益還元情報に関する情報及び制御信号を送受信し、送受信された各種情報や制御信号、送信履歴などをＩ／Ｆ５１６を介して格納する。また、利用者情報管理機能５１４と利益還元の提供に関する情報及び制御信号を送受信し、送受信された各種情報や制御信号、送信履歴などをＩ／Ｆ５１６を介して格納する。
【０１９４】
Ｉ／Ｆ５１６は、外部の各種機器を交換機５に接続するためのインターフェイスである。
【０１９５】
基地局６Ａ，６Ｂは、自己の設置場所から通信可能範囲に存在する第１の移動電話７Ｄの利用者情報を無線受信すると、通話回線１５を介して、交換機５に送信して、第１の移動電話７Ｄと第２の移動電話７Ｅとの間で、通話処理に必要な通信プロトコルを実行する。
【０１９６】
図６は、図１に示す電子通信機器会社側広告配信システム７の機能的構成を示すブロック図である。図６に示すように、電子通信機器会社側広告配信システム７は、電子通信機器会社側登録管理サーバ７Ｂ及び電子通信機器会社側データベースサーバ７Ｃが設置されている。
【０１９７】
電子通信機器会社側登録管理サーバ７Ｂは、通信制御装置７０１、送受信処理プログラム７０２、記憶装置データベース７０３、制御装置７０４、制限広告情報配信機能７０５、起動プログラム機能７０６、制限広告登録機能７０７、動作確認機能７０８、出荷要求登録機能７０９、制限広告情報管理機能７１０、Ｉ／Ｆ（インターフェイス）７１１などを備えて構成され、電子通信機器会社側データベースサーバ７Ｃは、Ｉ／Ｆ（インターフェイス）７１１と接続されているＩ／Ｆ（インターフェイス）７１２、制限広告情報データベース７１３、起動プログラムデータベース７１４などを備えて構成されている。
【０１９８】
通信制御装置７０１は、通信回線１２に接続され、広告管理会社側登録管理サーバ３Ａとの間で、制限広告情報及び出荷認証番号を含む制限広告情報とともに、制限広告情報の送信履歴などに係わる各種情報及び制御信号を送受信処理プログラム７０２に従って送受信する。また、通信制御装置７０１は、専用回線に接続され、移動電話７Ａとの間で、制限広告情報とともに、広告情報及び制限広告情報を受信した際に起動する起動プログラムなどに係わる各種情報及び制御信号を送受信処理プログラム７０２に従って送受信する。
【０１９９】
送受信処理プログラム７０２は、通信制御装置７０１が接続する広告管理会社側登録管理サーバ３Ａが、記憶装置データベース７０３に予め格納された広告管理会社側登録管理サーバ３Ａを認識する認識コードとの一致によって、各種情報及び制御信号を送受信する。また、送受信処理プログラム７０２は、移動電話７Ａ固有の利用者情報を、通信制御装置７０１と接続した際、通信履歴として記憶装置データベース７０３に格納する。
【０２００】
制御装置７０４は、記憶装置データベース７０３に格納された基本制御プログラム、回線交換制御プログラム、発信処理プログラム、登録処理プログラム、制限広告情報配信プログラム、認証コード処理プログラムなどのプログラム及びこれらのプログラムに係わるデータなどを読み出して実行することにより、電話通信機器会社側登録管理サーバ７Ｂの各部を駆動制御する。そして、制御装置７０４は、上記回線交換制御プログラムを実行することにより、通信制御装置７０１に接続された通信回線１２を介して、広告管理会社側登録管理サーバ３Ａとの間で各種情報及び制御信号を送受信するとともに、専用回線を介して、移動電話７Ａとの間で各種情報及びデータ、制御信号などを送受信する。
【０２０１】
記憶装置データベース７０３は、送受信処理プログラム７０２に係わるデータとともに、制御装置７０４により実行される基本制御プログラム、回線交換制御プログラム、発信処理プログラム、登録処理プログラム、制限広告情報配信プログラム、認証コード処理プログラムなどのプログラム及びこれらのプログラムに係わるデータなどを、送受信処理プログラム７０２及び制御装置７０４により読み取り可能な形態で格納する。
【０２０２】
制限広告情報配信機能７０５は、制御装置７０４により処理された制限広告情報及び起動プログラムに関する情報及び制御信号を送受信し、制限広告情報管理機能７１０と制限広告情報に関する情報及び制御信号を送受信する。
【０２０３】
起動プログラム７０６は、制御装置７０４により処理された広告情報及び制限広告情報を受信した際に起動する起動プログラムに関する情報及び制御信号を受信し、制限広告情報管理機能７１０と起動プログラムに関する情報及び制御信号を送受信する。また、制御装置７０４により処理された広告情報及び制限広告情報を受信した際に起動する起動プログラムに関する情報及び制御信号を受信し、制限広告情報配信機能７０５に起動プログラムに関する情報及び制御信号を送信する。
【０２０４】
制限広告登録機能７０７は、制限広告情報配信機能７０５より送信された制限広告情報に関する情報及び制御信号を受信し、制限広告情報管理機能７１０に制限広告情報に関する情報及び制御信号を登録し送信する。また、制限広告登録機能７０７は、制限広告情報配信機能７０５より送信された制限広告情報に関する情報及び制御信号を受信し、出荷要求登録機能７０９に制限広告情報に関する情報及び制御信号を登録し送信する。
【０２０５】
動作確認情報７０８は、制限広告情報配信機能７０５から動作確認情報に関する情報及び制御信号を受信し、制限広告情報管理機能７１０に動作確認情報に関する情報及び制御信号を送信する。
【０２０６】
出荷要求登録機能７０９は、制限広告登録機能７０７より送信された制限広告情報に関する情報及び制御信号を受信し、制限広告情報管理機能７１０に制限広告出荷要求情報に関する情報及び制御信号を登録し送信する。また、出荷要求登録機能７０９は、制限広告登録機能７０７より送信された制限広告情報に関する情報及び制御信号を受信し、制限広告情報配信機能７０５に制限広告出荷要求情報に関する情報及び制御信号を登録し送信する。
【０２０７】
制限広告情報管理機能７１０は、制限広告情報配信機能７０５と制限広告情報に関する情報と制御信号を送受信し、送受信された各種情報や制御信号、送信履歴などをＩ／Ｆ７１１及びＩ／Ｆ７１２を介して、電子通信機器会社側データベース７Ｃに格納する。また、動作確認機能７０８から動作確認情報に関する情報と制御信号を受信し、受信された各種情報や制御信号、送信履歴などをＩ／Ｆ７１１及びＩ／Ｆ７１２を介して、電子通信機器会社側データベース７Ｃに格納する。また、制限広告登録機能７０７から制限広告情報に関する情報と制御信号を受信し、受信された各種情報や制御信号、送信履歴などをＩ／Ｆ７１１及びＩ／Ｆ７１２を介して、電子通信機器会社側データベース７Ｃに格納する。また、出荷要求登録機能７０９から制限広告出荷要求情報に関する情報と制御信号を受信し、受信された各種情報や制御信号、送信履歴などをＩ／Ｆ７１１及びＩ／Ｆ７１２を介して、電子通信機器会社側データベース７Ｃに格納する。
【０２０８】
Ｉ／Ｆ７１１は、外部の各種機器を電子通信機器会社側登録管理サーバ７Ｂに接続するためのインターフェイスであって、電子通信機器会社側データベースサーバ７ＣにＩ／Ｆ７１２を介して接続されている。
【０２０９】
図７は、図１に示す移動電話７Ａのハードウェア構成を示すブロック図である。図７に示すように、移動電話７Ａは、ＣＰＵ７７０２と、バスを介してＣＰＵ７７０２に接続されたメモリ７７０３、送受信通信制御装置７７０１、入力処理部７７０５、表示処理部７７０６、着信音声処理部７７０９、音声・送信音声処理部７７１０とを備えている。メモリ７７０３は、制御プログラムを格納したＲＯＭと、ＣＰＵ７７０２の作業領域としてのＲＡＭのほか、起動プログラムが格納される領域と、制限広告情報（音声及びメロディファイルや映像及び画像ファイルなど）が格納される領域と、通話及び広告情報の送受信履歴が可能される領域と、サイト閲覧プログラムが格納される領域や利益還元情報が格納される領域などを備えている。
【０２１０】
入力処理部７７０５には、移動電話７Ａの入力テンキー７７０４（スクロールキーなどを含む）が接続されており、キー操作による入力信号は、この入力処理部７７０５において必要な変換処理を経た上で、ＣＰＵ７７０２に入力される。表示処理部７７０６には、ＬＣＤ（液晶ディスプレイなど）７７０７が接続されており、ＣＰＵ７７０２から出力された表示信号は、この表示処理部７７０６において必要な変換処理を経た上で、ＬＣＤ７７０７に出力され、画像などの表示が実現される。
【０２１１】
送受信通信制御装置７７０１には、アンテナ７７００が接続されており、ＣＰＵ７７０２から出力された送信データを搬送波に乗せて、アンテナ７７００から送出するとともに、アンテナ７７００を介して入力されたデータや情報などを復調して、ＣＰＵ７７０２に出力する機能を果たす。
【０２１２】
着信音声処理部７７０９には、着信音声再生用スピーカ７７０８が接続されており、ＣＰＵ７７０２から出力された着信音声及びメロディデータに基づいて、着信音声処理部７７０９が着信音声・メロディ信号を生成し、着信音声再生用スピーカ７７０８を通じて再生される。
【０２１３】
音声・送信音声処理部７７１０には、通話・送信音声再生用スピーカ７７１１とマイク７７１２が接続されており、ＣＰＵ７７０２から出力された発信音声及びメロディデータに基づいて、音声・送信音声処理部７７１０が発信音声・メロディ信号を生成し、通話・送信音声再生用スピーカ７７１１を通じて再生される。また、ＣＰＵ７７０２から出力された通話音声データは、音声・送信音声処理部７７１０において、所定の変換処理が施された後、通話・送信音声再生用スピーカ７７１１から通話音声として出力される。また、マイク７７１２を通じて入力された通話音声は、音声・送信音声処理部７７１０において、必要な変換処理が施された後、通話音声データとしてＣＰＵ７７０２に出力される。
【０２１４】
図８は、図１に示す広告主側データベースサーバ２Ｂに保存されるデータの構成図の一例である。図８に示すように、広告主側データベースサーバ２Ｂは、広告情報データベース２１４、利用者情報データベース２１５、利益還元情報データベース２１６を備えている。
【０２１５】
図８に示すように、広告情報データベース２１４には、通信機器に提供する広告情報を、予め広告主側登録管理サーバ２Ａを介して、広告音声データ２１４４と広告映像データ２１４７を格納する。また、各広告音声データや各広告映像データを管理するため、音声広告番号２１４０、演奏時間２１４１、広告タイトル名２１４２、カテゴリ２１４３、広告リンク情報２１４５、映像広告番号２１４６を格納する。これらは、広告主側登録管理サーバ２Ａにより制御され、各種データや情報などを格納する。
【０２１６】
図８に示すように、広告情報認証番号を含む広告情報及び利用履歴などを含む利用者情報データベース２１５には、広告主側登録管理サーバ２Ａから、通信回線１０を介して広告管理会社側登録管理サーバ３Ａとアクセスされ登録処理された広告情報認証番号２１５０、音声広告番号２１５１、映像広告番号２１５２が格納される。また、広告情報認証番号２１５０の利用履歴や送信履歴なども、広告主側登録管理サーバ２Ａから通信回線１０を介して広告管理会社側登録管理サーバ３Ａより受信され、第１の移動電話７Ｄ及び第２の移動電話７Ｅにおける固有の利用者電話番号２１５３、広告情報認証番号２１５０の利用における広告情報利用先２１５４、広告情報の利用に伴う利益還元料金２１５５、広告情報の利用に関する各種情報データ２１５６が格納される。これらは、広告主側登録管理サーバ２Ａにより制御され、各種データや情報などを格納する。
【０２１７】
図８に示すように、広告情報の利用に伴う課金情報を含む利益還元情報データベース２１６には、利用者情報データベース２１５に基づき、広告情報の利用実績や利用者情報から、広告情報の利用に伴う利益還元情報として第１の移動電話７Ｄ及び第２の移動電話７Ｅにおける固有の利用者電話番号２１６０、利益還元の受取情報である受取認証情報２１６１、広告情報認証番号２１６２、広告情報の利用履歴である広告情報送受信回数２１６３、広告情報の利用に伴う利益還元総金額２１６４、利益還元に関する各種情報データ２１６５が格納される。これらは、広告主側登録管理サーバ２Ａにより制御され、各種データや情報などを格納する。
【０２１８】
図９は、図１に示す広告管理会社側データベースサーバ３Ｂに保存されるデータの構成図の一例である。図９に示すように、広告管理会社側データベースサーバ３Ｂは、広告情報データベース３１４、利用者情報データベース３１５、利益還元情報データベース３１６を備えている。
【０２１９】
図９に示すように、広告情報データベース３１４には、広告管理会社側登録管理サーバ３Ａから、通信回線１０を介して広告主側登録管理サーバ２Ａより受信した広告情報２１４に対して、情報処理プログラムに従って、広告情報認証番号３１４０が発行され、格納される。また、広告情報認証番号３１４０が発行される際、発行処理された認証番号発行日３１４１、音声広告番号３１４２、広告音声データ３１４３、映像広告番号３１４４、広告映像データ３１４５、広告情報に関する各種情報データ３１４６が格納される。これらは、広告管理会社側登録管理サーバ３Ａにより制御され、各種データや情報などを格納する。
【０２２０】
また、図９に示すように、広告情報データベース３１４には、移動電話７Ａの工場出荷状態または広告情報の利用を制限した際の広告情報として、広告管理会社側登録管理サーバ３Ａから、通信回線１２を介して電子通信機器会社側登録管理サーバ７Ｂより受信した制限広告出荷要求情報に基づき、情報処理プログラムに従って、出荷認証番号３１４０が発行され、格納される。また、出荷認証番号３１４０が発行される際、発行処理された認証番号発行日３１４１、制限広告音声データ３１４３、制限広告映像データ３１４５、出荷認証番号を発行した電子通信機器会社名３１４７、広告情報に関する各種情報データ３１４６が格納される。これらは、広告管理会社側登録管理サーバ３Ａにより制御され、各種データや情報などを格納する。
【０２２１】
図９に示すように、広告情報認証番号を含む広告情報及び利用履歴などを含む利用者情報データベース３１５には、広告管理会社側登録管理サーバ３Ａから、通信回線１０を介して広告主側登録管理サーバ２Ａより受信した広告情報２１４に対して、情報処理プログラムに従って、発行された広告情報認証番号３１５０、音声広告番号３１５１、映像広告番号３１５２が格納される。また、広告情報認証番号３１５０の利用履歴や送信履歴などは、広告管理会社側登録管理サーバ３Ａから、通信回線１１を介して電話事業会社側登録管理サーバ４Ａより受信され、第１の移動電話７Ｄ及び第２の移動電話７Ｅにおける固有の利用者電話番号３１５３、広告情報認証番号３１５０の利用における広告情報利用先３１５４、広告情報の利用に伴う利益還元料金３１５５、広告情報の利用に関する各種情報データ３１５６が格納される。これらは、広告管理会社側登録管理サーバ３Ａにより制御され、各種データや情報などを格納する。
【０２２２】
図９に示すように、広告情報の利用に伴う課金情報を含む利益還元情報データベース３１６には、広告管理会社側登録管理サーバ３Ａから、通信回線１０を介して広告主側登録管理サーバ２Ａより利益還元情報として受信した第１の移動電話７Ｄ及び第２の移動電話７Ｅにおける固有の利用者電話番号３１６０、利益還元の受取情報である受取認証情報３１６１、広告情報認証番号３１６２、広告情報の利用履歴である広告情報送受信回数３１６３、広告情報の利用に伴う利益還元総金額３１６４、利益還元に関する各種情報データ３１６５が格納される。これらは、広告管理会社側登録管理サーバ３Ａにより制御され、各種データや情報などを格納する。
【０２２３】
図１０は、図１に示す電話事業会社側データベースサーバ４Ｂに保存されるデータの構成図の一例である。図１０に示すように、電話事業会社側データベースサーバ４Ｂは、広告情報データベース４１７、広告配布情報データベース４１８、利用者情報データベース４１９、課金情報データベース４２０、利益還元情報データベース４２１を備えている。
【０２２４】
図１０に示すように、広告情報データベース４１７には、電話事業会社側登録管理サーバ４Ａから通信回線１１を介して広告管理会社側登録管理サーバ３Ａより受信された広告情報認証番号４１７０、広告情報認証番号４１７０を登録処理した認証番号登録日４１７１、音声広告番号４１７２、広告音声データ４１７３、映像広告番号４１７４、広告映像データ４１７５、広告情報に関する各種情報データ４１７６が格納される。これらは、電話事業会社側登録管理サーバ４Ａにより制御され、各種データや情報などを格納する。
【０２２５】
また、広告情報データベース４１７には、電話事業会社側登録管理サーバ４Ａから通信回線１１を介して広告管理会社側登録管理サーバ３Ａより受信された出荷認証番号４１７０、出荷認証番号４１７０を登録処理した認証番号登録日４１７１、制限広告音声データ４１７３、制限広告映像データ４１７５、出荷認証番号を発行した電子通信機器会社名４１７７、広告情報に関する各種情報データ４１７６が格納される。これらは、電話事業会社側登録管理サーバ４Ａにより制御され、各種データや情報などを格納する。
【０２２６】
図１０に示すように、広告配布情報データベース４１８には、電話事業会社側登録管理サーバ４Ａからインターネット９を介して第１の移動電話７Ｄとアクセスされ、広告情報を利用登録した第１の移動電話７Ｄにおける固有の利用者電話番号４１８０、第１の移動電話７Ｄが利用登録した広告情報の広告情報認証番号４１８２、利用登録した広告情報認証番号を発行した第１の移動電話７Ｄに発行した広告情報配布日４１８１、広告情報認証番号の送信利用に伴う利益還元料金４１８３、利益還元の受取情報である受取認証情報４１８４、利用登録した広告情報に関する各種情報データ４１８５が格納される。これらは、電話事業会社側登録管理サーバ４Ａにより制御され、各種データや情報などを格納する。
【０２２７】
図１０に示すように、広告情報認証番号を含む広告情報及び利用履歴などを含む利用者情報データベース４１９には、電話事業会社側登録管理サーバ４Ａから通信回線１３を介して交換機５より受信された第１の移動電話７Ｄ及び第２の移動電話７Ｅにおける固有の利用者電話番号４１９０、送受信した広告情報認証番号４１９１、広告情報認証番号４１９１の広告情報送受信日４１９２、広告情報認証番号４１９１の利用における広告情報利用先４１９３、第１の移動電話７Ｄ及び第２の移動電話７Ｅとの通話時間４１９４、広告情報の利用に関する各種情報データ４１９６が格納される。これらは、電話事業会社側登録管理サーバ４Ａにより制御され、各種データや情報などを格納する。
【０２２８】
図１０に示すように、広告情報の利用に伴って課金する課金情報データベース４２０には、利用者情報データベース４１９に基づき、広告情報の送受信実績や利用者情報から、広告情報の利用に伴う課金情報として利益還元課金額４１９５、利益還元の課金情報に関する各種情報データ４１９６が格納される。これらは、電話事業会社側登録管理サーバ４Ａにより制御され、各種データや情報などを格納する。
【０２２９】
図１０に示すように、広告情報の利用に伴う課金情報を含む利益還元情報データベース４２１には、電話事業会社側登録管理サーバ４Ａから、通信回線１１を介して広告管理会社側登録管理サーバ３Ａより利益還元情報として受信した第１の移動電話７Ｄ及び第２の移動電話７Ｅにおける固有の利用者電話番号４２１０、利益還元の受取情報である受取認証情報４２１１、広告情報認証番号４２１２、広告情報の利用履歴である広告情報送受信回数４２１３、広告情報の利用に伴う利益還元総金額４２１４、利益還元に関する各種情報データ４２１５が格納される。これらは、電話事業会社側登録管理サーバ４Ａにより制御され、各種データや情報などを格納する。
【０２３０】
図１１は、図１に示す交換機５に保存されるデータの構成図の一例である。図１１に示すように、交換機５は、広告情報データベース５１７、利用者情報データベース５１８、受取認証情報データベース５１９、利益還元情報データベース５２０を備えている。
【０２３１】
図１１に示すように、広告情報データベース５１７には、基地局６Ａ及び通信回線１５を介して、第１の移動電話７Ｄから受信した発信信号に含まれる第１の移動電話７Ｄ固有の発信元利用者電話番号５１７０、広告情報認証番号５１７１、受信先利用者電話番号５１７２、発信信号を送受信した発信信号送受信日５１７３、発信信号を送受信した発信信号送受信時間５１７４、広告情報の送受信に関する各種情報データ５１７５が格納される。これらは、交換機５により制御され、各種データや情報などを格納する。
【０２３２】
図１１に示すように、広告情報認証番号を含む広告情報及び利用履歴などを含む利用者情報データベース５１８には、通信回線１３を介して電話事業会社側登録管理サーバ４Ａより受信された第１の移動電話７Ｄの発信元利用者電話番号５１８０、送受信された広告情報認証番号５１８１、広告情報を送受信した広告情報送受信日５１８２、第１の移動電話７Ｄ及び第２の移動電話７Ｅとの通話時間５１８３、第２の移動電話７Ｅの受信先利用者電話番号５１８４、広告情報の送受信に関する各種情報データ５１８５が格納される。これらは、交換機５により制御され、各種データや情報などを格納する。
【０２３３】
図１１に示すように、受取認証データベース５１９には、基地局６Ａ及び通信回線１５を介して、第１の移動電話７Ｄ及び第２の移動電話７Ｅより送信された第１の移動電話７Ｄ及び第２の移動電話７Ｅ固有の利用者電話番号５１９０、送受信した広告情報認証番号または出荷認証番号５１９１、認証番号を送受信した広告情報送受信日５１９２、第１の移動電話７Ｄ及び第２の移動電話７Ｅとの通話時間５１９３、第１の移動電話７Ｄ及び第２の移動電話７Ｅの受取認証情報５１９４、受取認証情報に関する各種情報データ５１９５が格納される。これらは、交換機５により制御され、各種データや情報などを格納する。
【０２３４】
図１１に示すように、広告情報の利用に伴う課金情報を含む利益還元情報データベース５２０には、通信回線１３を介して電話事業会社側登録管理サーバ４Ａより利益還元情報として受信した第１の移動電話７Ｄ及び第２の移動電話７Ｅにおける固有の利用者電話番号５２００、利益還元の受取情報である受取認証情報５２０１、広告情報認証番号５２０２、広告情報の利用履歴である広告情報送受信回数５２０３、広告情報の利用に伴う利益還元総金額５２０４、利益還元に関する各種情報データ５２０５が格納される。これらは、交換機５により制御され、各種データや情報などを格納する。
【０２３５】
図１２は、図１に示す移動電話７Ａ内の図７に示すメモリ７７０３に保存されるデータの構成図の一例である。図１２に示すように、メモリ７７０３は、広告情報管理データベース７２、制限広告情報管理データベース７３、指定広告発信管理データベース７４、発信履歴管理データベース７５、受信履歴管理データベース７６などを備えている。
【０２３６】
図１２に示すように、広告情報管理データベース７２には、インターネット９を介して電話事業会社側登録管理サーバ４Ａとアクセスされ、利用登録した広告情報認証番号７２０、広告情報認証番号を利用登録した広告情報認証番号取得日７２１、広告情報の広告タイトル名７２２が格納される。
【０２３７】
また、広告情報管理データベース７２には、第１の移動電話７Ｄとして使用される際に、広告情報認証番号７２０を送信した発信回数７２３が格納される。さらに、第２の移動電話７Ｅとして使用される際に、基地局６Ｂを介して、第１の移動電話７Ｄから送信された広告情報認証番号７２０、第１の移動電話７Ｄから送信された広告情報認証番号７２０を着信した着信回数７２４が格納する。また、交換機５及び基地局６Ａ，６Ｂを介して、電話事業会社側登録管理サーバ４Ａと送受信する広告情報の利用に伴う利益還元の内容通知及び利益還元を受け取るか否かを選択し、利益還元の受取認証情報などの各種情報データ７２５が格納される。これらは、図７に示すＣＰＵ７７０２により制御され、各種データや情報などを格納する。
【０２３８】
図１２に示すように、制限広告情報管理データベース７３には、電子通信機器会社側登録管理サーバ７Ｂから専用回線を介して、出荷認証番号７３０、出荷認証番号７３０を登録処理した制限広告情報登録日７３１、工場出荷状態または広告情報の利用を制限した際における制限広告音声データ７３２、工場出荷状態または広告情報の利用を制限した際における制限広告映像データ７３３、電子通信機器会社名７３４、制限広告情報に関する各種情報データ７３５が受信され格納する。これらは、図７に示すＣＰＵ７７０２により制御され、各種データや情報などを格納する。
【０２３９】
図１２に示すように、指定広告配信管理データベース７４には、第１の移動電話７Ｄに予め第２の移動電話７Ｅの受信先利用者名７４０、第２の移動電話７Ｅ固有の受信先利用者電話番号７４１、第２の移動電話７Ｅ固有のメールアドレス７４２、第２の移動電話７Ｅ別に設定し送信する広告情報認証番号７４３、第２の移動電話７Ｅに関する各種情報データ７４４を格納する。これらは、図７に示す入力テンキー７７０４を介して、ＣＰＵ７７０２により制御され、各種データや情報などを格納する。
【０２４０】
図１２に示すように、発信履歴管理データベース７５には、第１の移動電話７Ｄとして使用した際、受信先の第２の移動電話７Ｅ固有の受信先利用者電話番号７５０、第２の移動電話７Ｅに送信した広告情報認証番号または出荷認証番号７５１、第２の移動電話７Ｅに送信した広告情報認証番号または出荷認証番号７５１の広告情報送信日７５２、第２の移動電話７Ｅとの通話時間７５３、広告情報の利用に伴う利益還元課金額７５４、利益還元の受取情報である受取認証情報７５５、広告情報の利用に関する各種情報データ７５６を格納する。これらは、図７に示すＣＰＵ７７０２により制御され、各種データや情報などを格納する。
【０２４１】
図１２に示すように、受信履歴管理データベース７６には、第２の移動電話７Ｅとして使用した際、着信した第１の移動電話７Ｄ固有の発信元利用者電話番号７６０、第１の移動電話７Ｄから送信された広告情報認証番号または出荷認証番号７６１、第１の移動電話７Ｄから受信した広告情報認証番号または出荷認証番号７６１の広告情報受信日７６２、第１の移動電話７Ｄとの通話時間７６３、広告情報の利用に伴う利益還元課金額７６４、利益還元の受取情報である受取認証情報７６５、広告情報の利用に関する各種情報データ７６６を格納する。これらは、図７に示すＣＰＵ７７０２により制御され、各種データや情報などを格納する。
【０２４２】
図１３は、図１に示す電子通信機器会社側データベースサーバ７Ｃに保存されるデータの構成図の一例である。図１３に示すように、電子通信機器会社側データベースサーバ７Ｃは、制限広告情報データベース７１３、起動プログラムデータベース７１４を備えている。
【０２４３】
図１３に示すように、制限広告情報データベース７１３には、電子通信機器会社側登録管理サーバ７Ｂから通信回線１２を介して広告管理会社側登録管理サーバ３Ａより受信された出荷認証番号７１３０、出荷認証番号７１３０を登録処理した出荷認証番号登録日７１３１が格納される。また、電子通信機器会社側データベースサーバ７Ｃの出荷認証番号に対し、電子通信機器会社側登録管理サーバ７Ｂを介して、工場出荷状態または広告情報の利用を制限した際における制限広告音声データ７１３２、工場出荷状態または広告情報の利用を制限した際における制限広告映像データ７１３３、登録した電子通信機器会社名７１３４、制限広告情報に関する各種情報データ７１３５を格納する。これらは、電子通信機器会社側登録管理サーバ７Ｂにより制御され、各種データや情報などを格納する。
【０２４４】
図１３に示すように、起動プログラムデータベース７１４には、通信機器にて広告情報または制限広告情報を受信した際に起動する起動プログラムを、予め電子通信機器会社側登録管理サーバ７Ｂを介して、起動プログラム番号７１４０、起動プログラムを登録処理した起動プログラム登録日７１４１を格納する。また、起動プログラムの動作確認のため、専用回線を介して、起動プログラム番号７１４０、動作確認音声データ７１４２、動作確認映像データ７１４３を送信し、移動電話７Ａより動作確認情報７１４４、起動プログラムに関する各種情報データ７１４５を受信し格納する。
【０２４５】
図１４は、図１に示す広告システム１における広告情報登録処理を示すフローチャートであり、（ａ）は広告主側登録管理サーバ２Ａの動作を示し、（ｂ）は広告管理会社側登録管理サーバ３Ａの動作を示す。
【０２４６】
図１に示す広告システム１にあって、広告主側登録管理サーバ２Ａにより、広告情報データベース２１４を広告管理会社側登録管理サーバ３Ａに登録することにおいて、図１４（ａ）の登録処理を開始する。図１４（ａ）のステップＳ１０１で、広告主側登録管理サーバ２Ａは、通信回線１０を介して、広告管理会社側登録管理サーバ３Ａにアクセスし、広告管理会社側登録管理サーバ３Ａによって、アクセスが受け付けられた後、ステップＳ１０２に移行して、広告管理会社側登録管理サーバ３Ａとの間で、申請及び通信処理などの認証処理を実行する。
【０２４７】
ここで、広告主側登録管理サーバ２Ａと広告管理会社側登録管理サーバ３Ａとの間で実行される認証処理は、例えば、広告主側登録管理サーバ２Ａが事前に、広告管理会社側登録管理サーバ３Ａの認識コードが登録されているか否かを判別する処理や、広告情報データベース２１４を登録するにあたり、広告管理会社側登録管理サーバ３Ａとの申請処理などが実行される。
【０２４８】
図１４（ｂ）のステップＳ２０２で認証処理が成功した場合、広告主側登録管理サーバ２Ａは、図１４（ａ）のステップＳ１０３に移行して、広告主側データベースサーバ２Ｂに格納された利用者に配信する複数の広告情報データベース２１４（送着信音声及びメロディデータ、映像及び画像データ、テキストデータなど）を広告管理会社側登録管理サーバ３Ａへ送信する。
【０２４９】
図１４（ｂ）のステップＳ２０３で、広告管理会社側登録管理サーバ３Ａは、広告主側登録管理サーバ２Ａから送信された利用者に配信する複数の広告情報データベース２１４（送着信音声及びメロディデータ、映像及び画像データ、テキストデータなど）を受信し、ステップＳ２０４に移行して、広告情報データベース２１４を広告管理会社側データベースサーバ３Ｂの広告情報データベース３１４に登録及び格納する。
【０２５０】
図１４（ｂ）のステップＳ２０５で、広告管理会社側登録管理サーバ３Ａは、広告管理会社側データベースサーバ３Ｂに格納された各広告データ３１４２〜３１４５に、予め登録された情報処理プログラムに従って、有効期限情報を含む広告情報認証番号３１４０が発行され、広告管理会社側データベースサーバ３Ｂの広告情報データベース３１４に登録及び格納される。そして、広告管理会社側登録管理サーバ３Ａは、ステップＳ２０６に移行して、広告情報データベース２１４が、情報処理プログラムに従って発行された広告情報認証番号３１４０及び広告情報データベース２１４の登録及び更新が完了したことを示す登録・更新済み通知を広告主側登録管理サーバ２Ａへ送信し、本処理を終了する。
【０２５１】
図１４（ａ）のステップＳ１０４で、広告主側登録管理サーバ２Ａは、広告管理会社側登録管理サーバ３Ａから送信された広告情報認証番号３１４０及び登録・更新済み通知を受信し、広告主側データベースサーバ２Ｂの利用者情報データベース２１５に登録及び格納して、本処理を終了する。
【０２５２】
図１５は、図１に示す広告システム１における広告情報登録処理を示すフローチャートであり、（ａ）は広告管理会社側登録管理サーバ３Ａの動作を示し、（ｂ）は電話事業会社側登録管理サーバ４Ａの動作を示す。
【０２５３】
図１に示す広告システム１にあって、広告管理会社側登録管理サーバ３Ａにより、広告情報データベース３１４を電話事業会社側登録管理サーバ４Ａに登録することにおいて、図１５（ａ）の登録処理を開始する。図１５（ａ）のステップＳ３０１で、広告管理会社側登録管理サーバ３Ａは、通信回線１１を介して、電話事業会社側登録管理サーバ４Ａにアクセスし、電話事業会社側登録管理サーバ４Ａによって、アクセスが受け付けられた後、ステップＳ３０２に移行して、電話事業会社側登録管理サーバ４Ａとの間で、認証及び通信処理などの認証処理を実行する。
【０２５４】
ここで、広告管理会社側登録管理サーバ３Ａと電話事業会社側登録管理サーバ４Ａとの間で実行される認証処理は、例えば、広告管理会社側登録管理サーバ３Ａが事前に、電話事業会社側登録管理サーバ４Ａの認識コードが登録されているか否かを判別する処理や、広告情報データベース３１４を登録するにあたり、電話事業会社・登録管理サーバ４Ａとの申請処理などが実行される。
【０２５５】
図１５（ｂ）のステップＳ４０２で認証処理が成功した場合、広告管理会社側登録管理サーバ３Ａは、図１５（ａ）のステップＳ３０３に移行して、広告管理会社側データベースサーバ３Ｂに格納された広告情報認証番号を含む広告情報データベース３１４を電話事業会社側登録管理サーバ４Ａへ送信する。
【０２５６】
図１５（ｂ）のステップＳ４０３で、電話事業会社側登録管理サーバ４Ａは、広告管理会社側登録管理サーバ３Ａから送信された広告情報認証番号を含む広告情報データベース３１４を受信し、ステップＳ４０４に移行して、受信した広告情報データベース３１４を電話事業会社側データベースサーバ４Ｂの広告情報データベース４１７に登録及び格納する。
【０２５７】
図１５（ｂ）のステップＳ４０５で、電話事業会社側登録管理サーバ４Ａは、広告情報認証番号を含む広告情報データベース３１４の登録及び更新が完了したことを示す登録・更新済み通知を広告管理会社側登録管理サーバ３Ａへ送信し、本処理を終了する。
【０２５８】
図１５（ａ）のステップＳ３０４で、広告管理会社側登録管理サーバ３Ａは、電話事業会社側登録管理サーバ４Ａから送信された登録・更新済み通知を受信し、広告管理会社側データベースサーバ３Ｂの利用者情報データベース３１５に登録及び格納して、本処理を終了する。
【０２５９】
図１６は、図１に示す広告システム１における広告情報利用登録処理を示すフローチャートであり、（ａ）は広告情報を利用登録する利用者が所有する第１の移動電話７Ｄの動作を示し、（ｂ）は電話事業会社側登録管理サーバ４Ａの動作を示す。
【０２６０】
図１に示す広告システム１にあって、第１の移動電話７Ｄにより、電話事業会社側登録管理サーバ４Ａと広告情報の利用登録をすることにおいて、図１６（ａ）の登録処理を開始する。図１６（ａ）のステップＳ５０１で、第１の移動電話７Ｄは、インターネット９を介して、電話事業会社側登録管理サーバ４Ａにアクセスする。
【０２６１】
図１６（ｂ）のステップＳ６０１でアクセスが成功した場合、電話事業会社側登録管理サーバ４Ａは、ステップＳ６０２に移行して、広告利用要求情報に基づいて、第１の移動電話７Ｄが選択できる広告情報認証番号４１７０を種類や項目などに選択する。その後、図１６（ｂ）のステップＳ６０３に移行し、電話事業会社側登録管理サーバ４Ａは、ステップＳ６０２で選択した広告情報認証番号４１７０を広告一覧として、第１の移動電話７Ｄへ送信する。
【０２６２】
図１６（ａ）のステップＳ５０１で、電話事業会社側登録管理サーバ４Ａによって、アクセスが受け付けられた後、第１の移動電話７Ｄは、ステップＳ５０２に移行して、電話事業会社側登録管理サーバ４Ａから送信された広告一覧を受信し、ステップＳ５０３に移行して、第１の移動電話７Ｄは、第１の移動電話７Ｄ及び第２の移動電話７Ｅへ送信する広告情報認証番号４１７０を電話事業会社側登録管理サーバ４Ａから送信された広告一覧より選択する。
【０２６３】
図１６（ａ）のステップＳ５０４で、第１の移動電話７Ｄは、電話事業会社側登録管理サーバ４Ａとの間で、広告情報の利用申請及び利用登録などの認証処理を実行する。
【０２６４】
ここで、第１の移動電話７Ｄと電話事業会社側登録管理サーバ４Ａとの間で実行される認証処理は、例えば、第１の移動電話７Ｄが、事前に、電話事業会社側登録管理サーバ４Ａの認識コードが登録されているか否かを判別する処理や、第１の移動電話７Ｄが、ステップＳ５０２で受信した電話事業会社側登録管理サーバ４Ａから送信された広告一覧より選択した第１の移動電話７Ｄ及び第２の移動電話７Ｅへ送信する広告情報認証番号４１７０を登録するにあたり、電話事業会社側登録管理サーバ４Ａとの申請処理などが実行される。
【０２６５】
図１６（ｂ）のステップＳ６０４で認証処理が成功した場合、電話事業会社側登録管理サーバ４Ａは、ステップＳ６０５に移行して、第１の移動電話７Ｄとの広告利用登録内容及び広告一覧より第１の移動電話７Ｄが選択した広告情報認証番号４１７０などを電話事業会社側データベースサーバ４Ｂの広告配布情報データベース４１８に登録及び格納する。
【０２６６】
図１６（ｂ）のステップＳ６０６で、電話事業会社側登録管理サーバ４Ａは、第１の移動電話７Ｄとの広告利用登録内容及び広告情報認証番号４１７０の登録及び更新が完了したことを示す登録・更新済み通知とともに、第１の移動電話７Ｄが、ステップＳ５０２で受信した電話事業会社側登録管理サーバ４Ａから送信された広告一覧より選択した広告情報認証番号４１７０を第１の移動電話７Ｄへ送信し、本処理を終了する。
【０２６７】
図１６（ａ）のステップＳ５０５で、第１の移動電話７Ｄは、電話事業会社側登録管理サーバ４Ａから送信された登録・更新済み通知及びステップＳ５０２で受信した電話事業会社側登録管理サーバ４Ａから送信された広告一覧より、第１の移動電話７Ｄが選択した広告情報認証番号４１７０を受信し、第１の移動電話７Ｄは、図７に示すメモリ７７０３の広告情報管理データベース７２に登録及び格納する。
【０２６８】
図１６（ａ）のステップＳ５０６で、第１の移動電話７Ｄは、図７に示すメモリ７７０３の広告情報管理データベース７２より、第１の移動電話７Ｄ及び第２の移動電話７Ｅへ送信する広告情報認証番号７２０を選択して、本処理を終了する。
【０２６９】
図１７は、図１に示す広告システムにおける出荷認証番号登録処理を示すフローチャートであり、（ａ）は電話事業会社側登録管理サーバ４Ａの動作を示し、（ｂ）は広告管理会社側登録管理サーバ３Ａの動作を示し、（ｃ）は電子通信機器会社側登録管理サーバ７Ｂの動作を示す。
【０２７０】
図１に示す広告システム１にあって、電子通信機器会社側登録管理サーバ７Ｂから、制限広告出荷要求情報を広告管理会社側登録管理サーバ３Ａに送信することにより、制限広告情報データベース７１３を電話事業会社側登録管理サーバ４Ａ及び電子通信機器会社側登録管理サーバ７Ｂに登録することにおいて、図１７（ｃ）の登録処理を開始する。図１７（ｃ）のステップＳ９０１で、電子通信機器会社側登録管理サーバ７Ｂは、通信回線１２を介して、広告管理会社側登録管理サーバ３Ａにアクセスし、広告管理会社側登録管理サーバ３Ａによって、アクセスが受け付けられた後、ステップＳ９０２に移行して、広告管理会社側登録管理サーバ３Ａとのアクセスを受付け、ステップＳ９０３に移行して、広告管理会社側登録管理サーバ３Ａとの間で、認証及び通信処理などの認証処理を実行する。
【０２７１】
ここで、電子通信機器会社側登録管理サーバ７Ｂと広告管理会社側登録管理サーバ３Ａとの間で実行される認証処理は、例えば、電子通信機器会社側登録管理サーバ７Ｂが事前に、広告管理会社側登録管理サーバ３Ａの認識コードが登録されているか否かを判別する処理や、制限広告情報データベース７１３を登録するにあたり、広告管理会社側登録管理サーバ３Ａとの申請処理などが実行される。
【０２７２】
図１７（ｂ）のステップＳ８０１で、広告管理会社側登録管理サーバ３Ａは、通信回線１１を介して、電話事業会社側登録管理サーバ４Ａにアクセスし、電話事業会社側登録管理サーバ４Ａによって、アクセスが受け付けられた後、ステップＳ８０２に移行して、電話事業会社側登録管理サーバ４Ａとの間で、認証及び通信処理などの認証処理を実行する。
【０２７３】
ここで、広告管理会社側湾歩ｇ告サーバ３Ａと電子通信機器会社・ータ会社・例えば、発信元・登録管理サーバ３Ａと電話事業会社側登録管理サーバ４Ａとの間で実行される認証処理は、例えば、広告管理会社側登録管理サーバ３Ａが事前に、電話事業会社側登録管理サーバ４Ａの認識コードが登録されているか否かを判別する処理や、制限広告情報データベース７１３を登録するにあたり、電話事業会社側登録管理サーバ４Ａとの申請処理などが実行される。
【０２７４】
また、図１７（ｂ）のステップＳ８０１で、広告管理会社側登録管理サーバ３Ａは、通信回線１２を介して、電子通信機器会社側登録管理サーバ７Ｂにアクセスし、電子通信機器会社側登録管理サーバ７Ｂによって、アクセスが受け付けられた後、ステップＳ８０２に移行して、電子通信機器会社側登録管理サーバ７Ｂとの間で、認証及び通信処理などの認証処理を実行する。
【０２７５】
ここで、広告管理会社側登録管理サーバ３Ａと電子通信機器会社・登録管理サーバ７Ｂとの間で実行される認証処理は、例えば、広告管理会社側登録管理サーバ３Ａが事前に、電子通信機器会社側登録管理サーバ７Ｂの認識コードが登録されているか否かを判別する処理や、制限広告情報データベース７１３を登録するにあたり、電子通信機器会社側登録管理サーバ７Ｂとの申請処理などが実行される。
【０２７６】
図１７（ｂ）のステップＳ８０２で認証処理が成功した場合、広告管理会社側登録管理サーバ３Ａは、ステップＳ８０３に移行して、情報処理プログラムに従って、出荷認証番号４１７０を発行し、広告管理会社側データベースサーバ３Ｂの広告情報データベース３１４に登録及び格納する。その後、ステップＳ８０４に移行して、広告管理会社側データベースサーバ３Ｂに格納された出荷認証番号を含む広告情報データベース３１４を電話事業会社側登録管理サーバ４Ａへ送信する。
【０２７７】
図１７（ａ）のステップＳ７０３で、電話事業会社側登録管理サーバ４Ａは、広告管理会社側登録管理サーバ３Ａから送信された出荷認証番号を含む広告情報データベース３１４を受信し、ステップＳ７０４に移行して、出荷認証番号を含む広告情報データベース３１４を電話事業会社側データベースサーバ４Ｂの広告情報データベース４１７に登録及び格納する。
【０２７８】
図１７（ａ）のステップＳ７０４で、電話事業会社側登録管理サーバ４Ａは、出荷認証番号を含む広告情報データベース３１４の登録及び更新が完了したことを示す登録・更新済み通知を広告管理会社側登録管理サーバ３Ａへ送信し、本処理を終了する。
【０２７９】
図１７（ｂ）のステップＳ８０５で、広告管理会社側登録管理サーバ３Ａは、電話事業会社側登録管理サーバ４Ａから送信された登録・更新済み通知を受信し、広告管理会社側登録管理サーバ３Ａは、広告管理会社側データベースサーバ３Ｂの出荷認証番号を含む広告情報データベース３１４に登録及び格納する。その後、ステップＳ８０６に移行して、広告管理会社側データベースサーバ３Ｂに格納された出荷認証番号を含む広告情報データベース３１４を電子通信機器会社側登録管理サーバ７Ｂへ送信する。
【０２８０】
図１７（ｃ）のステップＳ９０４で、電子通信機器会社側登録管理サーバ７Ｂは、広告管理会社側登録管理サーバ３Ａから送信された出荷認証番号を含む広告情報データベース３１４を受信し、ステップＳ９０５に移行して、出荷認証番号を含む広告情報データベース３１４を電子通信機器会社側データベースサーバ７Ｃの制限広告情報データベース７１３に登録及び格納し、本処理を終了する。
【０２８１】
図１８は、図１に示す電子通信機器会社側広告配信システム７における制限広告情報登録処理及び変換・再生用起動プログラム登録処理を示すフローチャートであり、（ａ）は電子通信機器会社側登録管理サーバ７Ｂの動作を示し、（ｂ）は移動電話７Ａの動作を示す。
【０２８２】
図１に示す電子通信機器会社側広告配信システム７にあって、電子通信機器会社側登録管理サーバ７Ｂにより、制限広告情報の登録及び広告情報または制限広告情報を受信した際に起動する起動プログラムを移動電話７Ａに登録することにおいて、図１８（ａ）の登録処理を開始する。図１８（ａ）のステップＳ１００１で、電子通信機器会社側登録管理サーバ７Ｂは、専用回線などを介して、移動電話７Ａにアクセスし、移動電話７Ａによって、アクセスが受け付けられた後、ステップＳ１００２に移行して、移動電話７Ａとの間で、認証処理などを実行する。
【０２８３】
ここで、電子通信機器会社側登録管理サーバ７Ｂと移動電話７Ａとの間で実行される認証処理は、例えば、電子通信機器会社側登録管理サーバ７Ｂが事前に、移動電話７Ａ固有の利用者情報が登録されているか否かを判別する処理などが実行される。
【０２８４】
図１８（ｂ）のステップＳ１１０２で認証処理が成功した場合、電子通信機器会社側登録管理サーバ７Ｂは、図１８（ａ）のステップＳ１００３に移行して、電子通信機器会社側データベースサーバ７Ｃの制限広告情報データベース７１３に格納された制限広告音声データ７１３２、制限広告映像データ７１３３などを移動電話７Ａへ送信する。
【０２８５】
図１８（ｂ）のステップＳ１１０３で、移動電話７Ａは、電子通信機器会社側登録管理サーバ７Ｂから送信された工場出荷状態または広告情報の利用を制限した際における制限広告音声データ７１３２、制限広告映像データ７１３３を受信し、ステップＳ１１０４に移行して、制限広告音声データ７１３２、制限広告映像データ７１３３を移動電話７Ａ内の図７に示すメモリ７７０３の制限広告情報管理データベース７３に登録及び格納する。
【０２８６】
図１８（ａ）のステップＳ１００４で、電子通信機器会社側登録管理サーバ７Ｂは、基地局６Ａ，６Ｂを介して、交換機５より送信される広告情報または制限広告情報を変換・再生する起動プログラムを移動電話７Ａへ送信する。
【０２８７】
図１８（ｂ）のステップＳ１１０５で、移動電話７Ａは、電子通信機器会社側登録管理サーバ７Ｂから送信された起動プログラムを受信し、ステップＳ１１０６に移行して、起動プログラムを移動電話７Ａ内の図７に示すメモリ７７０３に登録及び格納する。
【０２８８】
図１８（ａ）のステップＳ１００５で、電子通信機器会社側登録管理サーバ７Ｂは、移動電話７Ａ内の図７に示すメモリ７７０３に格納された起動プログラムによって、移動電話７Ａが発呼報知または着呼報知する動作確認をするため、所定の動作確認音声データ７１４２、動作確認映像データ７１４３を移動電話７Ａへ送信する。
【０２８９】
図１８（ｂ）のステップＳ１１０７で、移動電話７Ａは、電子通信機器会社側登録管理サーバ７Ｂから送信された所定の動作確認音声データ７１４２、動作確認映像データ７１４３を受信し、移動電話７Ａ内の図７に示すメモリ７７０３に格納された起動プログラムによって、移動電話７Ａが発呼報知または着呼報知の動作を実行し、ステップＳ１１０８に移行して、制限広告音声データ７１３２、制限広告映像データ７１３３の登録及び更新が完了したことを示す登録・更新済み通知とともに、所定の初制限広告音声データ７１３２、制限広告映像データ７１３３による動作プログラムの動作確認済み通知を電子通信機器会社側登録管理サーバ７Ｂへ送信し、本処理を終了する。
【０２９０】
図１８（ａ）のステップＳ１００６で、電子通信機器会社側登録管理サーバ７Ｂは、移動電話７Ａから送信された登録・更新済み通知及び動作確認済み通知を受信して、本処理を終了する。
【０２９１】
図１９は、図１に示す広告システム１における発信処理を示すフローチャートであり、（ａ）は発信側である第１の移動電話７Ｄの動作を示し、（ｂ）は交換機５の動作を示す。
【０２９２】
図１に示す広告システム１にあって、第１の移動電話７Ｄにより、発信信号を交換機５に送信することにおいて、図１９（ａ）の配信処理を開始する。図１９（ａ）のステップＳ１２０１で、第１の移動電話７Ｄは、受信先を指定し、ステップＳ１２０２に移行して、第１の移動電話７Ｄは、基地局６Ａを介して、交換機５に第１の移動電話７Ｄ固有の発信元利用者電話番号５１７０、第２の移動電話７Ｅ固有の受信先利用者電話番号５１７２、第１の移動電話７Ｄが選択した第１の移動電話７Ｄ内の図７に示すメモリ７７０３に格納された広告情報認証番号７２０または出荷認証番号７３０などを送信する。
【０２９３】
図１９（ｂ）のステップＳ１３０１で、交換機５は、第１の移動電話７Ｄから送信された第１の移動電話７Ｄ固有の発信元利用者電話番号５１７０、第２の移動電話７Ｅ固有の受信先利用者電話番号５１７２、第１の移動電話７Ｄが選択した広告情報認証番号７２０または出荷認証番号７３０などを受信し、ステップＳ１３０２に移行して、交換機５は、通信回線１３を介して、電話事業会社側登録管理サーバ４Ａとアクセスして検索を要求する。
【０２９４】
図１９（ｂ）のステップＳ１３０３で、交換機５は、電話事業会社側登録管理サーバ４Ａから応答される照合結果により、第１の移動電話７Ｄ固有の発信元利用者電話番号５１７０と第１の移動電話７Ｄが選択した広告情報認証番号７２０の広告利用登録との照合を判別し、第１の移動電話７Ｄ固有の発信元利用者電話番号５１７０と第１の移動電話７Ｄが選択した広告情報認証番号７２０との広告利用登録が照合した場合は、ステップＳ１３０５へ移行する。
【０２９５】
図１９（ｂ）のステップＳ１３０５で、交換機５は、通信回線１３を介して、電話事業会社側登録管理サーバ４Ａとアクセスして、第１の移動電話７Ｄが選択した広告情報認証番号７２０と照合した電話事業会社側データベースサーバ４Ｂの広告情報データベース４１７に格納された広告情報認証番号４１７０及び広告情報認証番号４１７０に対応した広告情報データベース４１７に格納された広告音声データ４１７３と広告映像データ４１７５を、通信回線１４を介して、電話事業会社側データベースサーバ４Ｂから取得する。また、ステップＳ１３０３で、電話事業会社側登録管理サーバ４Ａから応答される照合結果により、第１の移動電話７Ｄ固有の発信元利用者電話番号５１７０と第１の移動電話７Ｄが選択した広告情報認証番号７２０との広告利用登録が照合しなかった場合は、ステップＳ１３０４へ移行する。
【０２９６】
図１９（ｂ）のステップＳ１３０４で、交換機５は、通信回線１３を介して、電話事業会社側登録管理サーバ４Ａとアクセスして、電話事業会社側データベースサーバ４Ｂの広告情報データベース４１７に格納された出荷認証番号４１７０を、通信回線１４を介して、電話事業会社側データベースサーバ４Ｂから取得する。
【０２９７】
図１９（ｂ）のステップＳ１３０６で、交換機５は、ステップＳ１３０４またはステップＳ１３０５にて取得した各種広告情報及び認証番号を、基地局６Ａを介して、第１の移動電話７Ｄへ送信し、ステップＳ１３０７に移行して、交換機５は、ステップＳ１３０４またはステップＳ１３０５にて取得した各種広告情報及び認証番号と着信信号を、基地局６Ｂを介して、第２の移動電話７Ｅへ送信し、本処理を終了する。
【０２９８】
図１９（ａ）のステップＳ１２０３で、第１の移動電話７Ｄは、交換機５から送信されたステップＳ１３０４またはステップＳ１３０５にて取得した各種広告情報及び認証番号を受信し、本処理を終了する。
【０２９９】
図２０は、図１に示す発信側である第１の移動電話７Ｄにおける発信発呼処理を示すフローチャートである。
【０３００】
図２０のステップＳ１４０１で、第１の移動電話７Ｄは、基地局６Ａを介して、交換機５から送信された図１９（ｂ）のステップＳ１３０４またはステップＳ１３０５にて取得した各種広告情報及び認証番号を受信し、ステップＳ１４０２へ移行して、第１の移動電話７Ｄは、交換機５から送信された認証番号が、出荷認証番号であるか否かを判別し、出荷認証番号である場合は、ステップＳ１４０３へ移行して、第１の移動電話７Ｄ内の図７に示すメモリ７７０３の出荷認証番号７３０及び制限広告情報管理データベース７３に格納された制限広告音声データ７３２、制限広告映像データ７３３を取得し、ステップＳ１４０４へ移行して、取得した制限広告音声データ７３２、制限広告映像データ７３３を第１の移動電話７Ｄ内の図７に示すメモリ７７０３の発信履歴管理データベース７５に記憶し、登録及び格納する。
【０３０１】
図２０のステップＳ１４０２で、第１の移動電話７Ｄは、交換機５から送信された認証番号が、出荷認証番号であるか否かを判別し、出荷認証番号でない場合は、ステップＳ１４０５へ移行して、第１の移動電話７Ｄは、基地局６Ａを介して、交換機５から送信された図１９（ｂ）のＳ１３０５にて取得した各種広告情報及び広告情報認証番号５１７１を取得し、ステップＳ１４０６へ移行して、第１の移動電話７Ｄは、取得した各種広告情報及び広告情報認証番号５１７１を第１の移動電話７Ｄ内の図７に示すメモリ７７０３の発信履歴管理データベース７５に記憶し、登録及び格納する。
【０３０２】
図２０のステップＳ１４０７で、第１の移動電話７Ｄは、ステップＳ１４０４またはステップＳ１４０６にて記憶した各種広告情報を、第１の移動電話７Ｄ内の図７に示すメモリ７７０３に格納された起動プログラムに従って、変換及び再生出力され、ステップＳ１４１０へ移行して、第１の移動電話７Ｄは、第１の移動電話７Ｄ内の図７に示すＣＰＵ７７０２及び音声・送信音声処理部７７１０において、通話・送信音声再生用スピーカ７７１１から発信発呼報知として出力されて、本処理を終了する。
【０３０３】
図２０のステップＳ１４０８で、第１の移動電話７Ｄは、ステップＳ１４０３にて、第１の移動電話７Ｄ内の図７に示すメモリ７７０３の出荷認証番号７３０及び制限広告情報管理データベース７３に格納された制限広告音声データ７３２、制限広告映像データ７３３を取得し、ステップＳ１４０４にて、記憶した各種制限広告情報及び出荷認証番号７３０が格納された第１の移動電話７Ｄ内の図７に示すメモリ７７０３の発信履歴管理データベース７５からサイト閲覧プログラムを選択し、インターネット接続を選択することができる。
【０３０４】
図２０のステップＳ１４０９で、第１の移動電話７Ｄは、ステップＳ１４０８にて、第１の移動電話７Ｄ内の図７に示すメモリ７７０３の発信履歴管理データベース７５からインターネット接続を選択した場合には、指定されたホームページのアドレス情報などのリンク情報を更に有した第１の移動電話７Ｄ内の図７に示すメモリ７７０３の発信履歴管理データベース７５に格納された各種制限広告情報より、インターネットに接続され、本処理を終了する。
【０３０５】
図２０のステップＳ１４１１で、第１の移動電話７Ｄは、基地局６Ａを介して、交換機５から送信された図１９（ｂ）のＳ１３０５にて取得した各種広告情報及び広告情報認証番号５１７１を取得し、ステップＳ１４０６にて、記憶した各種広告情報及び広告情報認証番号５１７１が格納された第１の移動電話７Ｄ内の図７に示すメモリ７７０３の発信履歴管理データベース７５からサイト閲覧プログラムを選択し、インターネット接続を選択することができる。
【０３０６】
図２０のステップＳ１４１２で、第１の移動電話７Ｄは、ステップＳ１４１１にて、第１の移動電話７Ｄ内の図７に示すメモリ７７０３の発信履歴管理データベース７５からインターネット接続を選択した場合には、指定されたホームページのアドレス情報などのリンク情報を更に有した第１の移動電話７Ｄ内の図７に示すメモリ７７０３の発信履歴管理データベース７５に格納された各種広告情報より、インターネットに接続され、本処理を終了する。
【０３０７】
図２１は、図１に示す受信側である第２の移動電話７Ｅにおける着信発呼処理を示すフローチャートである。
【０３０８】
図２１のステップＳ１５０１で、第２の移動電話７Ｅは、基地局６Ｂを介して、交換機５から送信された着信信号及び図１９（ｂ）のステップＳ１３０４またはステップＳ１３０５にて取得した各種広告情報及び認証番号を受信し、ステップＳ１５０２へ移行して、第２の移動電話７Ｅは、交換機５から送信された認証番号が、出荷認証番号であるか否かを判別し、出荷認証番号である場合は、ステップＳ１５０３へ移行して、第２の移動電話７Ｅ内の図７に示すメモリ７７０３の出荷認証番号７３０及び制限広告情報管理データベース７３に格納された制限広告音声データ７３２、制限広告映像データ７３３を取得し、ステップＳ１５０４へ移行して、取得した制限広告音声データ７３２、制限広告映像データ７３３を第２の移動電話７Ｅ内の図７に示すメモリ７７０３の受信履歴管理データベース７６に記憶し、登録及び格納する。
【０３０９】
図２１のステップＳ１５０２で、第２の移動電話７Ｅは、交換機５から送信された認証番号が、出荷認証番号であるか否かを判別し、出荷認証番号でない場合は、ステップＳ１５０５へ移行して、第２の移動電話７Ｅは、基地局６Ｂを介して、交換機５から送信された図１９（ｂ）Ｓ１３０５にて取得した各種広告情報及び広告情報認証番号５１７１を取得し、ステップＳ１５０６へ移行して、第２の移動電話７Ｅは、取得した各種広告情報及び広告情報認証番号５１７１を第２の移動電話７Ｅ内の図７に示すメモリ７７０３の受信履歴管理データベース７６に記憶し、登録及び格納する。
【０３１０】
図２１のステップＳ１５０７で、第２の移動電話７Ｅは、ステップＳ１５０４またはステップＳ１５０６にて記憶した各種広告情報を、第２の移動電話７Ｅ内の図７に示すメモリ７７０３に格納された起動プログラムに従って、変換及び再生出力され、ステップＳ１５１０へ移行して、第２の移動電話７Ｅは、第２の移動電話７Ｅ内の図７に示すＣＰＵ７７０２及び音声・送信音声処理部７７１０において、通話・送信音声再生用スピーカ７７１１から着信発呼報知として出力されて、本処理を終了する。
【０３１１】
図２１のステップＳ１５０８で、第２の移動電話７Ｅは、ステップＳ１５０３にて、第２の移動電話７Ｅ内の図７に示すメモリ７７０３の出荷認証番号７３０及び制限広告情報管理データベース７３に格納された制限広告音声データ７３２、制限広告映像データ７３３を取得し、ステップＳ１５０４にて、記憶した各種制限広告情報及び出荷認証番号７３０が格納された第２の移動電話７Ｅ内の図７に示すメモリ７７０３の受信履歴管理データベース７６からサイト閲覧プログラムを選択し、インターネット接続を選択することができる。
【０３１２】
図２１のステップＳ１５０９で、第２の移動電話７Ｅは、ステップＳ１５０８にて、第２の移動電話７Ｅ内の図７に示すメモリ７７０３の受信履歴管理データベース７６からインターネット接続を選択した場合には、指定されたホームページのアドレス情報などのリンク情報を更に有した第２の移動電話７Ｅ内の図７に示すメモリ７７０３の受信履歴管理データベース７６に格納された各種制限広告情報より、インターネットに接続され、本処理を終了する。
【０３１３】
図２１のステップＳ１５１１で、第２の移動電話７Ｅは、基地局６Ｂを介して、交換機５から送信された図１９（ｂ）のＳ１３０５にて取得した各種広告情報及び広告情報認証番号５１７１を取得し、ステップＳ１５０６にて、記憶した各種広告情報及び広告情報認証番号５１７１が格納された第２の移動電話７Ｅ内の図７に示すメモリ７７０３の受信履歴管理データベース７６からサイト閲覧プログラムを選択し、インターネット接続を選択することができる。
【０３１４】
図２１のステップＳ１５１２で、第２の移動電話７Ｅは、ステップＳ１５１１にて、第２の移動電話７Ｅ内の図７に示すメモリ７７０３の受信履歴管理データベース７６からインターネット接続を選択した場合には、指定されたホームページのアドレス情報などのリンク情報を更に有した第２の移動電話７Ｅ内の図７に示すメモリ７７０３の受信履歴管理データベース７６に格納された各種広告情報より、インターネットに接続され、本処理を終了する。
【０３１５】
図２２は、図１に示す広告システム１における広告情報通知履歴登録処理を示すフローチャートであり、（ａ）は交換機５の動作を示し、（ｂ）は電話事業会社側登録管理サーバ４Ａの動作を示す。
【０３１６】
図１に示す広告システム１にあって、交換機５により、広告情報の利用登録者及び広告情報の送受信履歴を電話事業会社側登録管理サーバ４Ａに登録することにおいて、図２２（ａ）の登録処理を開始する。図２２（ａ）のステップＳ１６０１で、交換機５は、広告情報を送信した第１の移動電話７Ｄ固有の発信元利用者電話番号５１８０及び広告情報を送信した送信履歴などを発信側通知実績として記録し、ステップＳ１６０２に移行して、交換機５は、通信回線１３を介して、電話事業会社側登録管理サーバ４Ａにアクセスし、電話事業会社側登録管理サーバ４Ａによってアクセスが受け付けられた後、記録した発信側通知実績を送信する。
【０３１７】
図２２（ｂ）のステップＳ１７０１で、電話事業会社側登録管理サーバ４Ａは、交換機５から送信された発信側通知実績を受信し、ステップＳ１７０２に移行して、受信した発信側通知実績を電話事業会社側データベースサーバ４Ｂの利用者情報データベース４１９に登録及び格納する。
【０３１８】
図２２（ａ）のステップＳ１６０３で、交換機５は、広告情報を送信し受信された第２の移動電話７Ｅ固有の受信先利用者電話番号５１８４及び広告情報を送信した送信履歴などを着信側通知実績として記録し、ステップＳ１６０４に移行して、交換機５は、通信回線１３を介して、電話事業会社側登録管理サーバ４Ａにアクセスし、電話事業会社側登録管理サーバ４Ａによってアクセスが受け付けられた後、記録した着信側通知実績を送信して、本処理を終了する。
【０３１９】
図２２（ｂ）のステップＳ１７０３で、電話事業会社側登録管理サーバ４Ａは、交換機５から送信された着信側通知実績を受信し、ステップＳ１７０４に移行して、受信した着信側通知実績を電話事業会社側データベースサーバ４Ｂの利用者情報データベース４１９に登録及び格納して、本処理を終了する。
【０３２０】
図２３は、図１に示す広告システム１における広告情報通知履歴登録処理を示すフローチャートであり、（ａ）は電話事業会社側登録管理サーバ４Ａの動作を示し、（ｂ）は広告管理会社側登録管理サーバ３Ａの動作を示す。
【０３２１】
図１に示す広告システム１にあって、電話事業会社側登録管理サーバ４Ａにより、広告情報の利用登録者及び広告情報の送受信履歴を広告管理会社側登録管理サーバ３Ａに登録することにおいて、図２３（ａ）の登録処理を開始する。図２３（ａ）のステップＳ１８０１で、電話事業会社側登録管理サーバ４Ａは、通信回線１１を介して、広告管理会社側登録管理サーバ３Ａにアクセスし、広告管理会社側登録管理サーバ３Ａによって、アクセスが受け付けられた後、ステップＳ１８０２に移行して、広告管理会社側登録管理サーバ３Ａとの間で、認証処理などを実行する。
【０３２２】
ここで、電話事業会社側登録管理サーバ４Ａと広告管理会社側登録管理サーバ３Ａとの間で実行される認証処理は、例えば、電話事業会社側登録管理サーバ４Ａが事前に、広告管理会社側登録管理サーバ３Ａの認識コードが登録されているか否かを判別する処理や、広告情報の利用登録者及び広告情報の送受信履歴を登録するにあたり、広告管理会社側登録管理サーバ３Ａとの認証処理などが実行される。
【０３２３】
図２３（ｂ）のステップＳ１９０２で認証処理が成功した場合、電話事業会社側登録管理サーバ４Ａは、図２３（ａ）のステップＳ１８０３に移行して、電話事業会社側データベースサーバ４Ｂに格納された広告配布情報データベース４１８及び利用者情報データベース４１９を広告管理会社側登録管理サーバ３Ａへ送信する。
【０３２４】
図２３（ｂ）のステップＳ１９０３で、広告管理会社側登録管理サーバ３Ａは、電話事業会社側登録管理サーバ４Ａから送信された広告配布情報データベース４１８及び利用者情報データベース４１９を受信し、ステップＳ１９０４に移行して、広告管理会社側登録管理サーバ３Ａは、送信された利用者情報データベース４１９を広告管理会社側データベースサーバ３Ｂの利用者情報データベース３１５に広告利用履歴として登録及び格納し、ステップＳ１９０５に移行して、広告管理会社側登録管理サーバ３Ａは、送信された広告配布情報データベース４１８を広告管理会社側データベースサーバ３Ｂの利用者情報データベース３１５に広告配布履歴として登録及び格納する。
【０３２５】
図２３（ｂ）のステップＳ１９０６で、広告管理会社側登録管理サーバ３Ａは、送信された広告配布情報データベース４１８及び利用者情報データベース４１９の登録及び更新が完了したことを示す登録・更新済み通知を電話事業会社側登録管理サーバ４Ａへ送信し、本処理を終了する。
【０３２６】
図２３（ａ）のステップＳ１８０４で、電話事業会社側登録管理サーバ４Ａは、広告管理会社側登録管理サーバ３Ａから送信された登録・更新済み通知を受信して、本処理を終了する。
【０３２７】
図２４は、図１に示す広告システム１における広告情報通知履歴登録処理を示すフローチャートであり、（ａ）は広告管理会社側登録管理サーバ３Ａの動作を示し、（ｂ）は広告主側登録管理サーバ２Ａの動作を示す。
【０３２８】
図１に示す広告システム１にあって、広告管理会社側登録管理サーバ３Ａにより、広告情報の利用登録者及び広告情報の送受信履歴を広告主側登録管理サーバ２Ａに登録することにおいて、図２４（ａ）の登録処理を開始する。図２４（ａ）のステップＳ２００１で、広告管理会社側登録管理サーバ３Ａは、通信回線１０を介して、広告主側登録管理サーバ２Ａにアクセスし、広告主側登録管理サーバ２Ａによって、アクセスが受け付けられた後、ステップＳ２００２に移行して、広告主側登録管理サーバ２Ａとの間で、認証処理などを実行する。
【０３２９】
ここで、広告管理会社側登録管理サーバ３Ａと広告主側登録管理サーバ２Ａとの間で実行される認証処理は、例えば、広告管理会社側登録管理サーバ３Ａが事前に、広告主側登録管理サーバ２Ａの認証コードが登録されているか否かを判別する処理や、広告情報の利用登録者及び広告情報の送受信履歴を登録するにあたり、広告主側登録管理サーバ２Ａとの認証処理などが実行される。
【０３３０】
図２４（ｂ）のステップＳ２１０２で認証処理が成功した場合、広告管理会社側登録管理サーバ３Ａは、図２４（ａ）のステップＳ２００３に移行して、広告管理会社側データベースサーバ３Ｂに格納された利用者情報データベース３１５を広告主側登録管理サーバ２Ａへ送信する。
【０３３１】
図２４（ｂ）のステップＳ２１０３で、広告主側登録管理サーバ２Ａは、広告管理会社側登録管理サーバ３Ａから送信された利用者情報データベース３１５を受信し、ステップＳ２１０４に移行して、広告主側登録管理サーバ２Ａは、送信された利用者情報データベース３１５の広告利用履歴を広告主側データベースサーバ２Ｂの利用者情報データベース２１５の広告利用実績として登録及び格納し、ステップＳ２１０５に移行して、広告主側登録管理サーバ２Ａは、送信された利用者情報データベース３１５の広告配布履歴を広告主側データベースサーバ２Ｂの利用者情報データベース２１５の広告配布実績として登録及び格納する。
【０３３２】
図２４（ｂ）のステップＳ２１０６で、広告主側登録管理サーバ２Ａは、送信された利用者情報データベース３１５の登録及び更新が完了したことを示す登録・更新済み通知を広告管理会社側登録管理サーバ３Ａへ送信し、本処理を終了する。
【０３３３】
図２４（ａ）のステップＳ２００４で、広告管理会社側登録管理サーバ３Ａは、広告主側登録管理サーバ２Ａから送信された登録・更新済み通知を受信して、本処理を終了する。
【０３３４】
図２５は、図１に示す広告システム１における利益還元通知登録処理を示すフローチャートであり、（ａ）は広告主側登録管理サーバ２Ａの動作を示し、（ｂ）は広告管理会社側登録管理サーバ３Ａの動作を示す。
【０３３５】
図１に示す広告システム１にあって、広告主側登録管理サーバ２Ａにより、利益還元通知を広告管理会社側登録管理サーバ３Ａに登録することにおいて、図２５（ａ）の登録処理を開始する。図２５（ａ）のステップＳ２２０１で、広告主側登録管理サーバ２Ａは、通信回線１０を介して、広告管理会社側登録管理サーバ３Ａにアクセスし、広告管理会社側登録管理サーバ３Ａによって、アクセスが受け付けられた後、ステップＳ２２０２に移行して、広告管理会社側登録管理サーバ３Ａとの間で、認証及び通信処理などの認証処理を実行する。
【０３３６】
ここで、広告主側登録管理サーバ２Ａと広告管理会社側登録管理サーバ３Ａとの間で実行される認証処理は、例えば、広告主側登録管理サーバ２Ａが事前に、広告管理会社側登録管理サーバ３Ａの認識コードが登録されているか否かを判別する処理や、利益還元通知を登録するにあたり、広告管理会社側登録管理サーバ３Ａとの申請処理などが実行される。
【０３３７】
図２５（ｂ）のステップＳ２３０２で認証処理が成功した場合、広告主側登録管理サーバ２Ａは、図２５（ａ）のステップＳ２２０３に移行して、広告利用実績に伴う利益還元の内容通知などを発行し、図２５（ａ）のステップＳ２２０４に移行して、発行した広告利用実績に伴う利益還元の内容通知を広告管理会社側登録管理サーバ３Ａへ送信する。
【０３３８】
図２５（ｂ）のステップＳ２３０３で、広告管理会社側登録管理サーバ３Ａは、広告主側登録管理サーバ２Ａから送信された広告利用実績に伴う利益還元の内容通知を受信し、ステップＳ２３０４に移行して、受信した広告利用実績に伴う利益還元の内容通知を広告管理会社側データベースサーバ３Ｂの利益還元情報データベース３１６に記録し、登録及び格納する。
【０３３９】
図２５（ｂ）のステップＳ２３０５で、広告管理会社側登録管理サーバ３Ａは、広告利用実績に伴う利益還元の内容通知の登録及び更新が完了したことを示す登録・更新済み通知を広告主側登録管理サーバ２Ａへ送信し、本処理を終了する。
【０３４０】
図２５（ａ）のステップＳ２２０５で、広告主側登録管理サーバ２Ａは、広告管理会社側登録管理サーバ３Ａから送信された登録・更新済み通知を受信し、広告主側登録管理サーバ２Ａは、広告主側データベースサーバ２Ｂの利益還元情報データベース２１６に記録し、登録及び格納して、本処理を終了する。
【０３４１】
図２６は、図１に示す広告システム１における利益還元通知登録処理を示すフローチャートであり、（ａ）は広告管理会社側登録管理サーバ３Ａの動作を示し、（ｂ）は電話事業会社側登録管理サーバ４Ａの動作を示す。
【０３４２】
図１に示す広告システム１にあって、広告管理会社側登録管理サーバ３Ａにより、利益還元通知を電話事業会社側登録管理サーバ４Ａに登録することにおいて、図２６（ａ）の登録処理を開始する。図２６（ａ）のステップＳ２４０１で、広告管理会社側登録管理サーバ３Ａは、通信回線１１を介して、電話事業会社側登録管理サーバ４Ａにアクセスし、電話事業会社側登録管理サーバ４Ａによって、アクセスが受け付けられた後、ステップＳ２４０２に移行して、電話事業会社側登録管理サーバ４Ａとの間で、認証及び通信処理などの認証処理を実行する。
【０３４３】
ここで、広告管理会社側登録管理サーバ３Ａと電話事業会社側登録管理サーバ４Ａとの間で実行される認証処理は、例えば、広告管理会社側登録管理サーバ３Ａが事前に、電話事業会社側登録管理サーバ４Ａの認識コードが登録されているか否かを判別する処理や、利益還元通知を登録するにあたり、電話事業会社側登録管理サーバ４Ａとの申請処理などが実行される。
【０３４４】
図２６（ｂ）のステップＳ２５０２で認証処理が成功した場合、広告管理会社側登録管理サーバ３Ａは、図２６（ａ）のステップＳ２４０３に移行して、広告管理会社側登録管理サーバ３Ａは、広告管理会社側データベースサーバ３Ｂの利益還元情報データベース３１６に格納された広告利用実績に伴う利益還元の内容通知を電話事業会社側登録管理サーバ４Ａへ送信する。
【０３４５】
図２６（ｂ）のステップＳ２５０３で、電話事業会社側登録管理サーバ４Ａは、広告管理会社側登録管理サーバ３Ａから送信された広告利用実績に伴う利益還元の内容通知を受信し、ステップＳ２５０４に移行して、電話事業会社側登録管理サーバ４Ａは、受信した広告利用実績に伴う利益還元の内容通知を電話事業会社側データベースサーバ４Ｂの利益還元情報データベース４２１に記録し、登録及び格納する。
【０３４６】
図２６（ｂ）のステップＳ２５０５で、電話事業会社側登録管理サーバ４Ａは、広告利用実績に伴う利益還元の内容通知の登録及び更新が完了したことを示す登録・更新済み通知を広告管理会社側登録管理サーバ３Ａへ送信し、本処理を終了する。
【０３４７】
図２６（ａ）のステップＳ２４０４で、広告管理会社側登録管理サーバ３Ａは、電話事業会社側登録管理サーバ４Ａから送信された登録・更新済み通知を受信し、広告管理会社側登録管理サーバ３Ａは、広告管理会社側データベースサーバ３Ｂの利益還元情報データベース３１６に記録し、登録及び格納して、本処理を終了する。
【０３４８】
図２７は、図１に示す広告システム１における利益還元通知登録及び利益還元受取認証処理を示すフローチャートであり、（ａ）は発信側である第１の移動電話７Ｄの動作を示し、（ｂ）は交換機５を介した電話事業会社側登録管理サーバ４Ａの動作を示し、（ｃ）は受信側である第２の移動電話７Ｅの動作を示す。
【０３４９】
図１に示す広告システム１にあって、電話事業会社側登録管理サーバ４Ａにより、利益還元通知を第１の移動電話７Ｄ及び第２の移動電話７Ｅに登録し、第１の移動電話７Ｄ及び第２の移動電話７Ｅにより、利益還元受取認証情報を電話事業会社側登録管理サーバ４Ａに登録することにおいて、図２７（ｂ）の登録処理を開始する。図２７（ｂ）のステップＳ２７０１で、電話事業会社側登録管理サーバ４Ａは、交換機５及び基地局６Ａ，６Ｂを介して、第１の移動電話７Ｄ及び第２の移動電話７Ｅにアクセスし、第１の移動電話７Ｄ及び第２の移動電話７Ｅによって、アクセスが受け付けられた後、ステップＳ２７０２に移行して、第１の移動電話７Ｄ及び第２の移動電話７Ｅとの間で、認証及び通信処理などの認証処理を実行する。
【０３５０】
ここで、電話事業会社側登録管理サーバ４Ａと第１の移動電話７Ｄ及び第２の移動電話７Ｅとの間で実行される認証処理は、例えば、第１の移動電話７Ｄ及び第２の移動電話７Ｅが事前に、電話事業会社側登録管理サーバ４Ａとの認識コードを許可しているか否かを判別する処理や、利益還元通知などを登録するにあたり、電話事業会社側登録管理サーバ４Ａとの送受信を許可する処理などが実行される。
【０３５１】
図２７（ａ）のステップＳ２６０２及び図２７（ｃ）のステップＳ２８０２での認証処理が成功した場合、電話事業会社側登録管理サーバ４Ａは、図２７（ｂ）のステップＳ２７０３に移行して、電話事業会社側登録管理サーバ４Ａは、電話事業会社側データベースサーバ４Ｂの利益還元情報データベース４２１に格納された広告利用実績に伴う利益還元の内容通知を第１の移動電話７Ｄ及び第２の移動電話７Ｅへ送信する。
【０３５２】
図２７（ａ）のステップＳ２６０３で、第１の移動電話７Ｄは、電話事業会社側登録管理サーバ４Ａから送信された広告利用実績に伴う利益還元の内容通知を受信し、ステップＳ２６０４に移行して、第１の移動電話７Ｄは、受信した広告利用実績に伴う利益還元の内容通知を第１の移動電話７Ｄ内の図７に示すメモリ７７０３の利益還元履歴に記録し登録及び格納するとともに、第１の移動電話７Ｄは、受信した広告利用実績に伴う利益還元の内容通知に対して、利益還元を受け取るか否かを選択し、利益還元の受取認証情報として、第１の移動電話７Ｄ内の図７に示すメモリ７７０３の受取認証機能に記録し登録及び格納する。
【０３５３】
図２７（ａ）のステップＳ２６０５で、第１の移動電話７Ｄは、第１の移動電話７Ｄ内の図７に示すメモリ７７０３の受取認証機能に登録及び格納された利益還元の受取認証情報を、交換機５及び基地局６Ａを介して、電話事業会社側登録管理サーバ４Ａへ送信する。
【０３５４】
図２７（ｃ）のステップＳ２８０３で、第２の移動電話７Ｅは、電話事業会社側登録管理サーバ４Ａから送信された広告利用実績に伴う利益還元の内容通知を受信し、ステップＳ２８０４に移行して、第２の移動電話７Ｅは、受信した広告利用実績に伴う利益還元の内容通知を第２の移動電話７Ｅ内の図７に示すメモリ７７０３の利益還元履歴に記録し登録及び格納するとともに、第２の移動電話７Ｅは、受信した広告利用実績に伴う利益還元の内容通知に対して、利益還元を受け取るか否かを選択し、利益還元の受取認証情報として、第２の移動電話７Ｅ内の図７に示すメモリ７７０３の受取認証機能に記録し登録及び格納する。
【０３５５】
図２７（ｃ）のステップＳ２８０５で、第２の移動電話７Ｅは、第２の移動電話７Ｅ内の図７に示すメモリ７７０３の受取認証機能に登録及び格納された利益還元の受取認証情報を、交換機５及び基地局６Ｂを介して、電話事業会社側登録管理サーバ４Ａへ送信する。
【０３５６】
図２７（ｂ）のステップＳ２７０４で、電話事業会社側登録管理サーバ４Ａは、第１の移動電話７Ｄから送信された利益還元の受取認証情報と第２の移動電話７Ｅから送信された利益還元の受取認証情報を受信し、ステップＳ２７０５に移行して、電話事業会社側登録管理サーバ４Ａは、受信した第１の移動電話７Ｄから送信された利益還元の受取認証情報及び第２の移動電話７Ｅから送信された利益還元の受取認証情報を発信元・受信先受取認証情報として、電話事業会社側データベースサーバ４Ｂの利用者情報データベース４１９に登録及び格納する。
【０３５７】
図２７（ｂ）のステップＳ２７０６で、電話事業会社側登録管理サーバ４Ａは、発信元・受信先受取認証情報の登録及び更新が完了したことを示す登録・更新済み通知を第１の移動電話７Ｄ及び第２の移動電話７Ｅへ送信し、本処理を終了する。
【０３５８】
図２７（ａ）のステップＳ２６０６で、第１の移動電話７Ｄは、電話事業会社側登録管理サーバ４Ａから送信された登録・更新済み通知を受信し、本処理を終了する。
【０３５９】
図２７（ｃ）のステップＳ２８０６で、第２の移動電話７Ｅは、電話事業会社側登録管理サーバ４Ａから送信された登録・更新済み通知を受信し、本処理を終了する。
【０３６０】
図２８は、図１に示す広告システム１における利益還元受取認証登録処理を示すフローチャートであり、（ａ）は電話事業会社側登録管理サーバ４Ａの動作を示し、（ｂ）は広告管理会社側登録管理サーバ３Ａの動作を示す。
【０３６１】
図１に示す広告システム１にあって、電話事業会社側登録管理サーバ４Ａにより、利益還元受取認証情報を広告管理会社側登録管理サーバ３Ａに登録することにおいて、図２８（ａ）の登録処理を開始する。図２８（ａ）のステップＳ２９０１で、電話事業会社側登録管理サーバ４Ａは、通信回線１１を介して、広告管理会社側登録管理サーバ３Ａにアクセスし、広告管理会社側登録管理サーバ３Ａによって、アクセスが受け付けられた後、ステップＳ２９０２に移行して、広告管理会社側登録管理サーバ３Ａとの間で、認証及び通信処理などの認証処理を実行する。
【０３６２】
ここで、電話事業会社側登録管理サーバ４Ａと広告管理会社側登録管理サーバ３Ａとの間で実行される認証処理は、例えば、電話事業会社側登録管理サーバ４Ａが事前に、広告管理会社側登録管理サーバ３Ａのアクセス権が登録されているか否かを判別する処理や、利益還元受取認証を登録するにあたり、広告管理会社側登録管理サーバ３Ａとの申請処理などが実行される。
【０３６３】
図２８（ｂ）のステップＳ３００２で認証処理が成功した場合、電話事業会社側登録管理サーバ４Ａは、図２８（ａ）のステップＳ２９０３に移行して、電話事業会社側登録管理サーバ４Ａは、電話事業会社側データベースサーバ４Ｂの利用者情報データベース４１９に格納された発信元・受信先受取認証情報を広告管理会社側登録管理サーバ３Ａへ送信する。
【０３６４】
図２８（ｂ）のステップＳ３００３で、広告管理会社側登録管理サーバ３Ａは、電話事業会社側登録管理サーバ４Ａから送信された発信元・受信先受取認証情報を受信し、ステップＳ３００４に移行して、広告管理会社側登録管理サーバ３Ａは、受信した発信元・受信先受取認証情報を利益還元受取認証情報として、広告管理会社側データベースサーバ３Ｂの利用者情報データベース３１５に記録し、登録及び格納する。
【０３６５】
図２８（ｂ）のステップＳ３００５で、広告管理会社側登録管理サーバ３Ａは、利益還元受取認証情報の登録及び更新が完了したことを示す登録・更新済み通知を電話事業会社側登録管理サーバ４Ａへ送信し、本処理を終了する。
【０３６６】
図２８（ａ）のステップＳ２９０４で、電話事業会社側登録管理サーバ４Ａは、広告管理会社側登録管理サーバ３Ａから送信された登録・更新済み通知を受信し、電話事業会社側登録管理サーバ４Ａは、電話事業会社側データベースサーバ４Ｂの利用者情報データベース４１９に記録し、登録及び格納して、本処理を終了する。
【０３６７】
図２９は、図１に示す広告システム１における利益還元受取認証登録処理及び利益還元の実施を示すフローチャートであり、（ａ）は広告管理会社側登録管理サーバ３Ａの動作を示し、（ｂ）は広告主側登録管理サーバ２Ａの動作を示す。
【０３６８】
図１に示す広告システム１にあって、広告管理会社側登録管理サーバ３Ａにより、利益還元受取認証情報を広告主側登録管理サーバ２Ａに登録し、広告主側登録管理サーバ２Ａにより、利益還元を実施することにおいて、図２９（ａ）の登録処理を開始する。図２９（ａ）のステップＳ３１０１で、広告管理会社側登録管理サーバ３Ａは、通信回線１０を介して、広告主側登録管理サーバ２Ａにアクセスし、広告主側登録管理サーバ２Ａによって、アクセスが受け付けられた後、ステップＳ３１０２に移行して、広告主側登録管理サーバ２Ａとの間で、認証及び通信処理などの認証処理を実行する。
【０３６９】
ここで、広告管理会社側登録管理サーバ３Ａと広告主側登録管理サーバ２Ａとの間で実行される認証処理は、例えば、広告管理会社側登録管理サーバ３Ａが事前に、広告主側登録管理サーバ２Ａとの認識コードが登録されているか否かを判別する処理や、利益還元受取認証情報を登録するにあたり、広告主側登録管理サーバ２Ａとの申請処理などが実行される。
【０３７０】
図２９（ｂ）のステップＳ３２０２で認証処理が成功した場合、広告管理会社側登録管理サーバ３Ａは、図２９（ａ）のステップＳ３１０３に移行して、広告管理会社側登録管理サーバ３Ａは、広告管理会社側データベースサーバ３Ｂの利用者情報データベース３１５に格納された利益還元受取認証情報を広告主側登録管理サーバ２Ａへ送信する。
【０３７１】
図２９（ｂ）のステップＳ３２０３で、広告主側登録管理サーバ２Ａは、広告管理会社側登録管理サーバ３Ａから送信された利益還元受取認証情報を受信し、ステップＳ３２０４に移行して、広告主側登録管理サーバ２Ａは、受信した利益還元受取認証情報を広告利用実績受取認証情報として、広告主側データベースサーバ２Ｂの利益還元情報データベース２１６に記録し、登録及び格納する。
【０３７２】
図２９（ｂ）のステップＳ３２０５で、広告主側登録管理サーバ２Ａは、広告利用実績受取認証情報の登録及び更新が完了したことを示す登録・更新済み通知を広告管理会社側登録管理サーバ３Ａへ送信し、ステップＳ３２０６に移行して、広告主側登録管理サーバ２Ａは、広告主側データベースサーバ２Ｂの利用者情報データベース２１５に格納された広告利用実績及び利益還元情報データベース２１６に格納された広告利用実績受取認証情報を基に、通信回線１６を介して、第１の移動電話７Ｄ及び第２の移動電話７Ｅに直接的に、もしくは、広告管理会社側登録管理サーバ３Ａ及び電話事業会社側登録管理サーバ４Ａを介して、間接的に利益還元を実施して、本処理を終了する。
【０３７３】
図２９（ａ）のステップＳ３１０４で、広告管理会社側登録管理サーバ３Ａは、広告主側登録管理サーバ２Ａから送信された登録・更新済み通知を受信し、広告管理会社側登録管理サーバ３Ａは、広告管理会社側データベースサーバ３Ｂの利用者情報データベース３１５に登録及び格納して、本処理を終了する。
【０３７４】
図３０は、図１に示す発信側である第１の移動電話７Ｄにおける受信先別・指定広告情報配信設定処理を示すフローチャートである。
【０３７５】
図３０のステップＳ３３０１で、第１の移動電話７Ｄは、第１の移動電話７Ｄ内の図７に示すメモリ７７０３及びＬＣＤ７７０７などを介して、受信先別・指定広告情報配信設定を選択し、ステップＳ３３０２へ移行して、第１の移動電話７Ｄは、第１の移動電話７Ｄ内の図７に示すメモリ７７０３の広告情報管理データベース７２に格納された広告情報認証番号７２０が、電話事業会社側登録管理サーバ４Ａと利用登録されているか否かを判別する。
【０３７６】
図３０のステップＳ３３０２で、第１の移動電話７Ｄは、第１の移動電話７Ｄ内の図７に示すメモリ７７０３の広告情報管理データサーバ７２に格納された広告情報認証番号７２０が、電話事業会社側登録管理サーバ４Ａと利用登録されているか否かを判別し、広告情報認証番号７２０が電話事業会社側登録管理サーバ４Ａと利用登録されている場合は、ステップＳ３３０３へ移行して、第１の移動電話７Ｄは、事前に第２の移動電話７Ｅ固有の受信先利用者電話番号７４１などを、第１の移動電話７Ｄ内の図７に示すメモリ７７０３の指定広告機能に登録及び格納し、事前に格納した指定広告機能に格納された第２の移動電話７Ｅ固有の受信先利用者電話番号７４１を選択し、ステップＳ３３０４へ移行して、第１の移動電話７Ｄは、選択した第２の移動電話７Ｅ固有の受信先利用者電話番号７４１に送信する広告情報認証番号を、電話事業会社側登録管理サーバ４Ａと利用登録された第１の移動電話７Ｄ内の図７に示すメモリ７７０３の広告情報管理データサーバ７２に格納された広告情報認証番号７２０より選択する。
【０３７７】
図３０のステップＳ３３０２で、第１の移動電話７Ｄは、第１の移動電話７Ｄ内の図７に示すメモリ７７０３の広告情報管理データサーバ７２に格納された広告情報認証番号７２０が、電話事業会社側登録管理サーバ４Ａと利用登録されているか否かを判別し、広告情報認証番号７２０が電話事業会社側登録管理サーバ４Ａと利用登録されていない場合は、ステップＳ３３０５へ移行して、第１の移動電話７Ｄは、第１の移動電話７Ｄ内の図７に示すメモリ７７０３及びＬＣＤ７７０７などを介して、広告情報認証番号の利用方法及び登録方法を説明し、ステップＳ３３０６へ移行して、第１の移動電話７Ｄは、事前に格納した第１の移動電話７Ｄ内の図７に示すメモリ７７０３の指定広告機能に格納された第２の移動電話７Ｅ固有の受信先利用者電話番号７４１に対して、出荷認証番号７３０が選択される。
【０３７８】
図３０のステップＳ３３０７で、第１の移動電話７Ｄは、図３０のステップＳ３３０４で選択した広告情報認証番号７２０またはステップＳ３３０６で選択した出荷認証番号７３０を第１の移動電話７Ｄ内の図７に示すメモリ７７０３の指定広告機能に登録及び格納し、ステップＳ３３０８へ移行して、第１の移動電話７Ｄは、第１の移動電話７Ｄ内の図７に示すＬＣＤ７７０７などを介して、選択した広告情報認証番号７２０または出荷認証番号７３０の登録及び更新が完了したことを示す登録・更新済み通知を表示して、本処理を終了する。
【０３７９】
図３１は、図１に示す受信側である第２の移動電話７Ｅにおける広告情報受信許可設定処理を示すフローチャートである。
【０３８０】
図３１のステップＳ３４０１で、第２の移動電話７Ｅは、第２の移動電話７Ｅ内の図７に示すメモリ７７０３及びＬＣＤ７７０７などを介して、広告情報の受信拒否設定を選択し、ステップＳ３４０２へ移行して、第２の移動電話７Ｅは、第２の移動電話７Ｅ内の図７に示すメモリ７７０３及びＬＣＤ７７０７などを介して、広告情報認証番号の利用方法及び登録方法を説明し、ステップＳ３４０３へ移行して、第２の移動電話７Ｅは、第１の移動電話７Ｄより送信された広告情報を受信拒否するか否かを選択する。
【０３８１】
図３１のステップＳ３４０３で、第２の移動電話７Ｅは、第１の移動電話７Ｄより送信された広告情報を受信拒否するか否かを選択し、第１の移動電話７Ｄより送信された広告情報を受信拒否する場合は、ステップＳ３４０４へ移行して、第２の移動電話７Ｅは、第２の移動電話７Ｅ内の図７に示す入力テンキー７７０４及びＬＣＤ７７０７などを介して、広告情報の受信拒否を選択する。
【０３８２】
図３１のステップＳ３４０５で、第２の移動電話７Ｅは、第２の移動電話７Ｅ内の図７に示すメモリ７７０３に格納された起動プログラムが、第２の移動電話７Ｅ内の図７に示すメモリ７７０３に格納された制限広告音声データ７３２及び制限広告映像データ７３３を含む制限広告情報を常時起動する。
【０３８３】
図３１のステップＳ３４０６で、第２の移動電話７Ｅは、図３１のステップＳ３４０５で常時起動する制限広告音声データ７３２及び制限広告映像データ７３３を含む制限広告情報を、第２の移動電話７Ｅ内の図７に示すメモリ７７０３に格納された制限広告情報管理データベース７３より選択する。
【０３８４】
図３１のステップＳ３４０３で、第２の移動電話７Ｅは、第１の移動電話７Ｄより送信された広告情報を受信拒否するか否かを選択し、第１の移動電話７Ｄより送信された広告情報を受信拒否しない場合は、ステップＳ３４０７へ移行して、第２の移動電話７Ｅは、第２の移動電話７Ｅ内の図７に示す入力テンキー７７０４及びＬＣＤ７７０７などを介して、広告情報の受信許可を選択する。
【０３８５】
図３１のステップＳ３４０８で、第２の移動電話７Ｅは、第２の移動電話７Ｅ内の図７に示すＬＣＤ７７０７などを介して、図３１のステップＳ３４０４またはステップＳ３４０７で選択した広告情報の受信選択設定が完了したことを示す登録・更新済み通知を表示して、本処理を終了する。
【０３８６】
図３２は、図１に示す発信側である第１の移動電話７Ｄ及び受信側である第２の移動電話７Ｅにおける発信履歴及び着信履歴からの広告情報再受信処理を示すフローチャートであり、（ａ）は発信側である第１の移動電話７Ｄ及び受信側である第２の移動電話７Ｅの動作を示し、（ｂ）は交換機５の動作を示す。
【０３８７】
図１に示す広告システム１にあって、第１の移動電話７Ｄ及び第２の移動電話７Ｅにより、送受信履歴からの広告情報の再受信を要請することにおいて、図３２（ａ）の配信処理を開始する。図３２（ａ）のステップＳ３５０１で、第１の移動電話７Ｄ及び第２の移動電話７Ｅは、第１の移動電話７Ｄ及び第２の移動電話７Ｅ内の図７に示すメモリ７７０３に格納された発信履歴管理データベース７５及び受信履歴管理データベース７６より、再受信の要請をする広告情報認証番号７５１または７６１を指定し、ステップＳ３５０２に移行して、第１の移動電話７Ｄ及び第２の移動電話７Ｅは、基地局６Ａまたは基地局６Ｂを介して、交換機５に指定した広告情報認証番号７５１または７６１を含む再受信要求情報を送信する。
【０３８８】
図３２（ｂ）のステップＳ３６０１で、交換機５は、第１の移動電話７Ｄから送信された指定した広告情報認証番号７５１を含む再受信要求情報または第２の移動電話７Ｅから送信された指定した広告情報認証番号７６１を含む再受信要求情報を受信し、ステップＳ３６０２に移行して、交換機５は、通信回線１３を介して、電話事業会社側登録管理サーバ４Ａとアクセスして検索を要求する。
【０３８９】
図３２（ｂ）のステップＳ３６０３で、交換機５は、電話事業会社側登録管理サーバ４Ａの照合プログラムに従って応答される照合結果により、電話事業会社側データベースサーバ４Ｂに格納された利用者情報データベース４１９の広告情報利用先４１９３の送信履歴と第１の移動電話７Ｄが指定した広告情報認証番号７５１または第２の移動電話７Ｅが指定した広告情報認証番号７６１とが一致するか否かを判別し、電話事業会社側データベースサーバ４Ｂに格納された利用者情報データベース４１９の広告情報利用先４１９３の送信履歴と第１の移動電話７Ｄが指定した広告情報認証番号７５１または第２の移動電話７Ｅが指定した広告情報認証番号７６１とが一致した場合は、ステップＳ３６０５へ移行する。
【０３９０】
図３２（ｂ）のステップＳ３６０５で、交換機５は、通信回線１３を介して、電話事業会社側登録管理サーバ４Ａとアクセスして、第１の移動電話７Ｄが指定した広告情報認証番号７５１または第２の移動電話７Ｅが指定した広告情報認証番号７６１と照合した電話事業会社側データベースサーバ４Ｂの利用者情報データベース４１９に格納された広告情報認証番号４１９１と、広告情報データベース４１７に格納された広告音声データ４１７３と広告映像データ４１７５を、通信回線１４を介して、電話事業会社側データベースサーバ４Ｂから取得する。また、ステップＳ３６０３で、電話事業会社側登録管理サーバ４Ａの照合プログラムに従って応答される照合結果により、電話事業会社側データベースサーバ４Ｂに格納された利用者情報データベース４１９の広告情報利用先４１９３の送信履歴と第１の移動電話７Ｄが指定した広告情報認証番号７５１または第２の移動電話７Ｅが指定した広告情報認証番号７６１とが一致しなかった場合は、ステップＳ３６０４へ移行する。
【０３９１】
図３２（ｂ）のステップＳ３６０４で、交換機５は、通信回線１３を介して、電話事業会社側登録管理サーバ４Ａとアクセスして、電話事業会社側データベースサーバ４Ｂの広告情報データベース４１７に格納された出荷認証番号４１７０を、通信回線１４を介して、電話事業会社側データベースサーバ４Ｂから取得する。
【０３９２】
図３２（ｂ）のステップＳ３６０６で、交換機５は、ステップＳ３６０４またはステップＳ３６０５にて取得した各種広告情報及び認証番号を、基地局６Ａまたは基地局６Ｂを介して、送受信履歴からの広告情報の再受信を要請した第１の移動電話７Ｄまたは第２の移動電話７Ｅへ送信し、ステップＳ３６０７に移行して、交換機５は、ステップＳ３６０４またはステップＳ３６０５にて取得した各種広告情報及び認証番号を、送受信履歴からの広告情報の再受信を要請した第１の移動電話７Ｄまたは第２の移動電話７Ｅへ送信した履歴を発信側通知実績として記録し、本処理を終了する。
【０３９３】
図３２（ａ）のステップＳ３５０３で、第１の移動電話７Ｄまたは第２の移動電話７Ｅは、交換機５から送信されたステップＳ３６０４またはステップＳ３６０５にて取得した各種広告情報及び認証番号を受信する。
【０３９４】
図３２（ａ）のステップＳ３５０４で、第１の移動電話７Ｄまたは第２の移動電話７Ｅは、交換機５から送信されたステップＳ３６０４またはステップＳ３６０５にて取得した各種広告情報及び認証番号からサイト閲覧プログラムを選択し、インターネット接続を選択することができる。
【０３９５】
図３２のステップＳ３５０５で、第１の移動電話７Ｄまたは第２の移動電話７Ｅは、ステップＳ３５０４にて、交換機５から送信されたステップＳ３６０４またはステップＳ３６０５にて取得した各種広告情報及び認証番号からインターネット接続を選択した場合には、指定されたホームページのアドレス情報などのリンク情報を更に有した交換機５から送信されたステップＳ３６０４またはステップＳ３６０５にて取得した各種広告情報及び認証番号より、インターネットに接続され、本処理を終了する。
【０３９６】
上述したように、本発明の実施の形態における広告システム１において、従来の通信機器で実現されている着メロ機能と、技術進歩に伴って備えた映像や画像を映し出す機能に着目し、通信機器を用いて通話する利用者が発呼報知または着呼報知として活用する広告情報データベース２１４を広告主側広告配信システム２が制作し、広告主側広告配信システム２が制作した広告情報データベース２１４に、広告管理会社側広告配信システム３は、情報処理プログラムに従って、広告情報認証番号３１４０を発行し、電話事業会社側広告配信システム４により、広告情報認証番号４１７０の利用登録をした第１の移動電話７Ｄの利用者が、第２の移動電話７Ｅの利用者と通話するという使用上において、発信信号とともに広告情報認証番号４１７０を送信し、基地局６Ａ，６Ｂ及び交換機５を介して、電話事業会社側登録管理サーバ４Ａの照合プログラムに従って処理され、再度、基地局６Ａ，６Ｂ及び交換機５を介して、第１の移動電話７Ｄは広告情報を受信し発呼報知することができ、また、第２の移動電話７Ｅは、第１の移動電話７Ｄが指定した広告情報を受信し着呼報知することができる。また、電子通信機器会社側広告配信システム７により、本発明の実施の形態における広告システム１に対応した機能を有し、また、本発明の実施の形態における広告システム１を、通信機器を用いて通話する利用者に告知する制限広告情報を含む出荷認証番号７１３０などの機能を有した移動電話７Ａが製造及び販売されることによって、通信機器を用いて通話する利用者は、工場出荷状態または広告情報の利用を制限した通信機器において、予め登録された制限広告情報を発呼報知及び着呼報知することにより、広告情報の利用についての詳細を告知され、本広告システム及び広告方法を認知することにより、結果的に通信機器の需要が高まり普及が促進されることとなり、よって、広告情報による発呼報知及び着呼報知が、通話する以前の利用者同士のコミュニケーションに役立つとともに、広告媒体として広く活用することにより、メディアとしての役割を十分に発揮することができる。
【０３９７】
また、上記広告システム１を利用することにより、広告媒体としての使用状況に応じて、通信・通話使用料などの割引やサービス、利益還元などが実施されるため、通信・通話使用料が増加傾向にある通信機器を用いて通話する利用者に対して、負担を軽減させることができ、好適には通信・通話使用料を定額にすることができる。通信・通話使用料を定額にすることで、移動電話７Ａの利用者が大幅に増加し、上記広告システム１の利用率が高まるため、広告の効果が更に高まることとなる。それに応じて、広告情報を提供する広告主はより多くの広告料金を支払うことができるようになり、その結果、通信機器を用いて通話する利用者の通信・通話使用料を定額に据え置くことがますます容易になる、という好循環が確立できる。なお、広告に関する著作権などは、ＪＡＳＲＡＣ（日本音楽著作権協会）などにおける動向をふまえて、広告主もしくは広告情報を管理及び監督する広告管理会社が対応する。
【０３９８】
また、テレビジョンと肩を並べるあるいはテレビジョンを上回るように普及してきている通信機器でのコマーシャル効果は、テレビジョンにおける視聴率とは異なり、確定的な最低視聴者数（通話する利用者同士が利用するため、最低視聴者数は１または２である）を確保でき、また、発呼報知及び着呼報知により、通話する利用者同士以外の視聴者も視聴する可能性が高いため、広告による認知度や広告による費用対効果の算出などのメディアとしての貢献度を高めることができる。
【０３９９】
以上、この発明の実施例を図面により詳述してきたが、具体的な構成は、この実施例に限られるものではなく、この発明の要旨を逸脱しない範囲の設計の変化などがあっても、この発明に含まれる。例えば、実施例では、移動電話を携帯電話に例をとって説明したが、ＰＨＳや宅内固定電話機に対しても同様に適用することができ、さらにタクシー、乗用車、トラックなどの車両に取り付けられた無線機に適用することも可能である。つまり、本発明は、通話を発信する通信機器と、交換機５から送信されたデータを再生する機能を有する通信機器を用いれば、通信回線の種類や機器の形態を問わず適用可能である。
【図面の簡単な説明】
【０４００】
【図１】この発明の一実施例である移動電話を利用する利用者の使用目的に重視した広告方法を適用した、通信機器を利用した広告システム１の構成を示すブロック図である。
【図２】図１に示す広告主側広告配信システム２の機能的構成を示すブロック図である。
【図３】図１に示す広告管理会社側広告配信システム３の機能的構成を示すブロック図である。
【図４】図１に示す電話事業会社側広告配信システム４の機能的構成を示すブロック図である。
【図５】図１に示す交換機５の機能的構成を示すブロック図である。
【図６】図１に示す電子通信機器会社側広告配信システム７の機能的構成を示すブロック図である。
【図７】図１に示す移動電話７Ａのハードウェア構成を示すブロック図である。
【図８】図１に示す広告主側データベースサーバ２Ｂに保存されるデータの構成図の一例である。
【図９】図１に示す広告管理会社側データベースサーバ３Ｂに保存されるデータの構成図の一例である。
【図１０】図１に示す電話事業会社側データベースサーバ４Ｂに保存されるデータの構成図の一例である。
【図１１】図１に示す交換機５に保存されるデータの構成図の一例である。
【図１２】図１に示す移動電話７Ａ内の図７に示すメモリ７７０３に保存されるデータの構成図の一例である。
【図１３】図１に示す電子通信機器会社側データベースサーバ７Ｃに保存されるデータの構成図の一例である。
【図１４】図１に示す広告システム１における広告情報登録処理を示すフローチャートであり、（ａ）は広告主側登録管理サーバ２Ａの動作を示し、（ｂ）は広告管理会社側登録管理サーバ３Ａの動作を示す。
【図１５】図１に示す広告システム１における広告情報登録処理を示すフローチャートであり、（ａ）は広告管理会社側登録管理サーバ３Ａの動作を示し、（ｂ）は電話事業会社側登録管理サーバ４Ａの動作を示す。
【図１６】図１に示す広告システム１における広告情報利用登録処理を示すフローチャートであり、（ａ）は広告情報を利用登録する利用者が所有する第１の移動電話７Ｄの動作を示し、（ｂ）は電話事業会社側登録管理サーバ４Ａの動作を示す。
【図１７】図１に示す広告システムにおける出荷認証番号登録処理を示すフローチャートであり、（ａ）は電話事業会社側登録管理サーバ４Ａの動作を示し、（ｂ）は広告管理会社側登録管理サーバ３Ａの動作を示し、（ｃ）は電子通信機器会社側登録管理サーバ７Ｂの動作を示す。
【図１８】図１に示す電子通信機器会社側広告配信システム７における制限広告情報登録処理及び変換・再生用起動プログラム登録処理を示すフローチャートであり、（ａ）は電子通信機器会社側登録管理サーバ７Ｂの動作を示し、（ｂ）は移動電話７Ａの動作を示す。
【図１９】図１に示す広告システム１における発信処理を示すフローチャートであり、（ａ）は発信側である第１の移動電話７Ｄの動作を示し、（ｂ）は交換機５の動作を示す。
【図２０】図１に示す発信側である第１の移動電話７Ｄにおける発信発呼処理を示すフローチャートである。
【図２１】図１に示す受信側である第２の移動電話７Ｅにおける着信発呼処理を示すフローチャートである。
【図２２】図１に示す広告システム１における広告情報通知履歴登録処理を示すフローチャートであり、（ａ）は交換機５の動作を示し、（ｂ）は電話事業会社側登録管理サーバ４Ａの動作を示す。
【図２３】図１に示す広告システム１における広告情報通知履歴登録処理を示すフローチャートであり、（ａ）は電話事業会社側登録管理サーバ４Ａの動作を示し、（ｂ）は広告管理会社側登録管理サーバ３Ａの動作を示す。
【図２４】図１に示す広告システム１における広告情報通知履歴登録処理を示すフローチャートであり、（ａ）は広告管理会社側登録管理サーバ３Ａの動作を示し、（ｂ）は広告主側登録管理サーバ２Ａの動作を示す。
【図２５】図１に示す広告システム１における利益還元通知登録処理を示すフローチャートであり、（ａ）は広告主側登録管理サーバ２Ａの動作を示し、（ｂ）は広告管理会社側登録管理サーバ３Ａの動作を示す。
【図２６】図１に示す広告システム１における利益還元通知登録処理を示すフローチャートであり、（ａ）は広告管理会社側登録管理サーバ３Ａの動作を示し、（ｂ）は電話事業会社側登録管理サーバ４Ａの動作を示す。
【図２７】図１に示す広告システム１における利益還元通知登録及び利益還元受取認証処理を示すフローチャートであり、（ａ）は発信側である第１の移動電話７Ｄの動作を示し、（ｂ）は交換機５を介した電話事業会社側登録管理サーバ４Ａの動作を示し、（ｃ）は受信側である第２の移動電話７Ｅの動作を示す。
【図２８】図１に示す広告システム１における利益還元受取認証登録処理を示すフローチャートであり、（ａ）は電話事業会社側登録管理サーバ４Ａの動作を示し、（ｂ）は広告管理会社側登録管理サーバ３Ａの動作を示す。
【図２９】図１に示す広告システム１における利益還元受取認証登録処理及び利益還元の実施を示すフローチャートであり、（ａ）は広告管理会社側登録管理サーバ３Ａの動作を示し、（ｂ）は広告主側登録管理サーバ２Ａの動作を示す。
【図３０】図１に示す発信側である第１の移動電話７Ｄにおける受信先別・指定広告情報配信設定処理を示すフローチャートである。
【図３１】図１に示す受信側である第２の移動電話７Ｅにおける広告情報受信許可設定処理を示すフローチャートである。
【図３２】図１に示す発信側である第１の移動電話７Ｄ及び受信側である第２の移動電話７Ｅにおける発信履歴及び着信履歴からの広告情報再受信処理を示すフローチャートであり、（ａ）は発信側である第１の移動電話７Ｄ及び受信側である第２の移動電話７Ｅの動作を示し、（ｂ）は交換機５の動作を示す。
【符号の説明】
【０４０１】
１    通信機器を利用した広告システム
２    広告主側広告配信システム
２Ａ  広告主側登録管理サーバ
２Ｂ  広告主側データベースサーバ
３    広告管理会社側広告配信システム
３Ａ  広告管理会社側登録管理サーバ
３Ｂ  広告管理会社側データベースサーバ
４    電話事業会社側広告配信システム
４Ａ  電話事業会社側登録管理サーバ
４Ｂ  電話事業会社側データベースサーバ
５    交換機
６Ａ，６Ｂ  基地局
７    電子通信機器会社側広告配信システム
７Ａ  移動電話
７Ｂ  電子通信機器会社側登録管理サーバ
７Ｃ  電子通信機器会社側データベースサーバ
７Ｄ  移動電話７Ａの機能を装備した第１の移動電話
７Ｅ  移動電話７Ａの機能を装備した第２の移動電話
８    ゲートウェイ装置
９    インターネット
１０，１１，１２，１３，１４，１５，１６  通信回線
２０１  通信制御装置
２０２  送受信処理プログラム
２０３  記憶装置データベース
２０４  制御装置
２０５  広告情報配信機能
２０６  利用者情報配信機能
２０７  利益還元情報配信機能
２０８  広告情報登録機能
２０９  広告情報管理機能
２１０  利用者情報管理機能
２１１  利益還元情報管理機能
２１２  Ｉ／Ｆ・インターフェイス（広告主側登録管理サーバ）
２１３  Ｉ／Ｆ・インターフェイス（広告主側データベースサーバ）
２１４  広告情報データベース
２１４０  音声広告番号
２１４１  演奏時間
２１４２  広告タイトル名
２１４３  カテゴリ
２１４４  広告音声データ
２１４５  広告リンク情報
２１４６  映像広告番号
２１４７  広告映像データ
２１５  利用者情報データベース
２１５０  広告情報認証番号
２１５１  音声広告番号
２１５２  映像広告番号
２１５３  利用者電話番号
２１５４  広告情報利用先
２１５５  利益還元料金
２１５６  各種情報データ
２１６  利益還元情報データベース
２１６０  利用者電話番号
２１６１  受取認証情報
２１６２  広告情報認証番号
２１６３  広告情報送受信回数
２１６４  利益還元総金額
２１６５  各種情報データ
３０１  通信制御装置
３０２  送受信処理プログラム
３０３  記憶装置データベース
３０４  制御装置
３０５  広告情報配信機能
３０６  利用者情報配信機能
３０７  利益還元情報配信機能
３０８  情報処理プログラム
３０９  広告情報管理機能
３１０  利用者情報管理機能
３１１  利益還元情報管理機能
３１２  Ｉ／Ｆ・インターフェイス（広告管理会社側登録管理サーバ）
３１３  Ｉ／Ｆ・インターフェイス（広告管理会社側データベースサーバ）
３１４  広告情報データベース
３１４０  広告情報認証番号及び出荷認証番号
３１４１  認証番号発行日
３１４２  音声広告番号
３１４３  広告音声データ及び制限広告音声データ
３１４４  映像広告番号
３１４５  広告映像データ及び制限広告映像データ
３１４６  各種情報データ
３１４７  電子通信機器会社名
３１５  利用者情報データベース
３１５０  広告情報認証番号
３１５１  音声広告番号
３１５２  映像広告番号
３１５３  利用者電話番号
３１５４  広告情報利用先
３１５５  利益還元料金
３１５６  各種情報データ
３１６  利益還元情報データベース
３１６０  利用者電話番号
３１６１  受取認証情報
３１６２  広告情報認証番号
３１６３  広告情報送受信回数
３１６４  利益還元総金額
３１６５  各種情報データ
４０１  通信制御装置
４０２  送受信処理プログラム
４０３  記憶装置データベース
４０４  制御装置
４０５  広告情報配信機能
４０６  利用者情報配信機能
４０７  利益還元情報配信機能
４０８  広告一覧機能
４０９  照合プログラム
４１０  広告情報管理機能
４１１  利用者情報管理機能
４１２  利益還元情報管理機能
４１３  利用配布機能
４１４  課金情報機能
４１５  Ｉ／Ｆ・インターフェイス（電話事業会社側登録管理サーバ）
４１６  Ｉ／Ｆ・インターフェイス（電話事業会社側データベースサーバ）
４１７  広告情報データベース
４１７０  広告情報認証番号及び出荷認証番号
４１７１  認証番号登録日
４１７２  音声広告番号
４１７３  広告音声データ及び制限広告音声データ
４１７４  映像広告番号
４１７５  広告映像データ及び制限広告映像データ
４１７６  各種情報データ
４１７７  電子通信機器会社名
４１８  広告配布情報データベース
４１８０  利用者電話番号
４１８１  広告情報配布日
４１８２  広告情報認証番号
４１８３  利益還元料金
４１８４  受取認証情報
４１８５  各種情報データ
４１９  利用者情報データベース
４１９０  利用者電話番号
４１９１  広告情報認証番号
４１９２  広告情報送受信日
４１９３  広告情報利用先
４１９４  通話時間
４１９５  利益還元課金額
４１９６  各種情報データ
４２０  課金情報データベース
４２１  利益還元情報データベース
４２１０  利用者電話番号
４２１１  受取認証情報
４２１２  広告情報認証番号
４２１３  広告情報送受信回数
４２１４  利益還元総金額
４２１５  各種情報データ
５０１  通信制御装置
５０２  送受信処理プログラム
５０３  記憶装置データベース
５０４  制御装置
５０５  広告情報配信機能
５０６  利用者情報配信機能
５０７  利益還元情報配信機能
５０８  発信信号処理機能
５０９  再受信処理機能
５１０  発信識別処理機能
５１１  照合要求登録機能
５１２  受取認証登録機能
５１３  広告情報管理機能
５１４  利用者情報管理機能
５１５  利益還元情報管理機能
５１６  Ｉ／Ｆ・インターフェイス（交換機）
５１７  広告情報データベース
５１７０  発信元利用者電話番号
５１７１  広告情報認証番号
５１７２  受信先利用者電話番号
５１７３  発信信号送受信日
５１７４  発信信号送受信時間
５１７５  各種情報データ
５１８  利用者情報データベース
５１８０  発信元利用者電話番号
５１８１  広告情報認証番号
５１８２  広告情報送受信日
５１８３  通話時間
５１８４  受信先利用者電話番号
５１８５  各種情報データ
５１９  受取認証情報データベース
５１９０  利用者電話番号
５１９１  広告情報認証番号または出荷認証番号
５１９２  広告情報送受信日
５１９３  通話時間
５１９４  受取認証情報
５１９５  各種情報データ
５２０  利益還元情報データベース
５２００  利用者電話番号
５２０１  受取認証情報
５２０２  広告情報認証番号
５２０３  広告情報送受信回数
５２０４  利益還元総金額
５２０５  各種情報データ
７０１  通信制御装置
７０２  送受信処理プログラム
７０３  記憶装置データベース
７０４  制御装置
７０５  制限広告情報配信機能
７０６  起動プログラム機能
７０７  制限広告登録機能
７０８  動作確認機能
７０９  出荷要求登録機能
７１０  制限広告情報管理機能
７１１  Ｉ／Ｆ・インターフェイス（電子通信機器会社側登録管理サーバ）
７１２  Ｉ／Ｆ・インターフェイス（電子通信機器会社側データベースサーバ）
７１３  制限広告情報データベース
７１３０  出荷認証番号
７１３１  出荷認証番号登録日
７１３２  制限広告音声データ
７１３３  制限広告映像データ
７１３４  電子通信機器会社名
７１３５  各種情報データ
７１４  起動プログラムデータベース
７１４０  起動プログラム番号
７１４１  起動プログラム登録日
７１４２  動作確認音声データ
７１４３  動作確認映像データ
７１４４  動作確認情報
７１４５  各種情報データ
７２  広告情報管理データベース
７２０  広告情報認証番号
７２１  広告情報認証番号取得日
７２２  広告タイトル名
７２３  発信回数
７２４  着信回数
７２５  各種情報データ
７３  制限広告情報管理データベース
７３０  出荷認証番号
７３１  制限広告情報登録日
７３２  制限広告音声データ
７３３  制限広告映像データ
７３４  電子通信機器会社名
７３５  各種情報データ
７４  指定広告発信管理データベース
７４０  受信先利用者名
７４１  受信先利用者電話番号
７４２  メールアドレス
７４３  送信する広告情報認証番号
７４４  各種情報データ
７５  発信履歴管理データベース
７５０  受信先利用者電話番号
７５１  広告情報認証番号または出荷認証番号
７５２  広告情報送信日
７５３  通話時間
７５４  利益還元課金額
７５５  受取認証情報
７５６  各種情報データ
７６  受信履歴管理データベース
７６０  発信元利用者電話番号
７６１  広告情報認証番号または出荷認証番号
７６２  広告情報受信日
７６３  通話時間
７６４  利益還元課金額
７６５  受取認証情報
７６６  各種情報データ
７７００  アンテナ
７７０１  送受信通信制御装置
７７０２  ＣＰＵ
７７０３  メモリ
７７０４  入力テンキー
７７０５  入力処理部
７７０６  表示処理部
７７０７  ＬＣＤ
７７０８  着信音声  再生用スピーカ
７７０９  着信音声処理部
７７１０  音声・送信音声処理部
７７１１  通話・送信音声  再生用スピーカ
７７１２  マイク
【図１】
2006099511.tif 000003
【図２】
2006099511.tif 000004
【図３】
2006099511.tif 000005
【図４】
2006099511.tif 000006
【図５】
2006099511.tif 000007
【図６】
2006099511.tif 000008
【図７】
2006099511.tif 000009
【図８】
2006099511.tif 000010
【図９】
2006099511.tif 000011
【図１０】
2006099511.tif 000012
【図１１】
2006099511.tif 000013
【図１２】
2006099511.tif 000014
【図１３】
2006099511.tif 000015
【図１４】
2006099511.tif 000016
【図１５】
2006099511.tif 000017
【図１６】
2006099511.tif 000018
【図１７】
2006099511.tif 000019
【図１８】
2006099511.tif 000020
【図１９】
2006099511.tif 000021
【図２０】
2006099511.tif 000022
【図２１】
2006099511.tif 000023
【図２２】
2006099511.tif 000024
【図２３】
2006099511.tif 000025
【図２４】
2006099511.tif 000026
【図２５】
2006099511.tif 000027
【図２６】
2006099511.tif 000028
【図２７】
2006099511.tif 000029
【図２８】
2006099511.tif 000030
【図２９】
2006099511.tif 000031
【図３０】
2006099511.tif 000032
【図３１】
2006099511.tif 000033
【図３２】
2006099511.tif 000034